(57)【要約】  本発明は、相乗的に有効な量で、ａ）（ｉ）少なくとも一つの植物成長刺激タンパク質もしくはペプチド；および（ｉｉ）融合タンパク質をバチルス細胞の外膜に局在させる標的配列を含む融合タンパク質を発現する組換え外膜産生性バチルス細胞；およびｂ）昆虫、ダニ、線虫および／または植物病原体に対する活性を示す、個々の株の全ての識別特性を有する本明細書に開示の特定の微生物から選択される少なくとも一つの本明細書に開示のさらなる生物農薬および／または個々の株によって産生される少なくとも一つの代謝物を含む組成物に関する。さらに本発明は、この組成物の使用ならびに植物成長を促進し、植物の健康を増進し、および／または植物および植物部分の全体的損傷を低減する方法に関するものである。【選択図】図１
2017530965.tif 000002
【特許請求の範囲】
【請求項１】
相乗的に有効な量で、
ａ）
（ｉ）少なくとも一つの植物成長刺激タンパク質もしくはペプチド；および
（ｉｉ）標的配列、外膜タンパク質もしくは外膜タンパク質断片
を含む融合タンパク質を発現する組換え外膜産生性バチルス細胞
および
ｂ）リポペプチド産生性バチルス・サブチリス（Ｂａｃｉｌｌｕｓ  ｓｕｂｔｉｌｉｓ）株、リポペプチド産生性バチルス・アミロリクエファシエンス（Ｂａｃｉｌｌｕｓ  ａｍｙｌｏｌｉｑｕｅｆａｃｉｅｎｓ）株、バチルス・フィルムス（Ｂａｃｉｌｌｕｓ  ｆｉｒｍｕｓ）株およびバチルス・プミルス（Ｂａｃｉｌｌｕｓ  ｐｕｍｉｌｕｓ）株からなる群から選択される少なくとも一つの生物農薬
を含む組成物。
【請求項２】
前記少なくとも一つの植物成長刺激タンパク質もしくはペプチドが、植物成長刺激性化合物の産生もしくは活性化に関与する酵素および細菌、真菌もしくは植物の栄養源を分解もしくは改変する酵素からなる群から選択される請求項１に記載の組成物。
【請求項３】
前記外膜産生性バチルス細胞がバチルス・セレウス（Ｂａｃｉｌｌｕｓ  ｃｅｒｅｕｓ）科構成員の細胞である請求項１に記載の組成物。
【請求項４】
前記バチルス・セレウス（Ｂａｃｉｌｌｕｓ  ｃｅｒｅｕｓ）科構成員が、バチルス・アントラシス（Ｂａｃｉｌｌｕｓ  ａｎｔｈｒａｃｉｓ）、バチルス・セレウス（Ｂａｃｉｌｌｕｓ  ｃｅｒｅｕｓ）、バチルス・ツリンギエンシス（Ｂａｃｉｌｌｕｓ  ｔｈｕｒｉｎｇｉｅｎｓｉｓ）、バチルス・ミコイデス（Ｂａｃｉｌｌｕｓ  ｍｙｃｏｉｄｅｓ）、バチルス・シュードミコイデス（Ｂａｃｉｌｌｕｓ  ｐｓｅｕｄｏｍｙｃｏｉｄｅｓ）、バチルス・サマニイ（Ｂａｃｉｌｌｕｓ  ｓａｍａｎｉｉ）、バチルス・ガエモケンシス（Ｂａｃｉｌｌｕｓ  ｇａｅｍｏｋｅｎｓｉｓ）、バチルス・ウェイヘンステフェンシス（Ｂａｃｉｌｌｕｓ  ｗｅｉｈｅｎｓｔｅｐｈｅｎｓｉｓ）、バチルス・トヨイエンシスウェイヘンステフェンシス（Ｂａｃｉｌｌｕｓ  ｔｏｙｏｉｅｎｓｉｓ）およびそれらの組み合わせからなる群から選択される請求項３に記載の組成物。
【請求項５】
前記標的配列または外膜タンパク質が、
配列番号１のアミノ酸２０から３５と少なくとも約４３％同一性を有するアミノ酸配列（アミノ酸２５から３５との同一性は少なくとも約５４％である。）；
配列番号１のアミノ酸１から３５を含む標的配列；
配列番号１のアミノ酸２０から３５を含む標的配列；
配列番号１のアミノ酸２２から３１を含む標的配列；
配列番号１のアミノ酸２２から３３を含む標的配列；
配列番号１のアミノ酸２０から３１を含む標的配列；
配列番号１を含む標的配列；または
配列番号２と少なくとも８５％同一性を有するアミノ酸配列を含む外膜タンパク質
を含む請求項１から４のいずれか１項に記載の組成物。
【請求項６】
前記植物成長刺激化合物の産生もしくは活性化に関与する酵素が、アセトインレダクターゼ、インドール−３−アセトアミドヒドロラーゼ、トリプトファンモノオキシゲナーゼ、アセト乳酸シンターゼ、α−アセト乳酸デカルボキシラーゼ、ピルビン酸デカルボキシラーゼ、ジアセチルレダクターゼ、ブタンジオールデヒドロゲナーゼ、アミノトランスフェラーゼ、トリプトファンデカルボキシラーゼ、アミンオキシダーゼ、インドール−３−ピルビン酸デカルボキシラーゼ、インドール−３−アセトアルデヒドデヒドロゲナーゼ、トリプトファン側鎖オキシダーゼ、ニトリルヒドロラーゼ、ニトリラーゼ、ペプチダーゼ、プロテアーゼ、アデノシンリン酸イソペンテニルトランスフェラーゼ、ホスファターゼ、アデノシンキナーゼ、アデニンホスホリボシルトランスフェラーゼ、ＣＹＰ７３５Ａ、５′リボヌクレオチドホスホヒドロラーゼ、アデノシンヌクレオシダーゼ、ゼアチンシス−トランスイソメラーゼ、ゼアチンＯ−グルコシルトランスフェラーゼ、β−グルコシダーゼ、シス−ヒドロキシラーゼ、ＣＫシス−ヒドロキシラーゼ、ＣＫ  Ｎ−グルコシルトランスフェラーゼ、２，５−リボヌクレオチドホスホヒドロラーゼ、アデノシンヌクレオシダーゼ、プリンヌクレオシドホスホリラーゼ、ゼアチンレダクターゼ、ヒドロキシルアミンレダクターゼ、２−オキソグルタル酸ジオキシゲナーゼ、ジベレリン酸２Ｂ／３Ｂヒドロラーゼ、ジベレリン３−オキシダーゼ、ジベレリン２０−オキシダーゼ、キトサナーゼ、キチナーゼ、β−１，３−グルカナーゼ、β−１，４−グルカナーゼ、β−１，６−グルカナーゼ、アミノシクロプロパン−１−カルボン酸デアミナーゼ、およびノッド因子産生に関与する酵素からなる群から選択される請求項２から５のいずれか１項に記載の組成物。
【請求項７】
前記植物成長刺激化合物の産生もしくは活性化に関与する酵素がキトサナーゼである請求項６に記載の組成物。
【請求項８】
前記融合タンパク質が配列番号１０９を含む請求項７に記載の組成物。
【請求項９】
前記細菌、真菌もしくは植物の栄養源を分解もしくは改変する酵素が、セルラーゼ、リパーゼ、リグニンオキシダーゼ、プロテアーゼ、グリコシドヒドロラーゼ、ホスファターゼ、ニトロゲナーゼ、ヌクレアーゼ、アミダーゼ、硝酸レダクターゼ、亜硝酸レダクターゼ、アミラーゼ、アンモニアオキシダーゼ、リグニナーゼ、グルコシダーゼ、ホスホリパーゼ、フィターゼ、ペクチナーゼ、グルカナーゼ、スルファターゼ、ウレアーゼ、キシラナーゼ、およびシデロホアからなる群から選択される請求項２から５のいずれか１項に記載の組成物。
【請求項１０】
前記酵素がエンドセルラーゼ、エキソセルラーゼ、およびβ−グルコシダーゼからなる群から選択されるセルラーゼである請求項９に記載の組成物。
【請求項１１】
前記融合タンパク質がバチルス・サブチリス（Ｂａｃｉｌｌｕｓ  ｓｕｂｔｉｌｉｓ）エンドグルカナーゼを含む請求項１０に記載の組成物。
【請求項１２】
前記融合タンパク質が配列番号１０７を含む請求項１１に記載の組成物。
【請求項１３】
前記組換えバチルス細胞がバチルス・ツリンギエンシス（Ｂａｃｉｌｌｕｓ  ｔｈｕｒｉｎｇｉｅｎｓｉｓ）ＢＴ０１３Ａ由来である請求項１２に記載の組成物。
【請求項１４】
前記酵素がホスホリパーゼである請求項９に記載の組成物。
【請求項１５】
前記融合タンパク質が配列番号１０８を含む請求項１４に記載の組成物。
【請求項１６】
前記融合タンパク質が、標的配列に固有の胞子形成プロモーター、外膜タンパク質、または前記融合タンパク質の外膜タンパク質断片の制御下に発現される請求項１から１５のいずれか１項に記載の組成物。
【請求項１７】
前記融合タンパク質が、高発現胞子形成プロモーターの制御下に発現される請求項１から１６のいずれか１項に記載の組成物。
【請求項１８】
前記高発現胞子形成プロモーターがσ−Ｋ胞子形成特異的ポリメラーゼプロモーター配列を含む請求項１７に記載の組成物。
【請求項１９】
前記胞子形成プロモーターが、配列番号：８５から１０３のいずれか一つの核酸配列と少なくとも８０％同一性を有する核酸配列を含む請求項１６から１８のいずれか１項に記載の組成物。
【請求項２０】
前記少なくとも一つの生物農薬が、リポペプチド産生性バチルス・サブチリス（Ｂａｃｉｌｌｕｓ  ｓｕｂｔｉｌｉｓ）株またはリポペプチド産生性バチルス・アミロリクエファシエンス（Ｂａｃｉｌｌｕｓ  ａｍｙｌｏｌｉｑｕｅｆａｃｉｅｎｓ）株である請求項１から１９のいずれか１項に記載の組成物。
【請求項２１】
前記バチルス・サブチリス（Ｂａｃｉｌｌｕｓ  ｓｕｂｔｉｌｉｓ）株またはバチルス・アミロリクエファシエンス（Ｂａｃｉｌｌｕｓ  ａｍｙｌｏｌｉｑｕｅｆａｃｉｅｎｓ）株が、バチルス・サブチリス（Ｂａｃｉｌｌｕｓ  ｓｕｂｔｉｌｉｓ）ＱＳＴ７１３、バチルス・サブチリス（Ｂａｃｉｌｌｕｓ  ｓｕｂｔｉｌｉｓ）ＭＢＩ６００、バチルス・アミロリクエファシエンス（Ｂａｃｉｌｌｕｓ  ａｍｙｌｏｌｉｑｕｅｆａｃｉｅｎｓ）Ｄ７４７、バチルス・アミロリクエファシエンス（Ｂａｃｉｌｌｕｓ  ａｍｙｌｏｌｉｑｕｅｆａｃｉｅｎｓ）ＦＺＢ４２、バチルス・サブチリス（Ｂａｃｉｌｌｕｓ  ｓｕｂｔｉｌｉｓ）ｖａｒ．アミロリクエファシエンス（ａｍｙｌｏｌｉｑｕｅｆａｃｉｅｎｓ）ＦＺＢ２４または個々の株の全ての識別特性を有するそれの突然変異体である請求項２０に記載の組成物。
【請求項２２】
前記少なくとも一つの生物農薬がバチルス・フィルムス（Ｂａｃｉｌｌｕｓ  ｆｉｒｍｕｓ）株Ｉ−１５８２である請求項１から１９のいずれか１項に記載の組成物。
【請求項２３】
請求項１から２２のいずれか１項に記載の組成物で処理された種子。
【請求項２４】
植物成長促進および／または植物の健康増進のための、請求項１から２３のいずれか１項に記載の組成物の使用。
【請求項２５】
従来植物もしくはトランスジェニック植物またはそれの種子を処理するための請求項２４に記載の使用。
【請求項２６】
植物、植物部分または植物周囲の場所を処理して植物成長を促進および／または植物の健康を増進する方法であって、相乗的に有効な量で、
ａ）
（ｉ）少なくとも一つの植物成長刺激タンパク質もしくはペプチド；および
（ｉｉ）標的配列、外膜タンパク質、または外膜タンパク質断片
を含む融合タンパク質を発現する組換え外膜産生性バチルス細胞；および
ｂ）リポペプチド産生性バチルス・サブチリス（Ｂａｃｉｌｌｕｓ  ｓｕｂｔｉｌｉｓ）株、リポペプチド産生性バチルス・アミロリクエファシエンス（Ｂａｃｉｌｌｕｓ  ａｍｙｌｏｌｉｑｕｅｆａｃｉｅｎｓ）株、バチルス・フィルムス（Ｂａｃｉｌｌｕｓ  ｆｉｒｍｕｓ）株またはバチルス・プミルス（Ｂａｃｉｌｌｕｓ  ｐｕｍｉｌｕｓ）株からなる群から選択される少なくとも一つの生物農薬
を同時または順次に施用する段階を有する方法。
【請求項２７】
前記標的配列または外膜タンパク質が、
配列番号１のアミノ酸２０から３５と少なくとも約４３％同一性を有するアミノ酸配列（アミノ酸２５から３５との同一性は少なくとも約５４％である。）；
配列番号１のアミノ酸１から３５を含む標的配列；
配列番号１のアミノ酸２０から３５を含む標的配列；
配列番号１のアミノ酸２２から３１を含む標的配列；
配列番号１のアミノ酸２２から３３を含む標的配列；
配列番号１のアミノ酸２０から３１を含む標的配列；
配列番号１を含む標的配列；または
配列番号２と少なくとも８５％同一性を有するアミノ酸配列を含む外膜タンパク質
を含む請求項２６に記載の方法。
【請求項２８】
相乗的に有効な量で、
ａ）
（ｉ）少なくとも一つの植物成長刺激タンパク質もしくはペプチド；および
（ｉｉ）標的配列、外膜タンパク質、または外膜タンパク質断片
を含む融合タンパク質を発現する組換え外膜産生性バチルス細胞；および
ｂ）段落［０１８９］から［０２３２］において本明細書で開示の特定の生物農薬のいずれかから選択される少なくとも一つの生物農薬
を含む組成物。
【請求項２９】
前記融合タンパク質がエンドグルカナーゼまたはホスホリパーゼを含み；前記標的配列が配列番号１のアミノ酸２０から３５と少なくとも約４３％同一性を有するアミノ酸配列（アミノ酸２５から３５との同一性は少なくとも約５４％である。）であり；前記組換えバチルス細胞がバチルス・ツリンギエンシス（Ｂａｃｉｌｌｕｓ  ｔｈｕｒｉｎｇｉｅｎｓｉｓ）もしくはバチルス・ミコイデス（Ｂａｃｉｌｌｕｓ  ｍｙｃｏｉｄｅｓ）由来である請求項２８に記載の組成物。
【請求項３０】
前記融合タンパク質が配列番号１０７を含み；前記標的配列が配列番号１のアミノ酸２０から３５を含み；前記バチルス・ツリンギエンシス（Ｂａｃｉｌｌｕｓ  ｔｈｕｒｉｎｇｉｅｎｓｉｓ）がバチルス・ツリンギエンシス（Ｂａｃｉｌｌｕｓ  ｔｈｕｒｉｎｇｉｅｎｓｉｓ）ＢＴ０１３Ａである請求項２９に記載の組成物。
【請求項３１】
前記融合タンパク質が配列番号１０８を含み；前記標的配列が配列番号１のアミノ酸２０から３５を含み；前記バチルス・ツリンギエンシス（Ｂａｃｉｌｌｕｓ  ｔｈｕｒｉｎｇｉｅｎｓｉｓ）がバチルス・ツリンギエンシス（Ｂａｃｉｌｌｕｓ  ｔｈｕｒｉｎｇｉｅｎｓｉｓ）ＢＴ０１３Ａである請求項２９に記載の組成物。
【発明の詳細な説明】
【技術分野】
【０００１】
関連出願の相互参照
本願は、２０１４年９月１７日出願の米国暫定特許出願６２／０５１，９１１（その内容は、参照によって全体が本明細書に組み込まれる。）に対する優先権を主張するものである。
【０００２】
電子的に提出された配列表への言及
配列表の公式コピーを、２０１５年９月１４日作成のファイル名「ＢＣＳ１４９０５７ＷＯ＿ＳＴ２５．ｔｘｔ」であってサイズが１５２キロバイトであるＡＳＣＩＩ様式配列表としてＥＦＳ−Ｗｅｂによって電子的に提出しており、本明細書と同時に提出している。このＡＳＣＩＩ様式文書に含まれる配列表は、本明細書の一部であり、参照によってそれの全体が本明細書に組み込まれるものである。
【０００３】
背景
発明の分野
本発明は、相乗的に効果的な量で、（ｉ）（ｘ）少なくとも一つの植物成長刺激タンパク質またはペプチド；および（ｙ）融合タンパク質をバチルス細胞の外膜に局在させる標的配列を含む融合タンパク質を発現する組換え外膜産生性バチルス細胞；および（ｉｉ）昆虫、ダニ、線虫および／または植物病原体に対する活性を向上させる能力を示す、本明細書に開示の特定の微生物および／または個々の株の全ての識別特性を有する本明細書に開示の微生物の特定の株の突然変異体、および／または植物の成長および／または健康、および／または個々の株によって産生される少なくとも一つの代謝物から選択される少なくとも一つのさらに別の生物農薬を含む組成物に関する。さらに本発明は、この組成物の使用ならびに植物成長を促進し、植物の健康を増進し、および／または植物および植物部分の全体的損傷を低減する方法に関するものである。
【背景技術】
【０００４】
作物保護では、植物の健康および／または成長を向上させる方途が常に必要とされている。一般に、健康度の高い植物の方がより高い収量をもたらし、および／または植物もしくはそれの産物の品質が高くなる。
【０００５】
植物の健康を増進するためには、無機物および有機物の両方に基づく肥料が世界的に用いられている。肥料は単一物質であるか組成物であることができ、栄養素を植物に提供するのに使用される。肥料使用の大きな躍進は、１８４０年ごろのＪｕｓｔｕｓ  ｖｏｎ  Ｌｉｅｂｉｇによる窒素肥料の開発であった。しかしながら肥料は、土壌の酸性化および土壌における栄養素バランスの不安定化、例えばミネラル不足や塩分および重金属の濃縮を生じる可能性がある。さらに、過剰な肥料使用は、土壌動物相の変化をもたらす可能性があり、さらには地上水および地下水を汚染し得る。さらに、硝酸塩などの健康に有害な物質が植物や果実で濃縮させることもあり得る。
【０００６】
さらに、殺虫剤および殺菌剤が、有害生物を防除するのに世界的に使用されている。合成殺虫剤または殺菌剤は多くの場合で非特異的であることから、他の天然の有益な生物を含む標的生物以外の生物に作用し得る。化学的性質のため、それらは毒性かつ非生物分解性でもあり得る。特に食品における化学物質の残留物に関連する環境問題および健康問題の可能性について、世界中の消費者の意識が高まっている。そのため、化学的（すなわち合成）農薬の使用または少なくとも量を減らすことへの消費者の圧力が大きくなっている。従って、有効な病害生物防除をなおも可能としながら、食物連鎖要件を管理する必要がある。
【発明の概要】
【発明が解決しようとする課題】
【０００７】
合成殺虫剤または殺菌剤の使用から生じるさらなる問題は、殺虫剤または殺菌剤の繰り返しおよび排他的施用によって抵抗性の有害動物もしくは微生物の選択を生じる場合が多いという点である。通常、そのような株は同じ作用機序を有する他の有効成分に対して交差抵抗性でもある。そうなると前記活性化合物による病原体の効果的防除はもはやできない。しかしながら、新たな作用機序を有する有効成分は、開発が困難かつ費用がかかる。
【０００８】
生物農薬（ＢＣＡ）の使用が、肥料や合成農薬に代わる選択肢である。場合により、ＢＣＡの有効性は、特には高い感染圧の場合には、肥料または従来の殺虫剤および殺菌剤の場合と同じレベルではない。結果的に、状況により、生物農薬、それらの突然変異体およびそれらによって産生される代謝物は、特に低施用量において、完全に満足なものとは限らない。従って、一部の領域で少なくとも上記の要件を満足する上で役立つ新たな代替の植物健康増進剤および／または植物保護剤を開発することが常に必要とされている。
【課題を解決するための手段】
【０００９】
これを考慮すると、特に、植物成長を向上させる能力および／または植物の健康を増進する能力が高められた、または昆虫、ダニ、線虫および／または植物病原体に対する高い活性を示す組成物を提供することが本発明の目的であった。
【００１０】
従って、これらの目的が、下記で定義の本発明による組成物によって達成されることが見出された。ａ）（ｉ）植物成長刺激性化合物の産生もしくは活性化に関与する酵素；細菌、真菌もしくは植物の栄養源を分解もしくは改変する酵素；および病原体もしくは有害生物から植物を保護するタンパク質もしくはペプチドからなる群から選択される少なくとも一つの植物成長刺激タンパク質もしくはペプチド；および（ｉｉ）融合タンパク質をバチルス細胞の外膜に局在させる標的配列を含む融合タンパク質を発現する組換え外膜産生性バチルス細胞；およびｂ）前記本発明による組換えバチルス細胞以外の本明細書で開示の少なくとも一つの特定の株を施用することで、好ましくは優加法的に（ｉ）植物成長、植物収量および／または植物の健康および／または（ｉｉ）昆虫、ダニ、線虫および／または植物病原体に対する活性を高める能力。
【００１１】
標的配列、外膜タンパク質、外膜タンパク質断片、融合タンパク質、およびそのような融合タンパク質を発現する組換え外膜産生性バチルス細胞について本明細書で言及することは、独立の実施形態であると見なすべきではない。そうではなく、本願を通じて、標的配列、外膜タンパク質、外膜タンパク質断片、融合タンパク質、およびそのような融合タンパク質を発現する組換え外膜産生性バチルス細胞についての言及は、１以上の本明細書に記載の特定の生物農薬との組み合わせで（好ましくは、相乗的組み合わせで）のみ開示および特許請求されるものと見なすべきである。さらに、「本明細書に開示の特定の微生物」または「本明細書に記載もしくは開示の特定の生物農薬」についての言及は、下記の段落［０００１８３］から［０００２２６］に記載の生物農薬および微生物、例えばそれの株、突然変異体および代謝物を包含するものである。
【００１２】
本発明は、相乗的に有効な量で、ａ）（ｉ）植物成長刺激性化合物の産生もしくは活性化に関与する酵素および細菌、真菌もしくは植物の栄養源を分解もしくは改変する酵素または病原体から植物を保護するタンパク質もしくはペプチドからなる群から選択される少なくとも一つの植物成長刺激タンパク質もしくはペプチド；および（ｉｉ）融合タンパク質をバチルス細胞の外膜に局在させる標的配列を含む融合タンパク質を発現する組換え外膜産生性バチルス細胞；およびｂ）昆虫、ダニ、線虫および／または植物病原体に対する活性を示す、少なくとも一つの本明細書に開示のさらなる異なる特定の生物農薬および／または個々の株の全ての識別特性を有する本明細書に開示の微生物の特定の株の突然変異体、および／または個々の株によって産生される少なくとも一つの代謝物を含む組成物に関する。
【００１３】
一部の実施形態において、前記標的配列は、配列番号１のアミノ酸２０から３５と少なくとも約４３％同一性を有するアミノ酸配列（アミノ酸２５から３５との同一性は少なくとも約５４％である。）；配列番号１のアミノ酸１から３５を含む標的配列；配列番号１のアミノ酸２０から３５を含む標的配列；配列番号１のアミノ酸２２から３１を含む標的配列；配列番号１のアミノ酸２２から３３を含む標的配列；配列番号１のアミノ酸２０から３１を含む標的配列；配列番号１を含む標的配列；または配列番号２と少なくとも８５％同一性を有するアミノ酸配列を含む外膜タンパク質を含む。
【００１４】
他の実施形態において、組換えバチルス細胞は、バチルス・セレウス（Ｂａｃｉｌｌｕｓ  ｃｅｒｅｕｓ）科構成員、例えばバチルス・アントラシス（Ｂａｃｉｌｌｕｓ  ａｎｔｈｒａｃｉｓ）、バチルス・セレウス（Ｂａｃｉｌｌｕｓ  ｃｅｒｅｕｓ）、バチルス・ツリンギエンシス（Ｂａｃｉｌｌｕｓ  ｔｈｕｒｉｎｇｉｅｎｓｉｓ）、バチルス・ミコイデス（Ｂａｃｉｌｌｕｓ  ｍｙｃｏｉｄｅｓ）、バチルス・シュードミコイデス（Ｂａｃｉｌｌｕｓ  ｐｓｅｕｄｏｍｙｃｏｉｄｅｓ）、バチルス・サマニイ（Ｂａｃｉｌｌｕｓ  ｓａｍａｎｉｉ）、バチルス・ガエモケンシス（Ｂａｃｉｌｌｕｓ  ｇａｅｍｏｋｅｎｓｉｓ）、バチルス・ウェイヘンステフェンシス（Ｂａｃｉｌｌｕｓ  ｗｅｉｈｅｎｓｔｅｐｈｅｎｓｉｓ）、バチルス・トヨイエンシスウェイヘンステフェンシス（Ｂａｃｉｌｌｕｓ  ｔｏｙｏｉｅｎｓｉｓ）およびそれらの組み合わせの細胞である。さらなる実施形態において、組換えバチルス細胞は、バチルス・ツリンギエンシス（Ｂａｃｉｌｌｕｓ  ｔｈｕｒｉｎｇｉｅｎｓｉｓ）ＢＴ０１３Ａの細胞である。
【００１５】
ある種の態様において、前記融合タンパク質は、アセトインレダクターゼ、インドール−３−アセトアミドヒドロラーゼ、トリプトファンモノオキシゲナーゼ、アセト乳酸シンターゼ、α−アセト乳酸デカルボキシラーゼ、ピルビン酸デカルボキシラーゼ、ジアセチルレダクターゼ、ブタンジオールデヒドロゲナーゼ、アミノトランスフェラーゼ、トリプトファンデカルボキシラーゼ、アミンオキシダーゼ、インドール−３−ピルビン酸デカルボキシラーゼ、インドール−３−アセトアルデヒドデヒドロゲナーゼ、トリプトファン側鎖オキシダーゼ、ニトリルヒドロラーゼ、ニトリラーゼ、ペプチダーゼ、プロテアーゼ、アデノシンリン酸イソペンテニルトランスフェラーゼ、ホスファターゼ、アデノシンキナーゼ、アデニンホスホリボシルトランスフェラーゼ、ＣＹＰ７３５Ａ、５′リボヌクレオチドホスホヒドロラーゼ、アデノシンヌクレオシダーゼ、ゼアチンシス−トランスイソメラーゼ、ゼアチンＯ−グルコシルトランスフェラーゼ、β−グルコシダーゼ、シス−ヒドロキシラーゼ、ＣＫシス−ヒドロキシラーゼ、ＣＫ  Ｎ−グルコシルトランスフェラーゼ、２，５−リボヌクレオチドホスホヒドロラーゼ、アデノシンヌクレオシダーゼ、プリンヌクレオシドホスホリラーゼ、ゼアチンレダクターゼ、ヒドロキシルアミンレダクターゼ、２−オキソグルタル酸ジオキシゲナーゼ、ジベレリン酸２Ｂ／３Ｂヒドロラーゼ、ジベレリン３−オキシダーゼ、ジベレリン２０−オキシダーゼ、キトサナーゼ、キチナーゼ、β−１，３−グルカナーゼ、β−１，４−グルカナーゼ、β−１，６−グルカナーゼ、アミノシクロプロパン−１−カルボン酸デアミナーゼ、およびノッド因子産生に関与する酵素からなる群から選択される植物成長刺激性化合物の産生もしくは活性化に関与する酵素を含む。
【００１６】
他の態様において、前記融合タンパク質は、セルラーゼ、リパーゼ、リグニンオキシダーゼ、プロテアーゼ、グリコシドヒドロラーゼ、ホスファターゼ、ニトロゲナーゼ、ヌクレアーゼ、アミダーゼ、硝酸レダクターゼ、亜硝酸レダクターゼ、アミラーゼ、アンモニアオキシダーゼ、リグニナーゼ、グルコシダーゼ、ホスホリパーゼ、フィターゼ、ペクチナーゼ、グルカナーゼ、スルファターゼ、ウレアーゼ、キシラナーゼ、およびシデロホアからなる群から選択される細菌、真菌もしくは植物の栄養源を分解もしくは改変する酵素を含む。
【００１７】
一部の実施形態において、前記融合タンパク質は、標的配列に固有の胞子形成プロモーター、外膜タンパク質または融合タンパク質の外膜タンパク質断片の制御下に発現される。融合タンパク質は、高発現胞子形成プロモーターの制御下に発現することができる。ある種の態様において、高発現胞子形成プロモーターは、σ−Ｋ胞子形成特異的ポリメラーゼプロモーター配列を含む。他の態様において、胞子形成プロモーターは、配列番号８５から１０３のいずれか一つの核酸配列と少なくとも８０％同一性、少なくとも８５％同一性、少なくとも９０％同一性、少なくとも９５％同一性、少なくとも９６％同一性、少なくとも９７％同一性、少なくとも９８％同一性、または少なくとも９９％同一性を有する核酸配列を含む。一部の実施形態において、胞子形成プロモーターは、配列番号８５から１０３のいずれか一つの核酸配列と１００％同一性を有する核酸配列を含む。
【００１８】
他の実施形態において、前記少なくとも一つの生物農薬は、フェンギシンまたはプリパスタチン型化合物、イツリン型化合物、および／またはサーファクチン型化合物を産生するバチルス・サブチリス（Ｂａｃｉｌｌｕｓ  ｓｕｂｔｉｌｉｓ）またはバチルス・アミロリクエファシエンス（Ｂａｃｉｌｌｕｓ  ａｍｙｌｏｌｉｑｕｅｆａｃｉｅｎｓ）株である。背景に関しては、次の総覧論文：Ｏｎｇｅｎａ，  Ｍ．，  ｅｔ  ａｌ．，  ″Ｂａｃｉｌｌｕｓ  Ｌｉｐｏｐｅｐｔｉｄｅｓ：    Ｖｅｒｓａｔｉｌｅ  Ｗｅａｐｏｎｓ  ｆｏｒ  Ｐｌａｎｔ  Ｄｉｓｅａｓｅ  Ｂｉｏｃｏｎｔｒｏｌ，″  Ｔｒｅｎｄｓ  ｉｎ  Ｍｉｃｒｏｂｉｏｌｏｇｙ，  Ｖｏｌ  １６，  Ｎｏ．  ３，  Ｍａｒｃｈ  ２００８，  ｐｐ．  １１５−１２５を参照する。リポペプチドを産生することができるバチルス（Ｂａｃｉｌｌｕｓ）株には、バチルス・サブチリス（Ｂａｃｉｌｌｕｓ  ｓｕｂｔｉｌｉｓ）ＱＳＴ７１３、バチルス・アミロリクエファシエンス（Ｂａｃｉｌｌｕｓ  ａｍｙｌｏｌｉｑｕｅｆａｃｉｅｎｓ）株Ｄ７４７（Ｅｔｅｃ  Ｃｒｏｐ  Ｓｏｌｕｔｉｏｎｓ，  ＮＺからＢＡＣＳＴＡＲ（登録商標）として入手可能、そしてＣｅｒｔｉｓ，  ＵＳからＤＯＵＢＬＥ  ＮＩＣＫＥＬ（商標名）としても入手可能）；バチルス・サブチリス（Ｂａｃｉｌｌｕｓ  ｓｕｂｔｉｌｉｓ）ＭＢＩ６００（Ｂｅｃｋｅｒ  Ｕｎｄｅｒｗｏｏｄ，  ＵＳからＳＵＢＴＩＬＥＸ（登録商標）として入手可能、ＥＰＡ登録番号７１８４０−８）；バチルス・サブチリス（Ｂａｃｉｌｌｕｓ  ｓｕｂｔｉｌｉｓ）Ｙ１３３６（Ｂｉｏｎ−Ｔｅｃｈ，  ＴａｉｗａｎからＢＩＯＢＡＣ（登録商標）ＷＰとして入手可能、登録番号４７６４、５４５４、５０９６および５２７７下に台湾で生物殺菌剤として登録）；バチルス・アミロリクエファシエンス（Ｂａｃｉｌｌｕｓ  ａｍｙｌｏｌｉｑｕｅｆａｃｉｅｎｓ）、特に株ＦＺＢ４２（ＡＢｉＴＥＰ，  ＤＥからＲＨＩＺＯＶＩＴＡＬ（登録商標）として入手可能）；および殺菌剤ＴＡＥＧＲＯ（登録商標）またはＴＡＥＧＲＯ（登録商標）ＥＣＯ（ＥＰＡ登録番号７０１２７−５）としてＮｏｖｏｚｙｍｅｓ  Ｂｉｏｌｏｇｉｃａｌｓ  Ｉｎｃ．（Ｓａｌｅｍ，  Ｖｉｒｇｉｎｉａ）またはＳｙｎｇｅｎｔａ  Ｃｒｏｐ  Ｐｒｏｔｅｃｔｉｏｎ，  ＬＬＣ（Ｇｒｅｅｎｓｂｏｒｏ，  Ｎｏｒｔｈ  Ｃａｒｏｌｉｎａ）から入手可能であるバチルス・サブチリス（Ｂａｃｉｌｌｕｓ  ｓｕｂｔｉｌｉｓ）ｖａｒ．アミロリクエファシエンス（ａｍｙｌｏｌｉｑｕｅｆａｃｉｅｎｓ）ＦＺＢ２４などがある。
【００１９】
さらに他の実施形態において、前記少なくとも一つの生物農薬は、昆虫、ダニ、線虫および／または植物病原体に対する活性を示す、バチルス・プミルス（Ｂａｃｉｌｌｕｓ  ｐｕｍｉｌｕｓ）株ＱＳＴ２８０８、バチルス・サブチリス（Ｂａｃｉｌｌｕｓ  ｓｕｂｔｉｌｉｓ）株ＱＳＴ７１３、バチルス・サブチリス（Ｂａｃｉｌｌｕｓ  ｓｕｂｔｉｌｉｓ）株ＱＳＴ３０００２、バチルス・サブチリス（Ｂａｃｉｌｌｕｓ  ｓｕｂｔｉｌｉｓ）株ＱＳＴ３０００４、ストレプトミセス・ミクロフラブス（Ｓｔｒｅｐｔｏｍｙｃｅｓ  ｍｉｃｒｏｆｌａｖｕｓ）株ＮＲＲＬ  Ｂ−５０５５０、ストレプトミセス・ミクロフラブス（Ｓｔｒｅｐｔｏｍｙｃｅｓ  ｍｉｃｒｏｆｌａｖｕｓ）株Ｍ、バチルス・フィルムス（Ｂａｃｉｌｌｕｓ  ｆｉｒｍｕｓ）株Ｉ−１５８２、個々の株の全ての識別特性を有するそれの突然変異体、および個々の株によって産生される少なくとも一つの代謝物からなる群から選択される。
【００２０】
一部の実施形態において、本発明の組成物は、相乗的に有効な量でａ）（ｉ）植物成長刺激性化合物の産生もしくは活性化に関与する酵素および細菌、真菌もしくは植物の栄養源を分解もしくは改変する酵素；または病原体から植物を保護するタンパク質もしくはペプチドからなる群から選択される少なくとも一つの植物成長刺激タンパク質もしくはペプチド；および（ｉｉ）融合タンパク質をバチルス細胞の外膜に局在させる標的配列を含む融合タンパク質を発現する組換え外膜産生性バチルス細胞；およびｂ）バチルス・フィルムス（Ｂａｃｉｌｌｕｓ  ｆｉｒｍｕｓ）株Ｉ−１５８２を含む。
【００２１】
一部の実施形態において、本発明の組成物は、相乗的に有効な量でａ）（ｉ）植物成長刺激性化合物の産生もしくは活性化に関与する酵素および細菌、真菌もしくは植物の栄養源を分解もしくは改変する酵素または植物を病原体から保護する少なくとも一つのタンパク質もしくはペプチドからなる群から選択される少なくとも一つの植物成長刺激タンパク質もしくはペプチド；および（ｉｉ）融合タンパク質をバチルス細胞の外膜に局在させる標的配列を含む融合タンパク質を発現する組換え外膜産生性バチルス細胞；およびｂ）バチルス・サブチリス（Ｂａｃｉｌｌｕｓ  ｓｕｂｔｉｌｉｓ）株ＱＳＴ７１３を含む。
【００２２】
一部の実施形態において、本発明の組成物は、相乗的に有効な量でａ）（ｉ）植物成長刺激性化合物の産生もしくは活性化に関与する酵素および細菌、真菌もしくは植物の栄養源を分解もしくは改変する酵素または植物を病原体から保護する少なくとも一つのタンパク質もしくはペプチドからなる群から選択される少なくとも一つの植物成長刺激タンパク質もしくはペプチド；および（ｉｉ）融合タンパク質をバチルス細胞の外膜に局在させる標的配列を含む融合タンパク質を発現する組換え外膜産生性バチルス細胞；およびｂ）バチルス・プミルス（Ｂａｃｉｌｌｕｓ  ｐｕｍｉｌｕｓ）株ＱＳＴ２８０８を含む。
【００２３】
さらに別の実施形態において、当該組成物はさらに、ｃ）少なくとも一つの殺菌剤および／またはｄ）少なくとも一つの殺虫剤を含む。前記少なくとも一つの殺菌剤および／または前記少なくとも一つの殺虫剤は合成物であることができる。そのような実施形態の１態様において、そのような組成物の生物農薬および別の殺虫剤は、それぞれバチルス・フィルムス（Ｂａｃｉｌｌｕｓ  ｆｉｒｍｕｓ）株Ｉ−１５８２およびクロチアニジンを含む。
【００２４】
上記実施形態の特定の態様において、（ｉ）前記生物農薬は、バチルス・サブチリス（Ｂａｃｉｌｌｕｓ  ｓｕｂｔｉｌｉｓ）ＱＳＴ７１３の全ての識別特性および／またはバチルス・サブチリス（Ｂａｃｉｌｌｕｓ  ｓｕｂｔｉｌｉｓ）ＱＳＴ７１３と少なくとも９５％または少なくとも９８％配列同一性を有するバチルス・サブチリス（Ｂａｃｉｌｌｕｓ  ｓｕｂｔｉｌｉｓ）ＱＳＴ７１３または突然変異体であり；（ｉｉ）前記標的配列は、配列番号１のアミノ酸２０から３５と少なくとも約４３％同一性を有するアミノ酸配列（アミノ酸２５から３５との同一性は少なくとも約５４％である。）を含み；（ｉｉｉ）前記植物成長刺激タンパク質またはペプチドは、好ましくは、それぞれ配列番号１０７、１０８および１０９と少なくとも９５％配列同一性を有するエンドグルカナーゼ、ホスホリパーゼまたはキトシナーゼ（ｃｈｉｔｏｓｉｎａｓｅ）を含み；（ｉｖ）前記組換えバチルス・セレウス（Ｂａｃｉｌｌｕｓ  ｃｅｒｅｕｓ）科構成員細胞は、バチルス・ツリンギエンシス（Ｂａｃｉｌｌｕｓ  ｔｈｕｒｉｎｇｉｅｎｓｉｓ）またはバチルス・ミコイデス（Ｂａｃｉｌｌｕｓ  ｍｙｃｏｉｄｅｓ）の細胞を含む。さらに別の特定の実施形態において、前記組換えバチルス・セレウス（Ｂａｃｉｌｌｕｓ  ｃｅｒｅｕｓ）科構成員細胞は、バチルス・ツリンギエンシス（Ｂａｃｉｌｌｕｓ  ｔｈｕｒｉｎｇｉｅｎｓｉｓ）ＢＴ０１３Ａの細胞である。
【００２５】
上記実施形態の特定の態様において、（ｉ）前記生物農薬は、バチルス・フィルムス（Ｂａｃｉｌｌｕｓ  ｆｉｒｍｕｓ）Ｉ−１５８２の全ての識別特性および／または少なくとも９５％またはバチルス・フィルムス（Ｂａｃｉｌｌｕｓ  ｆｉｒｍｕｓ）Ｉ−１５８２と少なくとも９８％配列同一性を有するバチルス・フィルムス（Ｂａｃｉｌｌｕｓ  ｆｉｒｍｕｓ）Ｉ−１５８２または突然変異体であり；（ｉｉ）前記標的配列は配列番号１のアミノ酸２０から３５と少なくとも約４３％同一性を有するアミノ酸配列（アミノ酸２５から３５との同一性は少なくとも約５４％である。）を含み；（ｉｉｉ）前記植物成長刺激タンパク質またはペプチドは、好ましくはそれぞれ配列番号１０７、１０８および１０９と少なくとも９５％または少なくとも９８％配列同一性を有するエンドグルカナーゼ、ホスホリパーゼまたはキトシナーゼ（ｃｈｉｔｏｓｉｎａｓｅ）を含み；（ｉｖ）前記組換えバチルス・セレウス（Ｂａｃｉｌｌｕｓ  ｃｅｒｅｕｓ）科構成員細胞は、バチルス・ツリンギエンシス（Ｂａｃｉｌｌｕｓ  ｔｈｕｒｉｎｇｉｅｎｓｉｓ）またはバチルス・ミコイデス（Ｂａｃｉｌｌｕｓ  ｍｙｃｏｉｄｅｓ）の細胞を含む。さらに別の特定の実施形態において、前記組換えバチルス・セレウス（Ｂａｃｉｌｌｕｓ  ｃｅｒｅｕｓ）科構成員細胞は、バチルス・ツリンギエンシス（Ｂａｃｉｌｌｕｓ  ｔｈｕｒｉｎｇｉｅｎｓｉｓ）ＢＴ０１３Ａの細胞である。この実施形態のさらに別の態様において、前記組成物はさらに、クロチアニジンを含む。
【００２６】
上記実施形態の特定の態様において、（ｉ）前記生物農薬は、バチルス・プミルス（Ｂａｃｉｌｌｕｓ  ｐｕｍｉｌｕｓ）ＱＳＴ２８０８の全ての識別特性および／またはバチルス・プミルス（Ｂａｃｉｌｌｕｓ  ｐｕｍｉｌｕｓ）ＱＳＴ２８０８と少なくとも９５％または少なくとも９８％配列同一性を有するバチルス・プミルス（Ｂａｃｉｌｌｕｓ  ｐｕｍｉｌｕｓ）ＱＳＴ２８０８または突然変異体であり；（ｉｉ）前記標的配列は、配列番号１のアミノ酸２０から３５と少なくとも約４３％同一性を有するアミノ酸配列（アミノ酸２５から３５との同一性は少なくとも約５４％である。）を含み；（ｉｉｉ）前記植物成長刺激タンパク質またはペプチドは、好ましくはそれぞれ配列番号１０７、１０８および１０９と少なくとも９５％または少なくとも９８％配列同一性を有するエンドグルカナーゼ、ホスホリパーゼまたはキトシナーゼ（ｃｈｉｔｏｓｉｎａｓｅ）を含み；（ｉｖ）前記組換えバチルス・セレウス（Ｂａｃｉｌｌｕｓ  ｃｅｒｅｕｓ）科構成員細胞は、バチルス・ツリンギエンシス（Ｂａｃｉｌｌｕｓ  ｔｈｕｒｉｎｇｉｅｎｓｉｓ）またはバチルス・ミコイデス（Ｂａｃｉｌｌｕｓ  ｍｙｃｏｉｄｅｓ）の細胞を含む。さらに別の特定の実施形態において、前記組換えバチルス・セレウス（Ｂａｃｉｌｌｕｓ  ｃｅｒｅｕｓ）科構成員細胞は、バチルス・ツリンギエンシス（Ｂａｃｉｌｌｕｓ  ｔｈｕｒｉｎｇｉｅｎｓｉｓ）ＢＴ０１３Ａの細胞である。
【００２７】
一部の態様において、前記組成物はさらに、増量剤、溶媒、自発性促進剤、担体、乳化剤、分散剤、凍結保護剤、増粘剤およびアジュバントからなる群から選択される少なくとも一つの補助剤を含む。
【００２８】
他の態様において、本発明は、本明細書に開示の組成物のいずれかで処理された種子に関するものである。
【００２９】
さらに本発明は、殺菌剤および／または殺虫剤としての開示の組成物の使用に関する。ある種の態様において、開示の組成物を、昆虫、ダニ、線虫および／または植物病原体によって引き起こされる植物および植物部分の全体的損傷ならびに収穫された果実もしくは野菜の損失を減らすのに用いる。他の態様において、開示の組成物を、植物成長を促進し、および／または植物の健康を増進するのに用いる。
【００３０】
さらに、本発明は、植物、植物部分および／または植物生育場所に同時もしくは順次に、相乗的に有効な量でａ）（ｉ）植物成長刺激性化合物の産生もしくは活性化に関与する酵素；細菌、真菌もしくは植物の栄養源を分解もしくは改変する酵素；および病原体から植物を保護するタンパク質もしくはペプチドからなる群から選択される少なくとも一つの植物成長刺激タンパク質もしくはペプチド；および（ｉｉ）融合タンパク質をバチルス細胞の外膜に局在させる標的配列を含む融合タンパク質を発現する組換え外膜産生性バチルス細胞；およびｂ）昆虫、ダニ、線虫および／または植物病原体に対して活性を示す、本明細書に開示の少なくとも一つの生物農薬および／または個々の株の全ての識別特性を有する本明細書に開示の微生物の特定の株の突然変異体、および／または個々の株によって産生される少なくとも一つの代謝物、および／または個々の株によって産生される少なくとも一つの代謝物を施用する段階を含む、植物、植物部分、例えば種子、根、根茎、球茎、鱗茎、または塊茎、および／または土壌などの植物もしくは植物部分が成長する場所もしくはその近くの場所を処理して、植物成長を促進および／または植物の健康を増進する方法に関する。
【００３１】
別の実施形態において、本発明は、植物、植物部分、例えば種子、根、根茎、球茎、鱗茎、または塊茎、および／または土壌などの植物もしくは植物部分が成長する場所もしくはその近くの場所に同時もしくは順次に、相乗的に有効な量でａ）（ｉ）植物成長刺激性化合物の産生もしくは活性化に関与する酵素；細菌、真菌もしくは植物の栄養源を分解もしくは改変する酵素；および病原体から植物を保護するタンパク質もしくはペプチドからなる群から選択される少なくとも一つの植物成長刺激タンパク質もしくはペプチド；および（ｉｉ）融合タンパク質をバチルス細胞の外膜に局在させる標的配列を含む融合タンパク質を発現する組換え外膜産生性バチルス細胞；およびｂ）昆虫、ダニ、線虫および／または植物病原体に対して活性を示す、本明細書に開示の少なくとも一つの生物農薬および／または個々の株の全ての識別特性を有する本明細書に開示の微生物の特定の株の突然変異体、および／または個々の株によって産生される少なくとも一つの代謝物、および／または個々の株によって産生される少なくとも一つの代謝物を施用する段階を含む、昆虫、ダニ、線虫および／または植物病原体によって引き起こされる植物および植物部分の全体的損傷ならびに収穫された果実もしくは野菜の損失を低減する方法である。
【００３２】
上記の段落において、「含む」またはそれのいずれかの派生語（例えば、含有する、含んでいる）という用語は、「からなる」またはそれの適用可能な相当する派生語によって置き換えることができる。
【図面の簡単な説明】
【００３３】
【図１】バチルス・アントラシス（Ｂａｃｉｌｌｕｓ  ａｎｔｈｒａｃｉｓ）スターン（Ｓｔｅｒｎｅ）株ＢｃｌＡのアミノ末端部分のアミノ酸配列の配置を、バチルス・セレウス（Ｂａｃｉｌｌｕｓ  ｃｅｒｅｕｓ）科構成員からの各種外膜タンパク質からの相当する領域とともに示す図
【発明を実施するための形態】
【００３４】
概して、「農薬性」とは物質が植物病害生物の死亡率を高める能力または成長速度を阻害する能力を意味する。その用語は本明細書において、ある物質が昆虫、ダニ、線虫および／または植物病原体に対する活性を示す特性を説明するのに用いられる。本発明の意味において、「病害生物」という用語は、昆虫、ダニ、線虫および／または植物病原体を含む。
【００３５】
本明細書で使用される場合、「生物防除」は、第２の生物を使用することによる病原体および／または昆虫および／またはコナダニおよび／または線虫の防除として定義される。生物防除の既知の機序には、根の表面上の空間または養分について真菌を殺すことによって根が腐るのを抑制する細菌などがある。抗生物質などの細菌毒素が病原体防除に使用されてきた。その毒素を単離し、植物に直接施用することができるか、その細菌種を投与することで、それがその毒をイン・サイツで産生するようにすることができる。生物防除を行う他の手段には、標的の植物病原体、昆虫、ダニまたは線虫に対して活性である成分を産生する、または標的の有害生物／病原体を攻撃するある種の真菌の施用などがある。本発明に関連して使用される「生物防除」は、植物の健康、成長、活力、ストレス応答または収量に対する有益な効果を有する微生物も包含し得る。施用経路には、噴霧施用、土壌施用および種子処理などがある。
【００３６】
「代謝物」という用語は、農薬活性、殺菌活性もしくは殺線虫活性、または植物の健康を増進し、または植物収量を高める能力を有する化合物、物質または前記微生物の発酵の副生成物を指す。「突然変異体」という用語は、親菌株の変異体ならびに親菌株によって発現される活性より農薬活性が高い突然変異体または変異体を指す。「親菌株」は本明細書において、突然変異前の原菌株または寄託された株と定義される。そのような突然変異体を得るため、親菌株を、Ｎ−メチル−Ｎ′−ニトロ−Ｎ−ニトロソグアニジン、エチルメタンスルホンなどの化学物質で、またはγ線、Ｘ線もしくはＵＶ照射を用いる照射を行い、または当業者に公知の他の手段によって処理することができる。
【００３７】
「変異体」とは、この文で指定のＮＲＲＬもしくはＡＴＣＣ寄託番号の全ての識別特性を有する菌株であり、高厳密性の条件下でＮＲＲＬもしくはＡＴＣＣ寄託番号のゲノムにハイブリダイゼーションするゲノムを有するものとして識別することができる。
【００３８】
「ハイブリダイゼーション」とは、１以上のポリヌクレオチドが反応して、ヌクレオチド残基の塩基間における水素結合を介して安定化させる複合体を形成する反応を指す。水素結合は、ワトソン・クリック塩基対形成によって、フーグスティーン結合によって、または他のいずれか配列特異的形態で生じ得る。その複合体は、二本鎖構造を形成する２本の鎖、多重鎖複合体を形成する３本以上の鎖、単一の自己ハイブリダイゼーション鎖、またはこれらのいずれかの組み合わせを含むことができる。ハイブリッド形成反応は、異なる「厳密性」の条件下で行うことができる。概して、低厳密性ハイブリダイゼーション反応は、１０×ＳＳＣまたは等価なイオン強度／温度の溶液中約４０℃で行う。中等度厳密性ハイブリダイゼーションは代表的には、６×ＳＳＣ中約５０℃で行い，高厳密性ハイブリダイゼーション反応は通常、１×ＳＳＣ中約６０℃で行う。
【００３９】
指定のＮＲＲＬもしくはＡＴＣＣ寄託番号の変異体も、指定のＮＲＲＬもしくはＡＴＣＣ寄託番号のゲノムと８５％強、より好ましくは９０％強、またはより好ましくは９５％強の配列同一性であるゲノム配列を有する菌株と定義することができる。ポリヌクレオチドもしくはポリヌクレオチド領域（またはポリペプチドもしくはポリペプチド領域）は、別の配列に対してある一定のパーセント（例えば、８０％、８５％、９０％、９５％、９６％、９７％、９８％または９９％）の「配列同一性」を有しており、それは、アラインメントさせた場合に、塩基（またはアミノ酸）のそのパーセントが二つの配列を比較して同一であることを意味するものである。このアラインメントおよび相同性もしくは配列同一性パーセントは、当業界で公知のソフトウェアプログラム、例えばＣｕｒｒｅｎｔ  Ｐｒｏｔｏｃｏｌｓ  ｉｎ  Ｍｏｌｅｃｕｌａｒ  Ｂｉｏｌｏｇｙ  （Ｆ．  Ｍ．  Ａｕｓｕｂｅｌ  ｅｔ  ａｌ．，  ｅｄｓ．，  １９８７）  Ｓｕｐｐｌｅｍｅｎｔ  ３０，  Ｓｅｃｔｉｏｎ  ７．  ７．  １８、表７．７．１に記載のものを用いて求めることができる。
【００４０】
ＮＲＲＬは、住所がＮａｔｉｏｎａｌ  Ｃｅｎｔｅｒ  ｆｏｒ  Ａｇｒｉｃｕｌｔｕｒａｌ  Ｕｔｉｌｉｚａｔｉｏｎ  Ｒｅｓｅａｒｃｈ，  Ａｇｒｉｃｕｌｔｕｒａｌ  Ｒｅｓｅａｒｃｈ  Ｓｅｒｖｉｃｅ，  Ｕ．Ｓ．  Ｄｅｐａｒｔｍｅｎｔ  ｏｆ  Ａｇｒｉｃｕｌｔｕｒｅ，  １８１５  Ｎｏｒｔｈ  Ｕｎｉｖｅｒｓｉｔｙ  Ｓｔｒｅｅｔ，  Ｐｅｒｏｉａ，  Ｉｌｌｉｎｏｉｓ  ６１６０４  Ｕ．Ｓ．ＡであるＡｇｒｉｃｕｌｔｕｒａｌ  Ｒｅｓｅａｒｃｈ  Ｓｅｒｖｉｃｅ  Ｃｕｌｔｕｒｅ  Ｃｏｌｌｅｃｔｉｏｎの略称である。
【００４１】
ＡＴＣＣは、住所がＡＴＣＣ  Ｐａｔｅｎｔ  Ｄｅｐｏｓｉｔｏｒｙ，  １０８０１  Ｕｎｉｖｅｒｓｉｔｙ  Ｂｏｕｌｅｖａｒｄ，  Ｍａｎａｓｓａｓ，  Ｖｉｒｇｉｎｉａ  １０１１０，  Ｕ．Ｓ．ＡであるＡｍｅｒｉｃａｎ  Ｔｙｐｅ  Ｃｕｌｔｕｒｅ  Ｃｏｌｌｅｃｔｉｏｎの略称である。
【００４２】
ＣＮＣＭは、住所がＩｎｓｔｉｔｕｔ  Ｐａｓｔｅｕｒ、２５  Ｒｕｅ  ｄｕ  Ｄｏｃｔｅｕｒ  Ｒｏｕｘ，  Ｆ−７５７２４  Ｐａｒｉｓ  Ｃｅｄｅｘ  １５，  ＦｒａｎｃｅであるＣｏｌｌｅｃｔｉｏｎ  Ｎａｔｉｏｎａｌｅ  ｄｅ  Ｃｕｌｔｕｒｅｓ  ｄｅ  Ｍｉｃｒｏｏｒｇａｎｉｓｍｅｓ，  Ｉｎｓｔｉｔｕｔｅ  Ｐａｓｔｅｕｒ，  Ｆｒａｎｃｅの略称である。
【００４３】
本明細書に記載され、頭にＮＲＲＬ、ＡＴＣＣまたはＣＮＣＭが付く寄託番号を有する株はいずれも、特許手続きのための微生物の寄託の国際承認に関するブダペスト条約による上記個々の寄託機関に寄託されたものである。
【００４４】
「植物成長刺激化合物の産生もしくは活性化に関与する酵素」には、植物成長を刺激し、植物構造を変える化合物の生合成経路におけるいずれかの段階を触媒する酵素、または植物成長を刺激し、植物構造を変える化合物の不活性もしくは低活性誘導体の、その化合物の活性型もしくは高活性型への変換を触媒する酵素などがある。そのような化合物には、例えば、小分子植物ホルモン、例えばオーキシン類およびサイトカイニン類、生理活性ペプチド類、および根圏において細菌もしくは真菌によって合成される植物成長刺激性小分子（例えば、２，３−ブタンジオール）などがあるが、これらに限定されるものではない。
【００４５】
本明細書で使用される「植物免疫系エンハンサータンパク質もしくはペプチド」には、植物の免疫系に対して有益な効果を有するタンパク質またはペプチドなどがある。
【００４６】
本明細書で使用される「植物成長刺激タンパク質またはペプチド」という用語は、そのタンパク質またはペプチドに曝露された植物における植物成長を高めるタンパク質またはペプチドを含む。
【００４７】
「植物成長を増進」および「植物成長を刺激」という用語は、本明細書において互換的に使用され、植物の高さ、重量、葉の大きさ、根の大きさ、または茎の大きさのうちの少なくとも一つを高めたり増加させて、植物からのタンパク質収量を増加させたり、植物の穀物収量を増加させる能力を指す。
【００４８】
本明細書で使用される「病原体から植物を保護するタンパク質もしくはペプチド」は、そのタンパク質またはペプチドに曝露された植物を、病原体感染に対して低感受性とするタンパク質またはペプチドを含む。
【００４９】
本明細書で使用される「植物におけるストレス抵抗性を高めるタンパク質もしくはペプチド」は、そのタンパク質またはペプチドに曝露された植物を、ストレスに対して高抵抗性とするタンパク質またはペプチドを含む。
【００５０】
「植物結合性タンパク質もしくはペプチド」という用語は、植物のいずれかの部分（例えば、根または植物の地上部分、例えば葉、枝葉、茎、花または果実）または植物体に特異的または非特異的に結合することができるペプチドまたはタンパク質を指す。
【００５１】
本明細書で使用される「標的配列」という用語は、バチルス・セレウス（Ｂａｃｉｌｌｕｓ  ｃｅｒｅｕｓ）科構成員の外膜へのより長いポリペプチドまたはタンパク質の局在化をもたらすポリペプチド配列を指す。
【００５２】
融合タンパク質を発現する組換え外膜産生性バチルス細胞
融合タンパク質は、バチルス・セレウス（Ｂａｃｉｌｌｕｓ  ｃｅｒｅｕｓ）科構成員の外膜への融合タンパク質を標的とする標的配列、外膜タンパク質、または外膜タンパク質断片ならびに（ａ）植物成長刺激タンパク質またはペプチド；（ｂ）病原体から植物を保護するタンパク質もしくはペプチド；（ｃ）植物のストレス抵抗性を促進するタンパク質またはペプチド；（ｄ）植物結合性タンパク質またはペプチド；または（ｅ）植物免疫系エンハンサータンパク質またはペプチドを含む。バチルス・セレウス（Ｂａｃｉｌｌｕｓ  ｃｅｒｅｕｓ）科構成員細菌で発現される場合、これらの融合タンパク質は、胞子の外膜層を標的とするものであり、そのタンパク質またはペプチドが胞子の外側に露出するような物理的配置となっている。
【００５３】
このバチルス外膜露出（ＢＥＭＤ）系を用いて、植物に（例えば、植物の枝葉、果実、花、茎または根に）、または土壌などの植物成長媒体にペプチド類、酵素類および他のタンパク質を送達することができる。このようにして土壌または別の植物成長媒体に送達されるペプチド類、酵素類、およびタンパク質は、長期間にわたってその土壌で生き残り、活性を示す。本明細書に記載の融合タンパク質を発現する組換え外膜産生性バチルス細胞の土壌もしくは植物の根圏に導入することで、多くの異なる土壌条件での植物成長が効果的に促進される。これら酵素を増やす上でのＢＥＭＤの使用によって、それらの酵素は、植物寿命の最初の数ヶ月にわたり、その植物および根圏に対して有益な結果をもたらすことができる。
【００５４】
標的配列、外膜タンパク質、および外膜タンパク質断片
参照しやすいように、本明細書で言及されるペプチドおよびタンパク質配列についての配列番号を、下記の表１に挙げてある。
【００５５】
表１．ペプチドおよびタンパク質配列
【表１】
2017530965.tif 000003
2017530965.tif 000004
2017530965.tif 000005
2017530965.tif 000006
2017530965.tif 000007
2017530965.tif 000008
2017530965.tif 000009
【００５６】
ＡＡ＝アミノ酸
＊Ｂ．アントラシス（Ｂ．  ａｎｔｈｒａｃｉｓ）スターン（Ｓｔｅｒｎｅ）株ＢｃｌＡは、Ｂ．ツリンギエンシス（Ｂ．  ｔｈｕｒｉｎｇｉｅｎｓｉｓ）ＢｃｌＡと１００％配列同一性を有する。従って、配列番号１、２および５９は、それぞれＢ．ツリンギエンシス（Ｂ．  ｔｈｕｒｉｎｇｉｅｎｓｉｓ）ＢｃｌＡのアミノ酸１から４１、全長Ｂ．ツリンギエンシス（Ｂ．  ｔｈｕｒｉｎｇｉｅｎｓｉｓ）ＢｃｌＡ、およびＢ．ツリンギエンシス（Ｂ．  ｔｈｕｒｉｎｇｉｅｎｓｉｓ）ＢｃｌＡのアミノ酸１から１９６も表す。同様に、配列番号６０は、Ｂ．ツリンギエンシス（Ｂ．  ｔｈｕｒｉｎｇｉｅｎｓｉｓ）ＢｃｌＡのメチオニン残基とアミノ酸２０から３５も表す。
【００５７】
＊＊Ｂ．ミコイデス（Ｂ．  ｍｙｃｏｉｄｅｓ）仮想タンパク質ＴＩＧＲ０３７２０は、Ｂ．ミコイデス（Ｂ．  ｍｙｃｏｉｄｅｓ）仮想タンパク質ＷＰ００３１８９２３４と１００％配列同一性を有する。従って、配列番号：５７および５８は、それぞれＢ．ミコイデス（Ｂ．  ｍｙｃｏｉｄｅｓ）仮想タンパク質ＷＰ００３１８９２３４のアミノ酸１から１３６および全長Ｂ．ミコイデス（Ｂ．  ｍｙｃｏｉｄｅｓ）仮想タンパク質ＷＰ００３１８９２３４も表す。
【００５８】
バチルスは、桿菌の属である。バチルス・セレウス（Ｂａｃｉｌｌｕｓ  ｃｅｒｅｕｓ）科の細菌には、属種バチルス・アントラシス（Ｂａｃｉｌｌｕｓ  ａｎｔｈｒａｃｉｓ）、バチルス・セレウス（Ｂａｃｉｌｌｕｓ  ｃｅｒｅｕｓ）、バチルス・ツリンギエンシス（Ｂａｃｉｌｌｕｓ  ｔｈｕｒｉｎｇｉｅｎｓｉｓ）、バチルス・ミコイデス（Ｂａｃｉｌｌｕｓ  ｍｙｃｏｉｄｅｓ）、バチルス・シュードミコイデス（Ｂａｃｉｌｌｕｓ  ｐｓｅｕｄｏｍｙｃｏｉｄｅｓ）、バチルス・サマニイ（Ｂａｃｉｌｌｕｓ  ｓａｍａｎｉｉ）、バチルス・ガエモケンシス（Ｂａｃｉｌｌｕｓ  ｇａｅｍｏｋｅｎｓｉｓ）、バチルス・トヨイエンシスウェイヘンステフェンシス（Ｂａｃｉｌｌｕｓ  ｔｏｙｏｉｅｎｓｉｓ）およびバチルス・ウェイヘンステフェンシス（Ｂａｃｉｌｌｕｓ  ｗｅｉｈｅｎｓｔｅｐｈｅｎｓｉｓ）などがある。ストレスのある環境条件下では、バチルス・セレウス（Ｂａｃｉｌｌｕｓ  ｃｅｒｅｕｓ）科細菌は胞子形成し、長期間にわたり休眠状態のままでいることができる卵形の内生胞子を形成する。その内生胞子の最外層は外膜と称され、毛様突起の外側毛羽立ちによって囲まれた基底層を含む。毛様毛羽立ち上の細繊維は主としてコラーゲン様糖タンパク質ＢｃｌＡによって形成され、それに対して前記基底層は多くの異なるタンパク質からなる。別のコラーゲン関連タンパク質ＢｃｌＢは、外膜にも存在し、バチルス・セレウス（Ｂａｃｉｌｌｕｓ  ｃｅｒｅｕｓ）科構成員の内生胞子上で露出している。
【００５９】
表面毛羽立ちの主たる構成要素であるＢｃｌＡは、アミノ末端（Ｎ末端）が基底層に位置し、カルボキシ末端（Ｃ末端）が胞子から外方向に延びて外膜に結合していることが明らかになっている。
【００６０】
ＢｃｌＡおよびＢｃｌＢのＮ末端領域からのある種の配列を用いて、ペプチドまたはタンパク質をバチルス・セレウス（Ｂａｃｉｌｌｕｓ  ｃｅｒｅｕｓ）内生胞子の外膜に向かわせることができることが、以前に発見されている（米国特許公開番号２０１０／０２３３１２４および２０１１／０２８１３１６、およびＴｈｏｍｐｓｏｎ，  ｅｔ  ａｌ．，  “Ｔａｒｇｅｔｉｎｇ  ｏｆ  ｔｈｅ  ＢｃｌＡ  ａｎｄ  ＢｃｌＢ  Ｐｒｏｔｅｉｎｓ  ｔｏ  ｔｈｅ  Ｂａｃｉｌｌｕｓ  ａｎｔｈｒａｃｉｓ  Ｓｐｏｒｅ  Ｓｕｒｆａｃｅ，”  Ｍｏｌｅｃｕｌａｒ  Ｍｉｃｒｏｂｉｏｌｏｇｙ，  ７０（２）：４２１−３４  （２００８）（これらそれぞれの全内容が、参照によって本明細書に組み込まれるものとする。）を参照する）。バチルス・アントラシス（Ｂａｃｉｌｌｕｓ  ａｎｔｈｒａｃｉｓ）のＢｅｔＡ／ＢＡＳ３２９０タンパク質が外膜に局在していることも認められた。
【００６１】
特に、バチルス・アントラシス（Ｂａｃｉｌｌｕｓ  ａｎｔｈｒａｃｉｓ）スターン（Ｓｔｅｒｎｅ）株からのＢｃｌＡのアミノ酸２０から３５は、外膜に向かうのに十分であることが認められている。いくつかの他のバチルス・セレウス（Ｂａｃｉｌｌｕｓ  ｃｅｒｅｕｓ）科外膜タンパク質および関連する配列を有するバチルス・セレウス（Ｂａｃｉｌｌｕｓ  ｃｅｒｅｕｓ）科タンパク質の相当するＮ末端領域を有するＢｃｌＡ（配列番号１）のアミノ酸１から４１の配列配置を図１に示してある。図１からわかるように、ＢｃｌＡのアミノ酸２０から４１に相当する領域におけるタンパク質の全ての間に高度相同性の領域がある。しかしながら、これらの配列において、ＢｃｌＡのアミノ酸３６から４１に相当するアミノ酸は、二次構造を含み、外膜への融合タンパク質局在化には必要ではない。ＢｃｌＡの保存標的配列領域（配列番号１のアミノ酸２０から３５）を図１で太字で示してあり、それは外膜への局在化に必要な最小標的配列に相当する。標的配列内のＢｃｌＡのアミノ酸２５から３５に及ぶより高度に保存された領域に、図１における配列で下線を引いており、それは、ＥｘｓＦＡ／ＢｘｐＢ／ＥｘｓＦＢおよび相同体の認識配列であり、それは記載のタンパク質を外膜の表面上に向かわせ、集合させる。図１における配列番号３、５および７のアミノ酸配列は、それぞれ、バチルス・アントラシス（Ｂａｃｉｌｌｕｓ  ａｎｔｈｒａｃｉｓ）スターン（Ｓｔｅｒｎｅ）株ＢｅｔＡ／ＢＡＳ３２９０のアミノ酸１から３３、メチオニンとそれに続くバチルス・アントラシス（Ｂａｃｉｌｌｕｓ  ａｎｔｈｒａｃｉｓ）スターン（Ｓｔｅｒｎｅ）株ＢＡＳ４６２３のアミノ酸２から４３、およびバチルス・アントラシス（Ｂａｃｉｌｌｕｓ  ａｎｔｈｒａｃｉｓ）スターン（Ｓｔｅｒｎｅ）株ＢｃｌＢのアミノ酸１から３４である（ＢＡＳ４６２３の場合、天然タンパク質中の位置１に存在するバリンをメチオニンに代えることで、発現がより良好になることが認められた。）。図１からわかるように、これらの配列のそれぞれが、ＢｃｌＡのアミノ酸２０から３５に相当する保存領域（配列番号１；太字で図示）、およびＢｃｌＡのアミノ酸２０から３５に相当するより高度に保存された領域（下線）を含む。
【００６２】
バチルス・セレウス（Ｂａｃｉｌｌｕｓ  ｃｅｒｅｕｓ）科構成員からの別のタンパク質も、保存標的領域を含む。特に、図１において、配列番号９はバチルス・アントラシス（Ｂａｃｉｌｌｕｓ  ａｎｔｈｒａｃｉｓ）スターン（Ｓｔｅｒｎｅ）株ＢＡＳ１８８２のアミノ酸１から３０であり；配列番号１１は、バチルス・ウェイヘンステフェンシス（Ｂａｃｉｌｌｕｓ  ｗｅｉｈｅｎｓｔｅｐｈｅｎｓｉｓ）ＫＢＡＢ４２２８０遺伝子産物のアミノ酸１から３９であり；配列番号１３は、バチルス・ウェイヘンステフェンシス（Ｂａｃｉｌｌｕｓ  ｗｅｉｈｅｎｓｔｅｐｈｅｎｓｉｓ）ＫＢＡＢ４３５７２遺伝子産物のアミノ酸１から３９であり；配列番号１５は、バチルス・セレウス（Ｂａｃｉｌｌｕｓ  ｃｅｒｅｕｓ）ＶＤ２００外膜リーダーペプチドのアミノ酸１から４９であり；配列番号１７は、バチルス・セレウス（Ｂａｃｉｌｌｕｓ  ｃｅｒｅｕｓ）ＶＤ１６６外膜リーダーペプチドアミノ酸１から３３であり；配列番号１９は、バチルス・セレウス（Ｂａｃｉｌｌｕｓ  ｃｅｒｅｕｓ）ＶＤ２００仮想タンパク質ＩＫＧ＿０４６６３のアミノ酸１から３９であり；配列番号２１は、バチルス・ウェイヘンステフェンシス（Ｂａｃｉｌｌｕｓ  ｗｅｉｈｅｎｓｔｅｐｈｅｎｓｉｓ）ＫＢＡＢ４ＹＶＴＮβ−プロペラタンパク質のアミノ酸１から３９であり；配列番号２３は、バチルス・ウェイヘンステフェンシス（Ｂａｃｉｌｌｕｓ  ｗｅｉｈｅｎｓｔｅｐｈｅｎｓｉｓ）ＫＢＡＢ４仮想タンパク質ｂｃｅｒｋｂａｂ４＿２３６３のアミノ酸１から３０であり；配列番号２５は、バチルス・ウェイヘンステフェンシス（Ｂａｃｉｌｌｕｓ  ｗｅｉｈｅｎｓｔｅｐｈｅｎｓｉｓ）ＫＢＡＢ４仮想タンパク質ｂｃｅｒｋｂａｂ４＿２１３１のアミノ酸１から３０であり；配列番号２７は、バチルス・ウェイヘンステフェンシス（Ｂａｃｉｌｌｕｓ  ｗｅｉｈｅｎｓｔｅｐｈｅｎｓｉｓ）ＫＢＡＢ４三重らせん反復含有コラーゲンのアミノ酸１から３６であり；配列番号２９は、バチルス・ミコイデス（Ｂａｃｉｌｌｕｓ  ｍｙｃｏｉｄｅｓ）２０４８仮想タンパク質ｂｍｙｃｏ０００１＿２１６６０のアミノ酸１から３９であり；配列番号３１は、バチルス・ミコイデス（Ｂａｃｉｌｌｕｓ  ｍｙｃｏｉｄｅｓ）２０４８仮想タンパク質ｂｍｙｃ０００１＿２２５４０のアミノ酸１から３０であり；配列番号３３は、バチルス・ミコイデス（Ｂａｃｉｌｌｕｓ  ｍｙｃｏｉｄｅｓ）２０４８仮想タンパク質ｂｍｙｃ０００１＿２１５１０のアミノ酸１から２１であり；配列番号３５は、バチルス・ツリンギエンシス（Ｂａｃｉｌｌｕｓ  ｔｈｕｒｉｎｇｉｅｎｓｉｓ）３５６４６コラーゲン三重らせん反復タンパク質のアミノ酸１から２２であり；配列番号４３は、バチルス・セレウス（Ｂａｃｉｌｌｕｓ  ｃｅｒｅｕｓ）仮想タンパク質ＷＰ＿６９６５２のアミノ酸１から３５であり；配列番号４５は、バチルス・セレウス（Ｂａｃｉｌｌｕｓ  ｃｅｒｅｕｓ）外膜リーダーＷＰ０１６１１７７１７のアミノ酸１から４１であり；配列番号４７は、バチルス・セレウス（Ｂａｃｉｌｌｕｓ  ｃｅｒｅｕｓ）外膜ペプチドＷＰ００２１０５１９２のアミノ酸１から４９であり；配列番号４９は、バチルス・セレウス（Ｂａｃｉｌｌｕｓ  ｃｅｒｅｕｓ）仮想タンパク質ＷＰ８７３５３のアミノ酸１から３８であり；配列番号５１は、バチルス・セレウス（Ｂａｃｉｌｌｕｓ  ｃｅｒｅｕｓ）外膜ペプチド０２１１２３６９のアミノ酸１から３９であり；配列番号５３は、バチルス・セレウス（Ｂａｃｉｌｌｕｓ  ｃｅｒｅｕｓ）外膜タンパク質ＷＰ０１６０９９７７０のアミノ酸１から３９であり；配列番号５５は、バチルス・ツリンギエンシス（Ｂａｃｉｌｌｕｓ  ｔｈｕｒｉｎｇｉｅｎｓｉｓ）仮想タンパク質ＹＰ００６６１２５２５のアミノ酸１から３６であり；配列番号５７は、バチルス・ミコイデス（Ｂａｃｉｌｌｕｓ  ｍｙｃｏｉｄｅｓ）仮想タンパク質ＴＩＧＲ０３７２０のアミノ酸１から１３６である。図１に示したように、これらタンパク質のＮ末端領域のそれぞれが、ＢｃｌＡ（配列番号１）のアミノ酸２０から３５で保存された領域およびＢｃｌＡのアミノ酸２５から３５に相当するより高度に保存された領域を含む。
【００６３】
アミノ酸２０から３５を含むＢｃｌＡのいずれの部分も、標的配列として用いることができる。さらに、全長外膜タンパク質または外膜タンパク質断片を、融合タンパク質を外膜に向かわせるのに用いることができる。従って、アミノ酸２０から３５を含む全長ＢｃｌＡまたはＢｃｌＡの断片を、外膜に向かわせるのに用いることができる。例えば、全長ＢｃｌＡ（配列番号２）または配列番号５９（ＢｃｌＡのアミノ酸１から１９６）などのカルボキシ末端が欠損しているＢｃｌＡの中程度の大きさの断片を用いて、融合タンパク質を外膜に向かわせることができる。配列番号５９の断片などの中程度の大きさの断片は、全長ＢｃｌＡより小さい二次構造を有し、標的配列としての使用に好適であることが認められている。標的配列は、アミノ酸２０から３５、例えば配列番号１（ＢｃｌＡのアミノ酸１から４１）、配列番号１のアミノ酸１から３５、配列番号１のアミノ酸２０から３５、または配列番号６０（ＢｃｌＡのアミノ酸２０から３５に連結されたメチオニン残基）などのＢｃｌＡの多くの比較的短い部分も含むことができる。アミノ酸２０から３５の一部のみを含むＢｃｌＡのさらにより短い断片も、融合タンパク質を外膜に向けさせる能力を示す。例えば、その標的配列は、配列番号１のアミノ酸２２から３１、配列番号１のアミノ酸２２から３３、または配列番号１のアミノ酸２０から３１を含むことができる。
【００６４】
あるいは、ＢｃｌＡのアミノ酸２０から３５に相当するアミノ酸を含むＢｅｔＡ／ＢＡＳ３２９０、ＢＡＳ４６２３、ＢｃｌＢ、ＢＡＳ１８８２、ＫＢＡＢ４２２８０遺伝子産物、ＫＢＡＢ４３５７２遺伝子産物、Ｂ．セレウス（Ｂ．  ｃｅｒｅｕｓ）ＶＤ２００外膜リーダーペプチド、Ｂ．セレウス（Ｂ．  ｃｅｒｅｕｓ）ＶＤ１６６外膜リーダーペプチド、Ｂ．セレウス（Ｂ．  ｃｅｒｅｕｓ）ＶＤ２００仮想タンパク質ＩＫＧ＿０４６６３、Ｂ．ウェイヘンステフェンシス（Ｂ．  ｗｅｉｈｅｎｓｔｅｐｈｅｎｓｉｓ)ＫＢＡＢ４ＹＶＴＮβ−プロペラタンパク質、Ｂ．ウェイヘンステフェンシス（Ｂ．  ｗｅｉｈｅｎｓｔｅｐｈｅｎｓｉｓ)ＫＢＡＢ４仮想タンパク質ｂｃｅｒｋｂａｂ４＿２３６３、Ｂ．ウェイヘンステフェンシス（Ｂ．  ｗｅｉｈｅｎｓｔｅｐｈｅｎｓｉｓ)ＫＢＡＢ４仮想タンパク質ｂｃｅｒｋｂａｂ４＿２１３１、Ｂ．ウェイヘンステフェンシス（Ｂ．  ｗｅｉｈｅｎｓｔｅｐｈｅｎｓｉｓ)ＫＢＡＢ４三重らせん反復含有コラーゲン、Ｂ．ミコイデス（Ｂ．  ｍｙｃｏｉｄｅｓ）２０４８仮想タンパク質ｂｍｙｃｏ０００１＿２１６６０、Ｂ．ミコイデス（Ｂ．  ｍｙｃｏｉｄｅｓ）２０４８仮想タンパク質ｂｍｙｃ０００１＿２２５４０、Ｂ．ミコイデス（Ｂ．  ｍｙｃｏｉｄｅｓ）２０４８仮想タンパク質ｂｍｙｃ０００１＿２１５１０、Ｂ．ツリンギエンシス（Ｂ．  ｔｈｕｒｉｎｇｉｅｎｓｉｓ）３５６４６コラーゲン三重らせん反復タンパク質、Ｂ．セレウス（Ｂ．  ｃｅｒｅｕｓ）仮想タンパク質ＷＰ＿６９６５２、Ｂ．セレウス（Ｂ．  ｃｅｒｅｕｓ）外膜リーダーＷＰ０１６１１７７１７、Ｂ．セレウス（Ｂ．  ｃｅｒｅｕｓ）外膜ペプチドＷＰ００２１０５１９２、Ｂ．セレウス（Ｂ．  ｃｅｒｅｕｓ）仮想タンパク質ＷＰ８７３５３、Ｂ．セレウス（Ｂ．  ｃｅｒｅｕｓ）外膜ペプチド０２１１２３６９、Ｂ．セレウス（Ｂ．  ｃｅｒｅｕｓ）外膜タンパク質ＷＰ０１６０９９７７０、Ｂ．ツリンギエンシス（Ｂ．  ｔｈｕｒｉｎｇｉｅｎｓｉｓ）仮想タンパク質ＹＰ００６６１２５２５、またはＢ．ミコイデス（Ｂ．  ｍｙｃｏｉｄｅｓ）仮想タンパク質ＴＩＧＲ０３７２０のいずれの部分も、標的配列として役立ち得る。図１からわかるように、ＢｅｔＡ／ＢＡＳ３２９０のアミノ酸１２から２７、ＢＡＳ４６２３のアミノ酸２３から３８、ＢｃｌＢのアミノ酸１３から２８、ＢＡＳ１８８２のアミノ酸９から２４、ＫＢＡＢ４２２８０遺伝子産物のアミノ酸１８から３３、ＫＢＡＢ４３５７２遺伝子産物のアミノ酸１８から３３、Ｂ．セレウス（Ｂ．  ｃｅｒｅｕｓ）ＶＤ２００外膜リーダーペプチドのアミノ酸２８から４３、Ｂ．セレウス（Ｂ．  ｃｅｒｅｕｓ）ＶＤ１６６外膜リーダーペプチドのアミノ酸１２から２７、Ｂ．セレウス（Ｂ．  ｃｅｒｅｕｓ）ＶＤ２００仮想タンパク質ＩＫＧ＿０４６６３のアミノ酸１８から３３、Ｂ．ウェイヘンステフェンシス（Ｂ．  ｗｅｉｈｅｎｓｔｅｐｈｅｎｓｉｓ)ＫＢＡＢ４  ＹＶＴＮβ−プロペラタンパク質のアミノ酸１８から３３、Ｂ．ウェイヘンステフェンシス（Ｂ．  ｗｅｉｈｅｎｓｔｅｐｈｅｎｓｉｓ)ＫＢＡＢ４仮想タンパク質ｂｃｅｒｋｂａｂ４＿２３６３のアミノ酸９から２４、Ｂ．ウェイヘンステフェンシス（Ｂ．  ｗｅｉｈｅ���ｓｔｅｐｈｅｎｓｉｓ)ＫＢＡＢ４仮想タンパク質ｂｃｅｒｋｂａｂ４＿２１３１のアミノ酸９から２４、Ｂ．ウェイヘンステフェンシス（Ｂ．  ｗｅｉｈｅｎｓｔｅｐｈｅｎｓｉｓ)ＫＢＡＢ４三重らせん反復含有コラーゲンのアミノ酸１５から３０、Ｂ．ミコイデス（Ｂ．  ｍｙｃｏｉｄｅｓ）２０４８仮想タンパク質ｂｍｙｃｏ０００１＿２１６６０のアミノ酸１８から３３、Ｂ．ミコイデス（Ｂ．  ｍｙｃｏｉｄｅｓ）２０４８仮想タンパク質ｂｍｙｃ０００１＿２２５４０のアミノ酸９から２４、Ｂ．ミコイデス（Ｂ．  ｍｙｃｏｉｄｅｓ）２０４８仮想タンパク質ｂｍｙｃ０００１＿２１５１０のアミノ酸１から１５、Ｂ．ツリンギエンシス（Ｂ．  ｔｈｕｒｉｎｇｉｅｎｓｉｓ）３５６４６コラーゲン三重らせん反復タンパク質のアミノ酸１から１６、Ｂ．セレウス（Ｂ．  ｃｅｒｅｕｓ）仮想タンパク質ＷＰ＿６９６５２のアミノ酸１４から２９、Ｂ．セレウス（Ｂ．  ｃｅｒｅｕｓ）外膜リーダーＷＰ０１６１１７７１７のアミノ酸２０から３５、Ｂ．セレウス（Ｂ．  ｃｅｒｅｕｓ）外膜ペプチドＷＰ００２１０５１９２のアミノ酸２８から４３、Ｂ．セレウス（Ｂ．  ｃｅｒｅｕｓ）仮想タンパク質ＷＰ８７３５３のアミノ酸１７から３２、Ｂ．セレウス（Ｂ．  ｃｅｒｅｕｓ）外膜ペプチド０２１１２３６９のアミノ酸１８から３３、Ｂ．セレウス（Ｂ．  ｃｅｒｅｕｓ）外膜タンパク質ＷＰ０１６０９９７７０のアミノ酸１８から３３、Ｂ．ツリンギエンシス（Ｂ．  ｔｈｕｒｉｎｇｉｅｎｓｉｓ）仮想タンパク質ＹＰ００６６１２５２５のアミノ酸１５から３０、およびＢ．ミコイデス（Ｂ．  ｍｙｃｏｉｄｅｓ）仮想タンパク質ＴＩＧＲ０３７２０のアミノ酸１１５から１３０は、ＢｃｌＡのアミノ酸２０から３５に相当する。従って、上記で挙げた相当するアミノ酸を含むこれらのタンパク質のいずれの部分も、標的配列として役立ち得る。
【００６５】
さらに、ＢｃｌＡのアミノ酸２０から３５を含むあらゆるアミノ酸配列または上記で挙げた相当するアミノ酸のいずれも、標的配列として役立ち得る。
【００６６】
従って、前記標的配列は、配列番号１のアミノ酸１から３５、配列番号１のアミノ酸２０から３５、配列番号１、配列番号６０、配列番号１のアミノ酸２２から３１、配列番号１のアミノ酸２２から３３、または配列番号１のアミノ酸２０から３１を含むことができる。あるいは、前記標的配列は、配列番号１のアミノ酸１から３５、配列番号１のアミノ酸２０から３５、配列番号１、または配列番号６０からなる。あるいは、前記標的配列は、配列番号１のアミノ酸２２から３１、配列番号１のアミノ酸２２から３３、または配列番号１のアミノ酸２０から３１からなることができる。あるいは、外膜タンパク質は全長ＢｃｌＡ（配列番号２）を含むことができ、または外膜タンパク質断片は、カルボキシ末端が欠損したＢｃｌＡの中程度の大きさの断片、例えば配列番号５９（ＢｃｌＡのアミノ酸１から１９６）を含むことができる。あるいは、前記外膜タンパク質断片は、配列番号５９からなることができる。
【００６７】
標的配列は配列番号３のアミノ酸１から２７、配列番号３のアミノ酸１２から２７または配列番号３も含むことができ、または外膜タンパク質は、全長ＢｅｔＡ／ＢＡＳ３２９０（配列番号４）を含むことができる。ＢｅｔＡ／ＢＡＳ３２９０のアミノ酸１２から２７に連結されたメチオニン残基を標的配列として用いることができることも認められている。従って、標的配列は、配列番号６１を含むことができる。標的配列は、配列番号３のアミノ酸１４から２３、配列番号３のアミノ酸１４から２５、または配列番号３のアミノ酸１２から２３も含むことができる。
【００６８】
標的配列は配列番号５のアミノ酸１から３８、配列番号５のアミノ酸２３から３８、または配列番号５も含むことができ、または外膜タンパク質は全長ＢＡＳ４６２３（配列番号６）を含むことができる。
【００６９】
あるいは、標的配列は配列番号７のアミノ酸１から２８、配列番号７のアミノ酸１３から２８、または配列番号７を含むことができ、または外膜タンパク質は、全長ＢｃｌＢ（配列番号８）を含むことができる。
【００７０】
標的配列は配列番号９のアミノ酸１から２４、配列番号９のアミノ酸９から２４または配列番号９も含むことができ、または外膜タンパク質は全長ＢＡＳ１８８２（配列番号１０）を含むことができる。ＢＡＳ１８８２のアミノ酸９から２４に連結されたメチオニン残基も、標的配列として用いることができる。従って、標的配列は、配列番号６９を含むことができる。
【００７１】
標的配列は配列番号１１のアミノ酸１から３３、配列番号１１のアミノ酸１８から３３または配列番号１１も含むことができ、または外膜タンパク質は、全長Ｂ．ウェイヘンステフェンシス（Ｂ．  ｗｅｉｈｅｎｓｔｅｐｈｅｎｓｉｓ)ＫＢＡＢ４２２８０遺伝子産物（配列番号１２）を含むことができる。Ｂ．ウェイヘンステフェンシス（Ｂ．  ｗｅｉｈｅｎｓｔｅｐｈｅｎｓｉｓ)ＫＢＡＢ４２２８０遺伝子産物のアミノ酸１８から３３に連結されたメチオニン残基も、標的配列として用いることができる。従って、標的配列は、配列番号６２を含むことができる。
【００７２】
標的配列は配列番号１３のアミノ酸１から３３、配列番号１３のアミノ酸１８から３３または配列番号１３も含むことができ、または外膜タンパク質は全長Ｂ．ウェイヘンステフェンシス（Ｂ．  ｗｅｉｈｅｎｓｔｅｐｈｅｎｓｉｓ)ＫＢＡＢ４３５７２遺伝子産物（配列番号１４）を含むことができる。Ｂ．ウェイヘンステフェンシス（Ｂ．  ｗｅｉｈｅｎｓｔｅｐｈｅｎｓｉｓ)ＫＢＡＢ４３５７２遺伝子産物のアミノ酸１８から３３に連結されたメチオニン残基も、標的配列として用いることができる。従って、標的配列は、配列番号６３を含むことができる。
【００７３】
あるいは、標的配列は配列番号１５のアミノ酸１から４３、配列番号１５のアミノ酸２８から４３または配列番号１５を含むことができ、または外膜タンパク質は全長Ｂ．セレウス（Ｂ．  ｃｅｒｅｕｓ）ＶＤ２００外膜リーダーペプチド（配列番号１６）を含むことができる。
【００７４】
標的配列は配列番号１７のアミノ酸１から２７、配列番号１７のアミノ酸１２から２７または配列番号１７も含むことができ、または外膜タンパク質は全長Ｂ．セレウス（Ｂ．  ｃｅｒｅｕｓ）ＶＤ１６６外膜リーダーペプチド（配列番号１８）を含むことができる。Ｂ．セレウス（Ｂ．  ｃｅｒｅｕｓ）ＶＤ１６６外膜リーダーペプチドのアミノ酸１２から２７に連結されたメチオニン残基も、標的配列として用いることができる。従って、標的配列は、配列番号６４を含むことができる。
【００７５】
標的配列は配列番号１９のアミノ酸１から３３、配列番号１９のアミノ酸１８から３３または配列番号１９も含むことができ、または外膜タンパク質は全長Ｂ．セレウス（Ｂ．  ｃｅｒｅｕｓ）ＶＤ２００仮想タンパク質ＩＫＧ＿０４６６３（配列番号２０）を含むことができる。
【００７６】
あるいは、標的配列は配列番号２１アミノ酸１から３３、配列番号２１のアミノ酸１８から３３または配列番号２１を含み、または外膜タンパク質は全長Ｂ．ウェイヘンステフェンシス（Ｂ．  ｗｅｉｈｅｎｓｔｅｐｈｅｎｓｉｓ)ＫＢＡＢ４ＹＶＴＮβ−プロペラタンパク質（配列番号２２）を含むことができる。Ｂ．ウェイヘンステフェンシス（Ｂ．  ｗｅｉｈｅｎｓｔｅｐｈｅｎｓｉｓ)ＫＢＡＢ４  ＹＶＴＮβ−プロペラタンパク質のアミノ酸１８から３３に連結されたメチオニン残基も、標的配列として用いることができる。従って、標的配列は、配列番号６５を含むことができる。
【００７７】
標的配列は配列番号２３のアミノ酸１から２４、配列番号２３のアミノ酸９から２４または配列番号２３も含むことができ、または外膜タンパク質は全長Ｂ．ウェイヘンステフェンシス（Ｂ．  ｗｅｉｈｅｎｓｔｅｐｈｅｎｓｉｓ)ＫＢＡＢ４仮想タンパク質ｂｃｅｒｋｂａｂ４＿２３６３（配列番号２４）を含むことができる。Ｂ．ウェイヘンステフェンシス（Ｂ．  ｗｅｉｈｅｎｓｔｅｐｈｅｎｓｉｓ)ＫＢＡＢ４仮想タンパク質ｂｃｅｒｋｂａｂ４＿２３６３のアミノ酸９から２４に連結されたメチオニン残基も、標的配列として用いることができる。従って、標的配列は、配列番号６６を含むことができる。
【００７８】
標的配列は配列番号２５のアミノ酸１から２４、配列番号２５のアミノ酸９から２４または配列番号２５を含み、または外膜タンパク質は全長Ｂ．ウェイヘンステフェンシス（Ｂ．  ｗｅｉｈｅｎｓｔｅｐｈｅｎｓｉｓ)ＫＢＡＢ４仮想タンパク質ｂｃｅｒｋｂａｂ４＿２１３１（配列番号２６）を含むことができる。Ｂ．ウェイヘンステフェンシス（Ｂ．  ｗｅｉｈｅｎｓｔｅｐｈｅｎｓｉｓ)ＫＢＡＢ４仮想タンパク質ｂｃｅｒｋｂａｂ４＿２１３１のアミノ酸９から２４に連結されたメチオニン残基も、標的配列として用いることができる。従って、標的配列は、配列番号６７を含むことができる。
【００７９】
あるいは、標的配列は配列番号２７のアミノ酸１から３０、配列番号２７のアミノ酸１５から３０または配列番号２７を含み、または外膜タンパク質は全長Ｂ．ウェイヘンステフェンシス（Ｂ．  ｗｅｉｈｅｎｓｔｅｐｈｅｎｓｉｓ)ＫＢＡＢ４三重らせん反復含有コラーゲン（配列番号２８）を含むことができる。
【００８０】
標的配列は配列番号２９のアミノ酸１から３３、配列番号２９のアミノ酸１８から３３または配列番号２９も含むことができ、または外膜タンパク質は全長Ｂ．ミコイデス（Ｂ．  ｍｙｃｏｉｄｅｓ）２０４８仮想タンパク質ｂｍｙｃｏ０００１＿２１６６０（配列番号３０）を含むことができる。
【００８１】
標的配列は配列番号３１のアミノ酸１から２４、配列番号３１のアミノ酸９から２４または配列番号３１も含むことができ、または外膜タンパク質は全長Ｂ．ミコイデス（Ｂ．  ｍｙｃｏｉｄｅｓ）２０４８仮想タンパク質ｂｍｙｃ０００１＿２２５４０（配列番号３２）を含むことができる。Ｂ．ミコイデス（Ｂ．  ｍｙｃｏｉｄｅｓ）２０４８仮想タンパク質ｂｍｙｃ０００１＿２２５４０のアミノ酸９から２４に連結されたメチオニン残基も、標的配列として用いることができる。従って、標的配列は、配列番号６８を含むことができる。
【００８２】
あるいは、標的配列は配列番号３３のアミノ酸１から１５、配列番号３３を含み、または外膜タンパク質は全長Ｂ．ミコイデス（Ｂ．  ｍｙｃｏｉｄｅｓ）２０４８仮想タンパク質ｂｍｙｃ０００１＿２１５１０（配列番号３４）を含む。
【００８３】
標的配列は配列番号３５のアミノ酸１から１６、配列番号３５も含むことができ、または外膜タンパク質は、全長Ｂ．ツリンギエンシス（Ｂ．  ｔｈｕｒｉｎｇｉｅｎｓｉｓ）３５６４６コラーゲン三重らせん反復タンパク質（配列番号３６）を含むことができる。
【００８４】
標的配列は配列番号４３のアミノ酸１から２９、配列番号４３のアミノ酸１４から２９または配列番号４３を含むことができ、または外膜タンパク質は全長Ｂ．セレウス（Ｂ．  ｃｅｒｅｕｓ）仮想タンパク質ＷＰ＿６９６５２（配列番号４４）を含むことができる。
【００８５】
あるいは、標的配列は配列番号４５のアミノ酸１から３５、配列番号４５のアミノ酸２０から３５または配列番号４５を含むことができ、または外膜タンパク質は全長Ｂ．セレウス（Ｂ．  ｃｅｒｅｕｓ）外膜リーダーＷＰ０１６１１７７１７（配列番号４６）を含むことができる。Ｂ．セレウス（Ｂ．  ｃｅｒｅｕｓ）外膜リーダーＷＰ０１６１１７７１７のアミノ酸２０から３５に連結されたメチオニン残基も、標的配列として用いることができる。従って、標的配列は、配列番号７０を含むことができる。
【００８６】
標的配列は配列番号４７のアミノ酸１から４３、配列番号４７のアミノ酸２８から４３または配列番号４７を含むことができ、または外膜タンパク質は全長Ｂ．セレウス（Ｂ．  ｃｅｒｅｕｓ）外膜ペプチドＷＰ００２１０５１９２（配列番号４８）を含むことができる。
【００８７】
標的配列は配列番号４９のアミノ酸１から３２、配列番号４９のアミノ酸１７から３２または配列番号４９を含むことができ、または外膜タンパク質は全長Ｂ．セレウス（Ｂ．  ｃｅｒｅｕｓ）仮想タンパク質ＷＰ８７３５３（配列番号５０）を含むことができる。
【００８８】
あるいは、標的配列は配列番号５１のアミノ酸１から３３、配列番号５１のアミノ酸１８から３３または配列番号５１を含むことができ、外膜タンパク質は全長Ｂ．セレウス（Ｂ．  ｃｅｒｅｕｓ）外膜ペプチド０２１１２３６９（配列番号５２）を含むことができる。
【００８９】
標的配列は配列番号５３のアミノ酸１から３３、配列番号５３のアミノ酸１８から３３または配列番号５３を含むことができ、または外膜タンパク質は全長Ｂ．セレウス（Ｂ．  ｃｅｒｅｕｓ）外膜タンパク質ＷＰ０１６０９９７７０（配列番号５４）を含むことができる。
【００９０】
あるいは、標的配列は配列番号５５の酸１から３０、配列番号５５のアミノ酸１５から３０または配列番号５５を含むことができ、または外膜タンパク質は全長Ｂ．ツリンギエンシス（Ｂ．  ｔｈｕｒｉｎｇｉｅｎｓｉｓ）仮想タンパク質ＹＰ００６６１２５２５（配列番号５６）を含むことができる。
【００９１】
標的配列は配列番号５７のアミノ酸１から１３０、配列番号５７のアミノ酸１１５から１３０または配列番号５７も含むことができ、または外膜タンパク質は全長Ｂ．ミコイデス（Ｂ．  ｍｙｃｏｉｄｅｓ）仮想タンパク質ＴＩＧＲ０３７２０（配列番号５８）を含むことができる。
【００９２】
さらに、ＢｃｌＡのアミノ酸２０から３５が保存され、アミノ酸２５から３５がより保存されているが、標的配列がタンパク質を外膜に向かわせる能力に影響することなく、ある程度の変異がこの領域で起こり得ることが図１における配列配置から容易にわかる。図１には、各配列の相当するアミノ酸のそれぞれのＢｃｌＡのアミノ酸２０から３５（「２０から３５％同一性」）およびＢｃｌＡのアミノ酸２５から３５（「２５から３５％同一性」）との同一性パーセントを挙げてある。従って、例えば、ＢｃｌＡのアミノ酸２０から３５と比較して、ＢｅｔＡ／ＢＡＳ３２９０の相当するアミノ酸は約８１．３％同一であり、ＢＡＳ４６２３の相当するアミノ酸は約５０．０％同一であり、ＢｃｌＢの相当するアミノ酸は約４３．８％同一であり、ＢＡＳ１８８２の相当するアミノ酸は約６２．５％同一であり、ＫＢＡＢ４２２８０遺伝子産物の相当するアミノ酸は約８１．３％同一であり、ＫＢＡＢ４３５７２遺伝子産物の相当するアミノ酸は約８１．３％同一である。残りの配列についてのこの領域での配列同一性を図１に示してある。
【００９３】
ＢｃｌＡのアミノ酸２５から３５に関して、ＢｅｔＡ／ＢＡＳ３２９０の相当するアミノ酸は約９０．９％同一であり、ＢＡＳ４６２３の相当するアミノ酸は約７２．７％同一であり、ＢｃｌＢの相当するアミノ酸は約５４．５％同一であり、ＢＡＳ１８８２の相当するアミノ酸は約７２．７％同一であり、ＫＢＡＢ４２２８０遺伝子産物の相当するアミノ酸は約９０．９％同一であり、ＫＢＡＢ４３５７２遺伝子産物の相当するアミノ酸は約８１．８％同一である。残りの配列についてのこの領域での配列同一性を図１に示してある。
【００９４】
従って、標的配列は、配列番号１のアミノ酸２０から３５と少なくとも約４３％同一性を有するアミノ酸配列（アミノ酸２５から３５との同一性は少なくとも約５４％である。）を含むことができる。あるいは、その標的配列は１６個のアミノ酸からなり、配列番号１のアミノ酸２０から３５と少なくとも約４３％同一性を有するアミノ酸配列からなり、アミノ酸２５から３５との同一性は少なくとも約５４％である。
【００９５】
標的配列は、配列番号１のアミノ酸２０から３５と少なくとも約５０％同一性を有するアミノ酸配列も含むことができ、アミノ酸２５から３５との同一性は少なくとも約６３％である。あるいは、標的配列は１６個のアミノ酸からなって少なくとも配列番号１のアミノ酸２０から３５と約５０％同一性を有するアミノ酸配列からなり、アミノ酸２５から３５との同一性は少なくとも約６３％である。
【００９６】
標的配列は、配列番号１のアミノ酸２０から３５と少なくとも約５０％同一性を有するアミノ酸配列も含むことができ、アミノ酸２５から３５との同一性は少なくとも約７２％である。あるいは、標的配列は１６個のアミノ酸からなって配列番号１のアミノ酸２０から３５と少なくとも約５０％同一性を有するアミノ酸配列からなり、アミノ酸２５から３５との同一性は少なくとも約７２％である。
【００９７】
標的配列は、配列番号１のアミノ酸２０から３５と少なくとも約５６％同一性を有するアミノ酸配列も含むことができ、アミノ酸２５から３５との同一性は少なくとも約６３％である。あるいは、標的配列は１６個のアミノ酸からなって配列番号１のアミノ酸２０から３５と少なくとも約５６％同一性を有するアミノ酸配列からなり、アミノ酸２５から３５との同一性は少なくとも約６３％である。
【００９８】
あるいは、標的配列は配列番号１のアミノ酸２０から３５と少なくとも約６２％同一性を有するアミノ配列を含むことができ、アミノ酸２５から３５との同一性は少なくとも約７２％である。標的配列は、１６個のアミノ酸からなって配列番号１のアミノ酸２０から３５と少なくとも約６２％同一性を有するアミノ酸配列からなることもでき、配列番号１のアミノ酸２５から３５との同一性は少なくとも約７２％である。
【００９９】
標的配列は配列番号１のアミノ酸２０から３５と少なくとも６８％同一性を有するアミノ酸配列を含むことができ、アミノ酸２５から３５との同一性は少なくとも約８１％である。あるいは、標的配列は１６個のアミノ酸からなって配列番号１のアミノ酸２０から３５と少なくとも６８％同一性を有するアミノ酸配列からなり、アミノ酸２５から３５との同一性は少なくとも約８１％である。
【０１００】
標的配列は、配列番号１のアミノ酸２０から３５と少なくとも約７５％同一性を有するアミノ配列も含むことができ、アミノ酸２５から３５との同一性は少なくとも約７２％である。あるいは、標的配列は１６個のアミノ酸からなって配列番号１のアミノ酸２０から３５と少なくとも約７５％同一性を有するアミノ酸配列からなり、配列番号１のアミノ酸２５から３５との同一性は少なくとも約７２％である。
【０１０１】
標的配列は配列番号１のアミノ酸２０から３５と少なくとも約７５％同一性を有するアミノ配列も含むことができ、アミノ酸２５から３５との同一性は少なくとも約８１％である。あるいは、標的配列は１６個のアミノ酸からなって配列番号１のアミノ酸２０から３５と少なくとも約７５％同一性を有するアミノ酸配列からなり、配列番号１のアミノ酸２５から３５との同一性は少なくとも約８１％である。
【０１０２】
標的配列は配列番号１のアミノ酸２０から３５と少なくとも約８１％同一性を有するアミノ酸配列も含むことができ、アミノ酸２５から３５との同一性は少なくとも約８１％である。あるいは、標的配列は１６個のアミノ酸からなって配列番号１のアミノ酸２０から３５と少なくとも約８１％同一性を有するアミノ酸配列からなり、アミノ酸２５から３５との同一性は少なくとも約８１％である。
【０１０３】
標的配列は配列番号１のアミノ酸２０から３５と少なくとも約８１％同一性を有するアミノ酸配列を含むことができ、アミノ酸２５から３５との同一性は少なくとも約９０％である。あるいは、標的配列は１６個のアミノ酸からなって配列番号１のアミノ酸２０から３５と少なくとも約８１％同一性を有するアミノ酸配列からなり、アミノ酸２５から３５との同一性は少なくとも約９０％である。
【０１０４】
標的配列がＢｃｌＡのアミノ酸２０から３５、ＢｅｔＡ／ＢＡＳ３２９０、ＢＡＳ４２６３、ＢｃｌＢ、ＢＡＳ１８８２、ＫＢＡＢ４  ２２８０遺伝子産物もしくはＫＢＡＢ３５７２遺伝子産物の相当するアミノ酸を含む限り、またはＢｃｌＡのアミノ酸２０から３５および２５から３５と上記配列同一性のいずれかを含む配列が存在する限りにおいて、上記配列の変異体も標的配列として用いることができることは、当業者は認識するものである。
【０１０５】
ＢｃｌＡのアミノ酸２５から３５と相同性を有する領域が欠損しているある種のバチルス・セレウス（Ｂａｃｉｌｌｕｓ  ｃｅｒｅｕｓ）科外膜タンパク質も、ペプチドまたはタンパク質をバチルス・セレウス（Ｂａｃｉｌｌｕｓ  ｃｅｒｅｕｓ）科構成員の外膜に向かわせるのに用いることが可能であることも発見されている。特に、前記融合タンパク質は、配列番号７１を含む外膜タンパク質（Ｂ．ミコイデス（Ｂ．  ｍｙｃｏｉｄｅｓ）ＩｎｈＡ）、配列番号７２を含む外膜タンパク質（Ｂ．アントラシス（Ｂ．  ａｎｔｈｒａｃｉｓ）スターン（Ｓｔｅｒｎｅ）ＢＡＳ１１４１（ＥｘｓＹ））、配列番号７３を含む外膜タンパク質（Ｂ．アントラシス（Ｂ．  ａｎｔｈｒａｃｉｓ）スターン（Ｓｔｅｒｎｅ）ＢＡＳ１１４４（ＢｘｐＢ／ＥｘｓＦＡ））、配列番号７４を含む外膜タンパク質（Ｂ．アントラシス（Ｂ．  ａｎｔｈｒａｃｉｓ）スターン（Ｓｔｅｒｎｅ）ＢＡＳ１１４５（ＣｏｔＹ））、配列番号７５を含む外膜タンパク質（Ｂ．アントラシス（Ｂ．  ａｎｔｈｒａｃｉｓ）スターン（Ｓｔｅｒｎｅ）ＢＡＳ１１４０）、配列番号７６を含む外膜タンパク質（Ｂ．アントラシス（Ｂ．  ａｎｔｈｒａｃｉｓ）Ｈ９４０１  ＥｘｓＦＢ）、配列番号７７を含む外膜タンパク質（Ｂ．ツリンギエンシス（Ｂ．  ｔｈｕｒｉｎｇｉｅｎｓｉｓ）ＨＤ７４  ＩｎｈＡ１）、配列番号７８を含む外膜タンパク質（Ｂ．セレウス（Ｂ．  ｃｅｒｅｕｓ）ＡＴＣＣ１０８７６ＥｘｓＪ）、配列番号７９を含む外膜タンパク質（Ｂ．セレウス（Ｂ．  ｃｅｒｅｕｓ）ＥｘｓＨ）、配列番号８０を含む外膜タンパク質（Ｂ．アントラシス（Ｂ．  ａｎｔｈｒａｃｉｓ）エームス（Ａｍｅｓ）ＹｊｃＡ）、配列番号８１を含む外膜タンパク質（Ｂ．アントラシス（Ｂ．  ａｎｔｈｒａｃｉｓ）ＹｊｃＢ）、配列番号８２を含む外膜タンパク質（Ｂ．アントラシス（Ｂ．  ａｎｔｈｒａｃｉｓ）スターン（Ｓｔｅｒｎｅ）ＢｃｌＣ）、配列番号８３を含む外膜タンパク質（バチルス・ツリンギエンシス（Ｂａｃｉｌｌｕｓ  ｔｈｕｒｉｎｇｉｅｎｓｉｓ）血清型コンクキアン（ｋｏｎｋｕｋｉａｎ）株９７−２７酸ホスファターゼ）、または配列番号８４を含む外膜タンパク質（Ｂ．ツリンギエンシス（Ｂ．  ｔｈｕｒｉｎｇｉｅｎｓｉｓ）ＨＤ７４  ＩｎｈＡ２）を含むことができる。本明細書に記載の融合タンパク質に配列番号７１、７２、７３、７４、７５、７６、７７、７８、７９、８０、８１、８２、８３または８４を含む外膜タンパク質を含ませることで、Ｂ．セレウス（Ｂ．  ｃｅｒｅｕｓ）科構成員の外膜に標的化される。
【０１０６】
さらに、全長外膜タンパク質または上記記載の外膜タンパク質断片のいずれかと高度の配列同一性を有する外膜タンパク質も、ペプチドまたはタンパク質をバチルス・セレウス（Ｂａｃｉｌｌｕｓ  ｃｅｒｅｕｓ）科構成員の外膜に向かわせるのに用いることができる。従って、前記融合タンパク質は、配列番号２、４、６、８、１０、１２、１４、１６、１８、２０、２２、２４、２６、２８、３０、３２、３４、３６、４４、４６、４８、５０、５２、５４、５６、５８、５９、７１、７２、７３、７４、７５、７６、７７、７８、７９、８０、８１、８２、８３および８４のいずれか一つと少なくとも８５％同一性を有するアミノ酸配列を含む外膜タンパク質を含むことができる。あるいは、前記融合タンパク質は、配列番号２、４、６、８、１０、１２、１４、１６、１８、２０、２２、２４、２６、２８、３０、３２、３４、３６、４４、４６、４８、５０、５２、５４、５６、５８、５９、７１、７２、７３、７４、７５、７６、７７、７８、７９、８０、８１、８２、８３および８４のいずれか一つと少なくとも９０％、少なくとも９５％、少なくとも９８％、少なくとも９９％、または１００％同一性を有する外膜タンパク質を含むことができる。
【０１０７】
あるいは、前記融合タンパク質は、配列番号５９と少なくとも８５％同一性を有するアミノ酸配列からなる外膜タンパク質断片を含むことができる。あるいは、前記融合タンパク質は、配列番号５９と少なくとも９０％、少なくとも９５％、少なくとも９８％、少なくとも９９％、または１００％同一性を有するアミノ酸配列からなる外膜タンパク質断片を含むことができる。
【０１０８】
本明細書に記載の標的配列、外膜タンパク質、または外膜タンパク質断片のいずれにおいても、標的配列、外膜タンパク質または外膜タンパク質断片は、それのカルボキシ末端にアミノ酸配列ＧＸＴを含むことができ、Ｘはいずれかのアミノ酸である。
【０１０９】
本明細書に記載の標的配列、外膜タンパク質、または外膜タンパク質断片のいずれにおいても、標的配列、外膜タンパク質、または外膜タンパク質断片は、配列番号１のアミノ酸２０に相当する標的配列の位置にアラニン残基を含むことができる。
【０１１０】
融合タンパク質
融合タンパク質は、標的配列、外膜タンパク質または外膜タンパク質断片、および少なくとも一つの植物成長刺激タンパク質もしくはペプチドを含むことができる。植物成長刺激タンパク質もしくはペプチドは、ペプチドホルモン、非ホルモンペプチド、植物成長刺激性化合物の産生もしくは活性化に関与する酵素または細菌、真菌もしくは植物の栄養源を分解もしくは改変する酵素を含むことができる。標的配列、外膜タンパク質、または外膜タンパク質断片は、上記の標的配列、外膜タンパク質、または外膜タンパク質断片のいずれかであることができる。
【０１１１】
融合タンパク質は、標的配列、外膜タンパク質または外膜タンパク質断片、および植物を病原体から保護する少なくとも一つのタンパク質もしくはペプチドを含むことができる。標的配列、外膜タンパク質、または外膜タンパク質断片は、上記の標的配列、外膜タンパク質、または外膜タンパク質断片のいずれかであることができる。
【０１１２】
融合タンパク質は、当業界で公知の標準的なクローニングおよび分子生物学的方法を用いて製造することができる。例えば、タンパク質またはペプチドをコードする遺伝子（例えば、植物成長刺激タンパク質もしくはペプチドをコードする遺伝子）は、ポリメラーゼ連鎖反応（ＰＣＲ）によって増幅することができ、上記標的配列のいずれかをコードするＤＮＡに連結して融合タンパク質をコードするＤＮＡ分子を形成することができる。その融合タンパク質をコードするＤＮＡ分子は、いずれか好適なベクター、例えばプラスミドベクターにクローニングすることができる。そのベクターは好適には、融合タンパク質をコードするＤＮＡ分子を容易に挿入することができる多重クローニング部位を含む。前記ベクターも好適には、選択可能なマーカー、例えば抗生物質抵抗性遺伝子を含むことで、ベクターで形質転換、トランスフェクションまたは接合される細菌を容易に同定および単離できるようにする。ベクターがプラスミドである場合、そのプラスミドは好適には、複製起点も含む。前記融合タンパク質をコードするＤＮＡは好適には、Ｂ．セレウス（Ｂ．  ｃｅｒｅｕｓ）科構成員内生胞子（例えば、Ｂ．セレウス（Ｂ．  ｃｅｒｅｕｓ）科構成員からの天然ｂｃｌＡプロモーター）の外膜上での融合タンパク質の発現を引き起こす胞子形成プロモーターの制御下にある。あるいは、前記融合タンパク質をコードするＤＮＡは、Ｂ．セレウス（Ｂ．  ｃｅｒｅｕｓ）科構成員宿主の染色体ＤＮＡに組み込むことができる。
【０１１３】
融合タンパク質は、標的配列、外膜タンパク質、外膜タンパク質断片、または植物成長刺激タンパク質もしくはペプチド、病原体から植物を保護するタンパク質もしくはペプチド、植物におけるストレス抵抗性を高めるタンパク質もしくはペプチド、または植物結合性タンパク質もしくはペプチドの一部ではない別のポリペプチド配列も含むことができる。例えば、前記融合タンパク質は、タグまたはマーカーを含むことで、融合タンパク質（例えば、ポリヒスチジンタグまたはＧＦＰもしくはＹＦＰなどの蛍光タンパク質）の精製または視覚化または融合タンパク質を発現する組換え外膜産生性バチルス細胞胞子の視覚化を促進することができる。
【０１１４】
本明細書に記載の標的配列、外膜タンパク質および外膜タンパク質断片を用いる外膜上での融合タンパク質の発現は、融合タンパク質の自然たたみ込みおよび活性保持を可能とするこれら配列のアミノ末端における二次構造の欠如のために促進される。適切なたたみ込みは、標的配列、外膜タンパク質、外膜タンパク質断片、および融合パートナータンパク質の間に短いアミノ酸リンカーを含ませることでさらに促進することができる。
【０１１５】
従って、本明細書に記載の融合タンパク質のいずれも、標的配列、外膜タンパク質、または外膜タンパク質断片および植物成長刺激タンパク質もしくはペプチド、病原体から植物を保護するタンパク質もしくはペプチド、植物におけるストレス抵抗性を高めるタンパク質もしくはペプチド、または植物結合性タンパク質もしくはペプチドの間のアミノ酸リンカーを含むことができる。
【０１１６】
リンカーは、ポリアラニンリンカーまたはポリグリシンリンカーを含むことができる。アラニン残基およびグリシン残基の両方の混合物を含むリンカーも用いることができる。例えば、標的配列が配列番号１を含む場合、融合タンパク質は下記の構造のうちの一つを有することができる。
【０１１７】
リンカーなし：配列番号１−融合パートナータンパク質
アラニンリンカー：配列番号１−Ａｎ−融合パートナータンパク質
グリシンリンカー：配列番号１−Ｇｎ−融合パートナータンパク質
混合アラニンおよびグリシンリンカー：配列番号１−（Ａ／Ｇ）ｎ−融合パートナータンパク質。
【０１１８】
上記において、Ａｎ、Ｇｎ、および（Ａ／Ｇ）ｎは、それぞれ、あらゆる数のアラニン、あらゆる数のグリシン、またはアラニンおよびグリシンのあらゆる数の混合物である。例えば、ｎは１から２５であることができ、好ましくは６から１０である。リンカーがアラニン残基およびグリシン残基の混合物を含む場合、あらゆる組み合わせのグリシン残基およびアラニン残基を用いることができる。上記の構造において、「融合パートナータンパク質」は、植物成長刺激タンパク質もしくはペプチド、病原体から植物を保護するタンパク質もしくはペプチド、植物におけるストレス抵抗性を高めるタンパク質もしくはペプチド、または植物結合性タンパク質もしくはペプチドを表す。
【０１１９】
あるいはまたはさらに、リンカーは、プロテアーゼ認識部位を含むことができる。プロテアーゼ認識部位が含まれることで、プロテアーゼ認識部位を認識するプロテアーゼに曝露されると、植物成長刺激タンパク質もしくはペプチド、病原体から植物を保護するタンパク質もしくはペプチド、植物におけるストレス抵抗性を高めるタンパク質もしくはペプチド、または植物結合性タンパク質もしくはペプチドの標的除去が可能となる。
【０１２０】
植物成長刺激タンパク質およびペプチド
上記で示したように、融合タンパク質は、標的配列、外膜タンパク質、または外膜タンパク質断片および少なくとも一つの植物成長刺激タンパク質もしくはペプチドを含むことができる。例えば、植物成長刺激タンパク質もしくはペプチドは、ペプチドホルモン、非ホルモンペプチド、植物成長刺激性化合物の産生もしくは活性化に関与する酵素、または細菌、真菌もしくは植物の栄養源を分解もしくは改変する酵素を含むことができる。
【０１２１】
例えば、植物成長刺激タンパク質もしくはペプチドがペプチドホルモンを含む場合、ペプチドホルモンは、ファイトスルホカイン（例えば、ファイトスルホカイン−α）、ｃｌａｖａｔａ３（ＣＬＶ３）、システミン、ＺｍｌＧＦ、またはＳＣＲ／ＳＰ１１を含むことができる。
【０１２２】
植物成長刺激タンパク質もしくはペプチドが非ホルモンペプチドを含む場合、非ホルモンペプチドは、ＲＫＮ  １６Ｄ１０、Ｈｇ−Ｓｙｖ４６、ｅＮＯＤ４０ペプチド、メリチン、マストパラン、Ｍａｓ７、ＲＨＰＰ、ＰＯＬＡＲＩＳ、またはクニツ（ｋｕｎｉｔｚ）トリプシン阻害剤（ＫＴＩ）を含むことができる。
【０１２３】
植物成長刺激タンパク質もしくはペプチドは、植物成長刺激性化合物の産生もしくは活性化に関与する酵素を含むことができる。植物成長刺激化合物の産生もしくは活性化に関与する酵素は、植物成長を刺激して植物構造を変える化合物の生合成経路におけるいずれかの段階を触媒する酵素、または植物成長を刺激し植物構造を変える化合物の不活性もしくは低活性誘導体のその化合物の活性型もしくは高活性型への変換を触媒する酵素であることができる。
【０１２４】
植物成長刺激化合物は、根圏における細菌または真菌によって産生される化合物、例えば、２，３−ブタンジオールを含むことができる。
【０１２５】
あるいは、植物成長刺激化合物は、植物成長ホルモン、例えば、サイトカイニンもしくはサイトカイニン誘導体、エチレン、オーキシンもしくはオーキシン誘導体、ジベレリン酸もしくはジベレリン酸誘導体、アブシシン酸もしくはアブシシン酸誘導体、またはジャスモン酸もしくはジャスモン酸誘導体を含むことができる。
【０１２６】
植物成長刺激化合物がサイトカイニンもしくはサイトカイニン誘導体を含む場合、サイトカイニンまたはサイトカイニン誘導体は、キネチン、シス−ゼアチン、トランス−ゼアチン、６−ベンジルアミノプリン、ジヒドロキシゼアチン、Ｎ６−（Ｄ２−イソペンテニル）アデニン、リボシルゼアチン、Ｎ６−（Ｄ２−イソペンテニル）アデノシン、２−メチルチオ−シス−リボシルゼアチン、シス−リボシルゼアチン、トランス−リボシルゼアチン、２−メチルチオ−トランス−リボシルゼアチン、リボシルゼアチン−５−モノホスフェート、Ｎ６−メチルアミノプリン、Ｎ６−ジメチルアミノプリン、２′−デオキシゼアチンリボシド、４−ヒドロキシ−３−メチル−トランス−２−ブテニルアミノプリン、オルト−トポリン、メタ−トポリン、ベンジルアデニン、オルト−メチルトポリン、メタ−メチルトポリン、またはそれらの組み合わせを含むことができる。
【０１２７】
植物成長刺激化合物がオーキシンもしくはオーキシン誘導体を含む場合、オーキシンまたはオーキシン誘導体は、活性オーキシン、不活性オーキシン、複合型オーキシン、天然オーキシン、または合成オーキシン、またはそれらの組み合わせを含むことができる。例えば、オーキシンまたはオーキシン誘導体は、インドール−３−酢酸、インドール−３−ピルビン酸、インドール−３−アセトアルドキシム、インドール−３−アセトアミド、インドール−３−アセトニトリル、インドール−３−エタノール、インドール−３−ピルベート、インドール−３−アセトアルドキシム、インドール−３−酪酸、フェニル酢酸、４−クロロインドール−３−酢酸、グルコース−複合型オーキシン、またはそれらの組み合わせを含むことができる。
【０１２８】
植物成長刺激化合物の産生もしくは活性化に関与する酵素は、アセトインレダクターゼ、インドール−３−アセトアミドヒドロラーゼ、トリプトファンモノオキシゲナーゼ、アセト乳酸シンターゼ、α−アセト乳酸デカルボキシラーゼ、ピルビン酸デカルボキシラーゼ、ジアセチルレダクターゼ、ブタンジオールデヒドロゲナーゼ、アミノトランスフェラーゼ（例えば、トリプトファミノトランスフェラーゼ）、トリプトファンデカルボキシラーゼ、アミンオキシダーゼ、インドール−３−ピルビン酸デカルボキシラーゼ、インドール−３−アセトアルデヒドデヒドロゲナーゼ、トリプトファン側鎖オキシダーゼ、ニトリルヒドロラーゼ、ニトリラーゼ、ペプチダーゼ、プロテアーゼ、アデノシンリン酸イソペンテニルトランスフェラーゼ、ホスファターゼ、アデノシンキナーゼ、アデニンホスホリボシルトランスフェラーゼ、ＣＹＰ７３５Ａ、５′リボヌクレオチドホスホヒドロラーゼ、アデノシンヌクレオシダーゼ、ゼアチンシス−トランスイソメラーゼ、ゼアチンＯ−グルコシルトランスフェラーゼ、β−グルコシダーゼ、シス−ヒドロキシラーゼ、ＣＫシス−ヒドロキシラーゼ、ＣＫ  Ｎ−グルコシルトランスフェラーゼ、２，５−リボヌクレオチドホスホヒドロラーゼ、アデノシンヌクレオシダーゼ、プリンヌクレオシドホスホリラーゼ、ゼアチンレダクターゼ、ヒドロキシルアミンレダクターゼ、２−オキソグルタル酸ジオキシゲナーゼ、ジベレリン酸２Ｂ／３Ｂヒドロラーゼ、ジベレリン３−オキシダーゼ、ジベレリン２０−オキシダーゼ、キトシナーゼ（ｃｈｉｔｏｓｉｎａｓｅ）、キチナーゼ、β−１，３−グルカナーゼ、β−１，４−グルカナーゼ、β−１，６−グルカナーゼ、アミノシクロプロパン−１−カルボン酸デアミナーゼ、またはノッド因子産生に関与する酵素（例えば、ｎｏｄＡ、ｎｏｄＢ、またはｎｏｄＩ）を含むことができる。
【０１２９】
前記酵素がプロテアーゼまたはペプチダーゼを含む場合、プロテアーゼまたはペプチダーゼは、タンパク質、ペプチド、プロタンパク質、またはプレプロタンパク質を開裂させて生理活性ペプチドを作るプロテアーゼまたはペプチダーゼであることができる。その生理活性ペプチドは、生理活性を発揮するあらゆるペプチドであることができる。
【０１３０】
生理活性ペプチドの例には、ＲＫＮ  １６Ｄ１０およびＲＨＰＰなどがある。
【０１３１】
タンパク質、ペプチド、プロタンパク質、またはプレプロタンパク質を開裂させて生理活性ペプチドを作るプロテアーゼまたはペプチダーゼは、サブチリシン、酸プロテアーゼ、アルカリプロテアーゼ、プロテイナーゼ、エンドペプチダーゼ、エキソペプチダーゼ、サーモリシン、パパイン、ペプシン、トリプシン、プロナーゼ、カルボキシラーゼ、セリンプロテアーゼ、グルタミン酸プロテアーゼ、アスパラギン酸プロテアーゼ、システインプロテアーゼ、トレオニンプロテアーゼ、またはメタロプロテアーゼを含むことができる。
【０１３２】
プロテアーゼまたはペプチダーゼは、高タンパク質食（例えば、大豆ミールまたは酵母抽出物）中のタンパク質を開裂させることができる。
【０１３３】
植物成長刺激タンパク質は、細菌、真菌もしくは植物の栄養源を分解もしくは改変する酵素も含むことができる。そのような酵素には、セルラーゼ類、リパーゼ類、リグニンオキシダーゼ類、プロテアーゼ類、グリコシドヒドロラーゼ類、ホスファターゼ類、ニトロゲナーゼ類、ヌクレアーゼ類、アミダーゼ類、硝酸レダクターゼ類、亜硝酸レダクターゼ類、アミラーゼ類、アンモニアオキシダーゼ類、リグニナーゼ類、グルコシダーゼ類、ホスホリパーゼ類、フィターゼ類、ペクチナーゼ類、グルカナーゼ類、スルファターゼ類、ウレアーゼ類、キシラナーゼ類、およびシデロホア類などがある。植物成長培地に導入されたり、植物、種子または植物もしくは植物種子周囲の区画に施用された場合、細菌、真菌もしくは植物の栄養源を分解もしくは改変する融合タンパク質含有酵素は、植物近傍の栄養素のプロセシングに役立つことで、植物による、または植物近傍の有益な細菌もしくは真菌による栄養素取り込みを促進させることができる。
【０１３４】
好適なセルラーゼ類には、エンドセルラーゼ類（例えば、バチルス・サブチリス（Ｂａｃｉｌｌｕｓ  ｓｕｂｔｉｌｉｓ）エンドグルカナーゼ、バチルス・ツリンギエンシス（Ｂａｃｉｌｌｕｓ  ｔｈｕｒｉｎｇｉｅｎｓｉｓ）エンドグルカナーゼ、バチルス・セレウス（Ｂａｃｉｌｌｕｓ  ｃｅｒｅｕｓ）エンドグルカナーゼ、またはバチルス・クラウシイ（バチルス・クラウシイ（Ｂａｃｉｌｌｕｓ  ｃｌａｕｓｉｉ）エンドグルカナーゼなどのエンドグルコナーゼ（ｅｎｄｏｇｌｕｃｏｎａｓｅ））、エキソセルラーゼ類（例えば、トリコデルマ・リーゼイ（Ｔｒｉｃｈｏｄｅｒｍａ  ｒｅｅｓｅｉ）エキソセルラーゼ）、およびβ−グルコシダーゼ類（例えば、バチルス・サブチリス（Ｂａｃｉｌｌｕｓ  ｓｕｂｔｉｌｉｓ）β−グルコシダーゼ、バチルス・ツリンギエンシス（Ｂａｃｉｌｌｕｓ  ｔｈｕｒｉｎｇｉｅｎｓｉｓ）β−グルコシダーゼ、バチルス・セレウス（Ｂａｃｉｌｌｕｓ  ｃｅｒｅｕｓ）β−グルコシダーゼ、またはバチルス・クラウシイ（Ｂａｃｉｌｌｕｓ  ｃｌａｕｓｉｉ）Ｂ−グルコシダーゼ）などがある。
【０１３５】
前記リパーゼは、バチルス・サブチリス（Ｂａｃｉｌｌｕｓ  ｓｕｂｔｉｌｉｓ）リパーゼ、バチルス・ツリンギエンシス（Ｂａｃｉｌｌｕｓ  ｔｈｕｒｉｎｇｉｅｎｓｉｓ）リパーゼ、バチルス・セレウス（Ｂａｃｉｌｌｕｓ  ｃｅｒｅｕｓ）リパーゼ、またはバチルス・クラウシイ（Ｂａｃｉｌｌｕｓ  ｃｌａｕｓｉｉ）リパーゼを含むことができる。
【０１３６】
１実施形態において、リパーゼはバチルス・サブチリス（Ｂａｃｉｌｌｕｓ  ｓｕｂｔｉｌｉｓ）リパーゼを含む。そのバチルス・サブチリス（Ｂａｃｉｌｌｕｓ  ｓｕｂｔｉｌｉｓ）リパーゼは、次のプライマー：ｇｇａｔｃｃａｔｇｇｃｔｇａａｃａｃａａｔｃｃ（順方向、配列番号３７）およびｇｇａｔｃｃｔｔａａｔｔｃｇｔａｔｔｃｔｇｇｃｃ（逆方向、配列番号３８）を用いてＰＣＲ増幅することができる。
【０１３７】
別の実施形態において、セルラーゼはバチルス・サブチリス（Ｂａｃｉｌｌｕｓ  ｓｕｂｔｉｌｉｓ）エンドグルカナーゼである。バチルス・サブチリス（Ｂａｃｉｌｌｕｓ  ｓｕｂｔｉｌｉｓ）エンドグルカナーゼは、次のプライマー：ｇｇａｔｃｃａｔｇａａａｃｇｇｔｃａａｔｃ（順方向、配列番号３９）およびｇｇａｔｃｃｔｔａｃｔａａｔｔｔｇｇｔｔｃｔｇｔ（逆方向、配列番号４０）を用いてＰＣＲ増幅することができる。
【０１３８】
さらに別の実施形態において、融合タンパク質は、大腸菌（Ｅ．  ｃｏｌｉ）プロテアーゼＰｔｒＢを含む。大腸菌（Ｅ．  ｃｏｌｉ）プロテアーゼＰｔｒＢは、次のプライマー：ｇｇａｔｃｃａｔｇｃｔａｃｃａａａａｇｃｃ（順方向、配列番号４１）およびｇｇａｔｃｃｔｔａｇｔｃｃｇｃａｇｇｃｇｔａｇｃ（逆方向、配列番号４２）を用いてＰＣＲ増幅することができる。
【０１３９】
ある種の実施形態において、前記融合タンパク質は、配列番号１０４におけるヌクレオチド配列由来のエンドグルカナーゼを含む。
【０１４０】
標的配列、外膜タンパク質、または外膜タンパク質断片および、適宜にリンカー配列、例えばポリ−Ａリンカーに融合し得る例示的なエンドグルカナーゼについてのアミノ酸配列は、配列番号１０７として提供される融合タンパク質である。
【０１４１】
他の実施形態において、前記融合タンパク質は、配列番号１０５に示したヌクレオチド配列由来のホスホリパーゼを含む。
【０１４２】
標的配列、外膜タンパク質、または外膜タンパク質断片および適宜にリンカー配列、例えばポリ−Ａリンカーに融合し得る例示的なホスホリパーゼについてのアミノ酸配列は、配列番号１０８として提供される融合タンパク質である。
【０１４３】
さらに別の実施形態において、前記融合タンパク質は、配列番号１０６で示したヌクレオチド配列由来のキトサナーゼを含む。融合タンパク質中の、標的配列、外膜タンパク質、または外膜タンパク質断片および適宜にリンカー配列、例えばポリ−Ａリンカーに融合し得る例示的なキトサナーゼについてのアミノ酸配列は、配列番号１０９として提供される。
【０１４４】
融合構築物を作るため、オバーラップエクステンションによるスプライシング（ＳＯＥ）技術を用いて、ＢｃｌＡの最初の３５アミノ酸（配列番号１のアミノ酸１から３５）をコードするバチルス・ツリンギエンシス（Ｂａｃｉｌｌｕｓ  ｔｈｕｒｉｎｇｉｅｎｓｉｓ）ＤＮＡの天然ｂｃｌＡプロモーターに遺伝子を融合させることができる。正しい単位複製配列を大腸菌（Ｅ．  ｃｏｌｉ）／バチルス（Ｂａｃｉｌｌｕｓ）シャトルベクターｐＨＰ１３にクローニングし、正しいクローンをＤＮＡ配列決定によってスクリーニングする。正しいクローンをバチルス・ツリンギエンシス（Ｂａｃｉｌｌｕｓ  ｔｈｕｒｉｎｇｉｅｎｓｉｓ）（Ｃｒｙ−、プラスミド−）にエレクトロポレーションし、クロラムフェニコール抵抗性に関してスクリーニングする。正しい形質転換体をブレインハートインフュージョン培地において３０℃で終夜増殖させ、栄養寒天プレートに蒔き、３０℃で３日間インキュベートする。融合構築物を発現する胞子（ＢＥＭＤ胞子）を、リン酸緩衝生理食塩水（ＰＢＳ）で洗浄することでプレートから回収し、遠心およびさらなるＰＢＳでの洗浄によって精製することができる。
【０１４５】
そのような融合タンパク質において、エンドグルカナーゼ、ホスホリパーゼまたはキトシナーゼ（ｃｈｉｔｏｓｉｎａｓｅ）は、それぞれ配列番号１０７、１０８または１０９と少なくとも８５％同一性を有するアミノ酸配列をコードするヌクレオチド配列を含むことができる。
【０１４６】
そのような融合タンパク質において、エンドグルカナーゼ、ホスホリパーゼまたはキトシナーゼ（ｃｈｉｔｏｓｉｎａｓｅ）は、それぞれ配列番号１０７、１０８または１０９と少なくとも９０％同一性を有するアミノ酸配列を含むことができる。
【０１４７】
そのような融合タンパク質において、エンドグルカナーゼ、ホスホリパーゼまたはキトシナーゼ（ｃｈｉｔｏｓｉｎａｓｅ）は、それぞれ配列番号１０７、１０８または１０９と少なくとも９５％同一性を有するアミノ酸配列を含むことができる。
【０１４８】
そのような融合タンパク質において、エンドグルカナーゼ、ホスホリパーゼまたはキトシナーゼ（ｃｈｉｔｏｓｉｎａｓｅ）は、それぞれ配列番号１０７、１０８または１０９と「少なくとも９８％同一性を有するアミノ酸配列を含むことができる。
【０１４９】
そのような融合タンパク質において、エンドグルカナーゼ、ホスホリパーゼまたはキトシナーゼ（ｃｈｉｔｏｓｉｎａｓｅ）は、それぞれ配列番号１０７、１０８または１０９と少なくとも９９％同一性を有するアミノ酸配列を含むことができる。
【０１５０】
好適なリグニンオキシダーゼは、リグニンペルオキシダーゼ類、ラッカーゼ類、グリオキサールオキシダーゼ類、リグニナーゼ類、およびマンガンペルオキシダーゼ類を含む。
【０１５１】
プロテアーゼは、サブチリシン、酸プロテアーゼ、アルカリプロテアーゼ、プロテイナーゼ、ペプチダーゼ、エンドペプチダーゼ、エキソペプチダーゼ、サーモリシン、パパイン、ペプシン、トリプシン、プロナーゼ、カルボキシラーゼ、セリンプロテアーゼ、グルタミン酸プロテアーゼ、アスパラギン酸プロテアーゼ、システインプロテアーゼ、トレオニンプロテアーゼ、またはメタロプロテアーゼを含むことができる。
【０１５２】
ホスファターゼは、リン酸モノエステルヒドロラーゼ、ホスホモノエステラーゼ（例えば、ＰｈｏＡ４）、リン酸ジエステルヒドロラーゼ、ホスホジエステラーゼ、三リン酸モノエステルヒドロラーゼ、無水リン酸ヒドロラーゼ、ピロホスファターゼ、フィターゼ（例えば、バチルス・サブチリス（Ｂａｃｉｌｌｕｓ  ｓｕｂｔｉｌｉｓ）ＥＥ１４８フィターゼまたはバチルス・ツリンギエンシス（Ｂａｃｉｌｌｕｓ  ｔｈｕｒｉｎｇｉｅｎｓｉｓ）ＢＴ０１３Ａフィターゼ）、トリメタホスファターゼまたはトリホスファターゼを含むことができる。
【０１５３】
ニトロゲナーゼは、Ｎｉｆファミリーニトロゲナーゼ（例えば、パニエバシラス・メシリエンシス（Ｐａｅｎｉｂａｃｉｌｌｕｓ  ｍａｓｓｉｌｉｅｎｓｉｓ）ＮｉｆＢＤＥＨＫＮＸＶ）を含むことができる。
【０１５４】
病原体から植物を保護するタンパク質およびペプチド
融合タンパク質は、標的配列、外膜タンパク質、または外膜タンパク質断片、および植物を病原体から保護する少なくとも一つのタンパク質もしくはペプチドを含むことができる。
【０１５５】
タンパク質またはペプチドは、植物免疫応答を刺激するタンパク質またはペプチドを含むことができる。例えば、植物免疫応答を刺激するタンパク質またはペプチドは、植物免疫系エンハンサータンパク質またはペプチドを含むことができる。植物免疫系エンハンサータンパク質またはペプチドは、植物の免疫系に対して有益な効果を有するタンパク質またはペプチドであることができる。好適な植物免疫系エンハンサータンパク質およびペプチドには、ハーピン類、α−エラスチン類、β−エラスチン類、システミン類、フェニルアラニンアンモニア−リアーゼ、エリシチン類、デフェンシン類、クリプトゲイン類、フラゲリンタンパク質、およびフラゲリンペプチド類（例えば、ｆｌｇ２２）などがある。
【０１５６】
あるいは、病原体から植物を保護するタンパク質もしくはペプチドは、抗菌活性、抗真菌活性、または抗菌および抗真菌の両方の活性を有するタンパク質またはペプチドであることができる。そのようなタンパク質およびペプチドの例には、バクテリオシン類、リゾチーム類、リゾチームペプチド類（例えば、ＬｙｓＭ）、シデロホア類、非リボソーム活性ペプチド類、コンアルブミン類、アルブミン類、ラクトフェリン類、ラクトフェリンペプチド類（例えば、ＬｆｃｉｎＢ）、ストレプトアビジンおよびＴａｓＡなどがある。
【０１５７】
病原体から植物を保護するタンパク質もしくはペプチドは、殺虫活性、殺蠕虫活性を有する、昆虫または青虫捕食を抑制する、またはそれらの組み合わせを有するタンパク質またはペプチドであることもできる。例えば、病原体から植物を保護するタンパク質もしくはペプチドは、殺虫性細菌毒素（例えば、ＶＩＰ殺虫性タンパク質）、内毒素、Ｃｒｙ毒素（例えば、バチルス・ツリンギエンシス（Ｂａｃｉｌｌｕｓ  ｔｈｕｒｉｎｇｉｅｎｓｉｓ）からのＣｒｙ毒素）、プロテアーゼ阻害剤タンパク質またはペプチド（例えば、トリプシン阻害剤またはアローヘッド（ａｒｒｏｗｈｅａｄ）プロテアーゼ阻害剤）、システインプロテアーゼ、またはキチナーゼを含むことができる。Ｃｒｙ毒素がバチルス・ツリンギエンシス（Ｂａｃｉｌｌｕｓ  ｔｈｕｒｉｎｇｉｅｎｓｉｓ）からのＣｒｙ毒素である場合、そのＣｒｙ毒素はＣｒｙ５Ｂタンパク質またはＣｒｙ２１Ａタンパク質であることができる。Ｃｒｙ５ＢおよびＣｒｙ２１Ａは、殺虫および殺線虫の両方の活性を有する。
【０１５８】
病原体から植物を保護するタンパク質は、酵素を含むことができる。好適な酵素には、プロテアーゼ類およびラクトナーゼ類などがある。そのプロテアーゼ類およびラクトナーゼ類は、細菌シグナル伝達分子（例えば、細菌ラクトンホモセリンシグナル伝達分子）に特異的であることができる。
【０１５９】
その酵素がラクトナーゼである場合、そのラクトナーゼは、１，４−ラクトナーゼ、２−ピロン−４，６−ジカルボキシレートラクトナーゼ、３−オキソアジペートエノール−ラクトナーゼ、アクチノマイシンラクトナーゼ、デオキシリモネートＡ環−ラクトナーゼ、グルコノラクトナーゼＬ−ラムノノ−１，４−ラクトナーゼ、リモニン−Ｄ環−ラクトナーゼ、ステロイド−ラクトナーゼ、トリアセテート−ラクトナーゼ、またはキシロノ−１，４−ラクトナーゼを含むことができる。
【０１６０】
その酵素は、細菌または真菌の細胞成分に特異的な酵素であることもできる。例えば、その酵素は、β−１，３−グルカナーゼ、β−１，４−グルカナーゼ、β−１，６−グルカナーゼ、キトシナーゼ（ｃｈｉｔｏｓｉｎａｓｅ）、キチナーゼ、キトシナーゼ（ｃｈｉｔｏｓｉｎａｓｅ）様酵素、リチカーゼ、ペプチダーゼ、プロテイナーゼ、プロテアーゼ（例えば、アルカリプロテアーゼ、酸プロテアーゼ、または中性プロテアーゼ）、ムタノリシン、スタホリシン（ｓｔａｐｈｏｌｙｓｉｎ）、またはリゾチームを含むことができる。
【０１６１】
植物におけるストレス抵抗性を高めるタンパク質およびペプチド
前記融合タンパク質は、標的配列、外膜タンパク質、または外膜タンパク質断片および少なくとも一つの植物におけるストレス抵抗性を高めるタンパク質もしくはペプチドを含むことができる。
【０１６２】
例えば、前記植物におけるストレス抵抗性を高めるタンパク質もしくはペプチドは、ストレス関連化合物を分解する酵素を含む。ストレス関連化合物には、アミノシクロプロパン−１−カルボン酸（ＡＣＣ）、反応性酸素種、一酸化窒素、オキシリピン類およびフェノール類などがあるが、それらに限定されるものではない。具体的な反応性酸素種には、ヒドロキシル、過酸化水素、酸素、およびスーパーオキシドなどがある。ストレス関連化合物を分解する酵素は、スーパーオキシドジスムターゼ、オキシダーゼ、カタラーゼ、アミノシクロプロパン−１−カルボン酸デアミナーゼ、ペルオキシダーゼ、抗酸化酵素、または抗酸化ペプチドを含むことができる。
【０１６３】
植物におけるストレス抵抗性を高めるタンパク質もしくはペプチドは、植物を環境ストレスから保護するタンパク質またはペプチドも含むことができる。環境ストレスは、例えば、干魃、洪水、熱、凍結、塩、重金属、低ｐＨ、高ｐＨまたはそれらの組み合わせを含むことができる。例えば、植物を環境ストレスから保護するタンパク質またはペプチドは、氷核形成タンパク質、プロリナーゼ、フェニルアラニンアンモニアリアーゼ、イソコリスミ酸シンターゼ、イソコリスミ酸ピルビン酸リアーゼ、またはコリンデヒドロゲナーゼを含むことができる。
【０１６４】
植物結合タンパク質およびペプチド
前記融合タンパク質は、標的配列、外膜タンパク質、または外膜タンパク質断片および少なくとも植物結合性タンパク質もしくはペプチドを含むことができる。その植物結合性タンパク質もしくはペプチドは、植物のいずれかの部分（例えば、植物根または植物の地上部分、例えば葉、茎、花、または果実）または植物体に特異的もしくは非特異的に結合する能力を有するタンパク質またはペプチドであることができる。従って、例えば、前記植物結合性タンパク質もしくはペプチドは、根結合性タンパク質もしくはペプチド、または葉結合性タンパク質もしくはペプチドであることができる。
【０１６５】
好適な植物結合性タンパク質およびペプチドには、アドヘシン類（例えば、リガデシン（ｒｈｉｃａｄｈｅｓｉｎ））、フラゲリン類、オムプチン類、レクチン類、エクスパンシン類、バイオフィルム構造タンパク質（例えば、ＴａｓＡまたはＹｕａＢ）繊毛タンパク質、カールス（ｃｕｒｌｕｓ）タンパク質、インチミン類、インベーシン類、アグルチニン類、およびアフィムブリアル（ａｆｉｍｂｒｉａｌ）タンパク質などがある。
【０１６６】
融合タンパク質を発現する組換えバチルス
本明細書に記載の融合タンパク質は、組換え外膜産生性バチルス細胞によって発現することができる。融合タンパク質は、上記で記載の融合タンパク質のいずれかであることができる。
【０１６７】
組換え外膜産生性バチルス細胞は、２以上の上記の融合タンパク質のいずれかを共発現することができる。例えば、組換え外膜産生性バチルス細胞は、植物成長刺激タンパク質もしくはペプチドを含む少なくとも一つの融合タンパク質、病原体から植物を保護するタンパク質もしくはペプチドを含む少なくとも一つの融合タンパク質、または少なくとも一つの植物におけるストレス抵抗性を高めるタンパク質もしくはペプチドとともに、植物結合性タンパク質もしくはペプチドを含む少なくとも一つの融合タンパク質を共発現することができる。
【０１６８】
組換え外膜産生性バチルス細胞は、バチルス・アントラシス（Ｂａｃｉｌｌｕｓ  ａｎｔｈｒａｃｉｓ）、バチルス・セレウス（Ｂａｃｉｌｌｕｓ  ｃｅｒｅｕｓ）、バチルス・ツリンギエンシス（Ｂａｃｉｌｌｕｓ  ｔｈｕｒｉｎｇｉｅｎｓｉｓ）、バチルス・ミコイデス（Ｂａｃｉｌｌｕｓ  ｍｙｃｏｉｄｅｓ）、バチルス・シュードミコイデス（Ｂａｃｉｌｌｕｓ  ｐｓｅｕｄｏｍｙｃｏｉｄｅｓ）、バチルス・サマニイ（Ｂａｃｉｌｌｕｓ  ｓａｍａｎｉｉ）、バチルス・ガエモケンシス（Ｂａｃｉｌｌｕｓ  ｇａｅｍｏｋｅｎｓｉｓ）、バチルス・ウェイヘンステフェンシス（Ｂａｃｉｌｌｕｓ  ｗｅｉｈｅｎｓｔｅｐｈｅｎｓｉｓ）、バチルス・トヨイエンシスウェイヘンステフェンシス（Ｂａｃｉｌｌｕｓ  ｔｏｙｏｉｅｎｓｉｓ）またはそれらの組み合わせを含むことができる。例えば、組換え外膜産生性バチルス細胞は、バチルス・セレウス（Ｂａｃｉｌｌｕｓ  ｃｅｒｅｕｓ）、バチルス・ツリンギエンシス（Ｂａｃｉｌｌｕｓ  ｔｈｕｒｉｎｇｉｅｎｓｉｓ）、バチルス・シュードミコイデス（Ｂａｃｉｌｌｕｓ  ｐｓｅｕｄｏｍｙｃｏｉｄｅｓ）、またはバチルス・ミコイデス（Ｂａｃｉｌｌｕｓ  ｍｙｃｏｉｄｅｓ）を含むことができる。特に、組換え外膜産生性バチルス細胞は、バチルス・ツリンギエンシス（Ｂａｃｉｌｌｕｓ  ｔｈｕｒｉｎｇｉｅｎｓｉｓ）またはバチルス・ミコイデス（Ｂａｃｉｌｌｕｓ  ｍｙｃｏｉｄｅｓ）を含むことができる。
【０１６９】
融合タンパク質を発現する組換え外膜産生性バチルス細胞を発生させるため、バチルス・セレウス（Ｂａｃｉｌｌｕｓ  ｃｅｒｅｕｓ）科構成員を、当業界で公知の標準的方法（例えば、エレクトロポレーションによって）を用いて融合タンパク質をコードするベクターで複合化、形質導入または形質転換することができる。次に、当該細菌をスクリーニングして、当業者に公知の方法によって形質転換体を識別することができる。例えば、ベクターが抗生物質抵抗性遺伝子を含む場合、細菌を抗生物質抵抗性についてスクリーニングすることができる。あるいは、その融合タンパク質をコードするＤＮＡを、Ｂ．セレウス（Ｂ．  ｃｅｒｅｕｓ）科構成員宿主の染色体ＤＮＡに組み込むことができる。次に、組換え外膜産生性バチルス細胞を、胞子形成を誘発する条件に曝露することができる。胞子形成を誘発するのに好適な条件は当業界で公知である。例えば、組換え外膜産生性バチルス細胞を寒天プレートに蒔き、約３０℃の温度で数日間（例えば３日間）インキュベートすることができる。
【０１７０】
上記属種のいずれかの不活性化株、無毒性株または遺伝子組み換えが行われた株も好適に用いることができる。例えば、Ｃｒｙ毒素を欠損しているバチルス・ツリンギエンシス（Ｂａｃｉｌｌｕｓ  ｔｈｕｒｉｎｇｉｅｎｓｉｓ）を用いることができる。あるいはまたはさらに、融合タンパク質を発現する組換えＢ．セレウス（Ｂ．  ｃｅｒｅｕｓ）科胞子が発生すると、それらを不活性化して、以前に使われたさらなる発芽を防止することができる。当業界で公知の細菌胞子を不活性化するいかなる方法も用いることができる。好適な方法には、熱処理、γ線照射、Ｘ線照射、ＵＶ−Ａ照射、ＵＶ−Ｂ照射、化学的処理（例えば、グルタルアルデヒド、ホルムアルデヒド、過酸化水素、酢酸、漂白剤またはこれらのいずれかの組み合わせによる処理）などがあるが、これらに限定されるものではない。あるいは、毒素非産生株、または遺伝的もしくは物理的不活性化株由来の胞子を用いることができる。
【０１７１】
植物成長促進効果および／または他の有益な特質を有する組換え外膜産生性バチルス細胞
多くのバチルス・セレウス（Ｂａｃｉｌｌｕｓ  ｃｅｒｅｕｓ）科構成員株が。固有の有益な特質を有する。例えば、一部の株は、植物成長促進効果を有する。本明細書に記載の融合タンパク質のいずれも、そのような株で発現させることができる。
【０１７２】
例えば、組換え外膜産生性バチルス細胞は、植物成長促進性細菌株を含むことができる。
【０１７３】
植物成長促進性細菌株は、を含むことができる。殺虫性毒素（例えば、Ｃｒｙ毒素）を産生する細菌株は、殺真菌性化合物（例えば、β−１，３−グルカナーゼ、キトシナーゼ（ｃｈｉｔｏｓｉｎａｓｅ）、リチカーゼ、またはそれらの組み合わせ）を産生し、殺線虫化合物（例えば、Ｃｒｙ毒素）を産生し、殺細菌性化合物を産生し、１以上の抗生物質に対して抵抗性であり、１以上の自由に複製するプラスミドを含み、植物根に結合し、植物根にコロニー形成し、バイオフィルムを形成し、栄養素を可溶化し、有機酸を分泌し、またはこれらのいずれかの組み合わせを行う。
【０１７４】
例えば、組換え外膜産生性バチルス細胞が植物成長促進性細菌株を含む場合、植物成長促進性細菌株は、バチルス・ミコイデス（Ｂａｃｉｌｌｕｓ  ｍｙｃｏｉｄｅｓ）ＢＴ１５５（ＮＲＲＬ番号Ｂ−５０９２１）、バチルス・ミコイデス（Ｂａｃｉｌｌｕｓ  ｍｙｃｏｉｄｅｓ）ＥＥ１１８（ＮＲＲＬ番号Ｂ−５０９１８）、バチルス・ミコイデス（Ｂａｃｉｌｌｕｓ  ｍｙｃｏｉｄｅｓ）ＥＥ１４１（ＮＲＲＬ番号Ｂ−５０９１６）、バチルス・ミコイデス（Ｂａｃｉｌｌｕｓ  ｍｙｃｏｉｄｅｓ）ＢＴ４６−３（ＮＲＲＬ番号Ｂ−５０９２２）、バチルス・セレウス（Ｂａｃｉｌｌｕｓ  ｃｅｒｅｕｓ）科構成員ＥＥ１２８（ＮＲＲＬ番号Ｂ−５０９１７）、バチルス・ツリンギエンシス（Ｂａｃｉｌｌｕｓ  ｔｈｕｒｉｎｇｉｅｎｓｉｓ）ＢＴ０１３Ａ（ＮＲＲＬ番号Ｂ−５０９２４）、またはバチルス・セレウス（Ｂａｃｉｌｌｕｓ  ｃｅｒｅｕｓ）科構成員ＥＥ３４９（ＮＲＲＬ番号Ｂ−５０９２８）を含むことができる。バチルス・ツリンギエンシス（Ｂａｃｉｌｌｕｓ  ｔｈｕｒｉｎｇｉｅｎｓｉｓ）ＢＴ０１３Ａは、バチルス・ツリンギエンシス（Ｂａｃｉｌｌｕｓ  ｔｈｕｒｉｎｇｉｅｎｓｉｓ）４Ｑ７としても知られる。これらの各株は、米国農務省（ＵＳＤＡ）農業調査局（ＡＲＳ）（住所１８１５  Ｎｏｒｔｈ  Ｕｎｉｖｅｒｓｉｔｙ  Ｓｔｒｅｅｔ，  Ｐｅｏｒｉａ，  Ｉｌｌｉｎｏｉｓ  ６１６０４，  Ｕ．Ｓ．Ａ．）に２０１４年３月１０日付けで寄託されており、括弧内に提供されるＮＲＲＬ寄託番号によって識別される。
【０１７５】
これらの植物成長促進性株は、各種の元気の良い植物の根圏から単離されており、それらの１６Ｓ  ｒＲＮＡ配列により、そして生化学的アッセイによって同定されている。その株は、従来の生化学的および形態学的指標によって、少なくともそれらの属名に特定されている。バチルスなどの確認されたグラム陽性株についての生化学的アッセイには、ＰＥＡ培地および栄養寒天での増殖、顕微鏡検査、５％および７．５％ＮａＣｌ培地での増殖、ｐＨ５およびｐＨ９での増殖、４２℃および５０℃での増殖、セロビオース、乳糖、グリセロール、グルコース、ショ糖、ｄ−マンニトールおよびデンプンとの発酵での酸を産生する能力；蛍光顔料産生；ゼラチン加水分解；硝酸還元；カタラーゼ産生、デンプン加水分解；オキシダーゼ反応、ウレアーゼ産生および運動性が含まれていた。
【０１７６】
例えば、植物成長促進性細菌株を含む組換え外膜産生性バチルス細胞は、バチルス・ミコイデス（Ｂａｃｉｌｌｕｓ  ｍｙｃｏｉｄｅｓ）ＢＴ１５５、バチルス・ミコイデス（Ｂａｃｉｌｌｕｓ  ｍｙｃｏｉｄｅｓ）ＥＥ１４１、またはバチルス・ツリンギエンシス（Ｂａｃｉｌｌｕｓ  ｔｈｕｒｉｎｇｉｅｎｓｉｓ）ＢＴ０１３Ａを含むことができる。組換え外膜産生性バチルス細胞は、本明細書に記載の融合タンパク質のいずれか、例えば配列番号６０の標的配列および非ホルモンペプチドを含む融合タンパク質（例えば、クニツ（ｋｕｎｉｔｚ）トリプシン阻害剤（ＫＴＩ））、植物成長刺激性化合物の産生もしくは活性化に関与する酵素（例えば、キトシナーゼ（ｃｈｉｔｏｓｉｎａｓｅ））、植物結合性タンパク質もしくはペプチド（例えば、ＴａｓＡ）；病原体から植物を保護するタンパク質もしくはペプチド（例えば、ＴａｓＡ）、または細菌、真菌もしくは植物の栄養源を分解もしくは改変する酵素（例えば、ホスファターゼ、例えばＰｈｏＡまたはフィターゼ、またはエンドグルカナーゼ）を発現することができる。
【０１７７】
プロモーター
本明細書に記載の組換え外膜産生性バチルス細胞のいずれにおいても、前記融合タンパク質は、標的配列、外膜タンパク質、または融合タンパク質の外膜タンパク質断片由来のプロモーターの制御下に発現することができる。例えば、融合タンパク質がＢ．アントラシス（Ｂ．  ａｎｔｈｒａｃｉｓ）スターン（Ｓｔｅｒｎｅ）ＢｃｌＡ（例えば、配列番号１のアミノ酸２０から３５、配列番号１のアミノ酸１から３５、配列番号１、または配列番号６０）由来の標的配列を含み、または融合タンパク質が全長ＢｃｌＡ（配列番号２）また全長ＢｃｌＡの断片（例えば、配列番号５９）を含む場合、融合タンパク質はＢ．アントラシス（Ｂ．  ａｎｔｈｒａｃｉｓ）スターン（Ｓｔｅｒｎｅ）（例えば、配列番号８５のプロモーター）のゲノム中のＢｃｌＡ遺伝子と通常関連しているプロモーターの制御下に発現することができる。
【０１７８】
あるいは、前記融合タンパク質は、高発現胞子形成プロモーターの制御下に発現させることができる。一部の場合で、前記標的配列、外膜タンパク質、または外膜タンパク質断片由来のプロモーターは、高発現胞子形成プロモーターであろう。他の場合、前記標的配列、外膜タンパク質、または外膜タンパク質断片由来のプロモーターは、高発現胞子形成プロモーターではないであろう。後者の場合、天然プロモーターに代えて高発現胞子形成プロモーターを用いることが有利である可能性がある。高発現胞子形成プロモーターの制御下での融合タンパク質の発現によって、バチルス・セレウス（Ｂａｃｉｌｌｕｓ  ｃｅｒｅｕｓ）科構成員の外膜上での融合タンパク質の発現が増加する。
【０１７９】
高発現胞子形成プロモーターは、１以上のσ−Ｋ胞子形成特異的ポリメラーゼプロモーター配列を含むことができる。
【０１８０】
バチルス・セレウス（Ｂａｃｉｌｌｕｓ  ｃｅｒｅｕｓ）科構成員において融合タンパク質を発現させるのに使用される好適な高発現胞子形成プロモーターには、下記の表２に挙げたものなどがある。
【０１８１】
表２．プロモーター配列
【表２】
2017530965.tif 000010
2017530965.tif 000011
2017530965.tif 000012
2017530965.tif 000013
2017530965.tif 000014
【０１８２】
上記表２に挙げたプロモーター配列において、σ−Ｋ胞子形成特異的ポリメラーゼプロモーター配列の位置が、太字で下線を施した文字列によって示されている。Ｃｒｙ１Ａプロモーター（Ｂ．ツリンギエンシス（Ｂ．  ｔｈｕｒｉｎｇｉｅｎｓｉｓ）ＨＤ−７３；配列番号９０）は、合計４個のσ−Ｋ配列を有し、そのうちの２個が、表２で二重下線によって示したように、互いに重複している。
【０１８３】
バチルス・セレウス（Ｂａｃｉｌｌｕｓ  ｃｅｒｅｕｓ）科構成員において前記融合タンパク質を発現するのに使用される好ましい高発現胞子形成プロモーターには、ＢｅｔＡプロモーター（Ｂ．アントラシス（Ｂ．  ａｎｔｈｒａｃｉｓ）スターン（Ｓｔｅｒｎｅ）；配列番号８６）、ＢｃｌＡプロモーター（Ｂ．アントラシス（Ｂ．  ａｎｔｈｒａｃｉｓ）スターン（Ｓｔｅｒｎｅ）；配列番号８５）、ＢｃｌＡクラスターグリコシルトランスフェラーゼオペロン１および２プロモーター（Ｂ．アントラシス（Ｂ．  ａｎｔｈｒａｃｉｓ）スターン（Ｓｔｅｒｎｅ）；配列番号１０１および１０２）、およびＹＶＴＮβ−プロペラタンパク質プロモーター（Ｂ．ウェイヘンステフェンシス（Ｂ．  ｗｅｉｈｅｎｓｔｅｐｈｅｎｓｉｓ)ＫＢＡＢ４；配列番号８９）などがある。
【０１８４】
本明細書に記載の組換え外膜産生性バチルス細胞のいずれにおいても、前記融合タンパク質は、配列番号８５から１０３のいずれか一つの核酸配列と少なくとも８０％、少なくとも９０％、少なくとも９５％、少なくとも９８％、少なくとも９９％、または１００％同一性を有する核酸配列を含む胞子形成プロモーターの制御下に発現させることができる。
【０１８５】
胞子形成プロモーターが配列番号８５から１０３のいずれか一つの核酸配列と少なくとも８０％、少なくとも９０％、少なくとも９５％、少なくとも９８％、または少なくとも９９％同一性を有する核酸配列を含む場合、σ−Ｋ胞子形成特異的ポリメラーゼプロモーター配列または複数配列は好ましくは、配列番号８５、８６、８７、８８、８９、９０、９１、９２、９３、９４、９５、９６、９７、９８、９９、１００、１０１、１０２、または１０３の相当するヌクレオチドと１００％同一性を有する。例えば、上記表２に示したように、Ｂ．アントラシス（Ｂ．  ａｎｔｈｒａｃｉｓ）スターン（Ｓｔｅｒｎｅ）のＢｃｌＡプロモーター（配列番号８５）は、ヌクレオチド２４から３２、３５から４３、および１２９から１３７でσ−Ｋ胞子形成特異的ポリメラーゼプロモーター配列を有する。従って、胞子形成プロモーターが配列番号８５の核酸配列と少なくとも９０％同一性を有する配列を含む場合、配列番号８５のヌクレオチド２４から３２、３５から４３、および１２９から１３７に相当する胞子形成プロモーターのヌクレオチドが配列番号８５のヌクレオチド２４から３２、３５から４３、および１２９から１３７と１００％同一性を有することが好ましい。
【０１８６】
本明細書に記載の植物成長刺激方法のいずれにおいても、組換え外膜産生性バチルス細胞および本明細書に開示の特定の微生物から選択される少なくとも一つの別の生物農薬を含む植物成長培地で成長する植物は、組換え外膜産生性バチルス細胞を含まない同一の植物成長培地での植物の成長と比較して高い成長を示す。
【０１８７】
植物成長を刺激する本発明に記載の組成物および方法のいずれにおいても、組換え外膜産生性バチルス細胞は、上記細菌の組換え植物成長促進性株のいずれかを含むことができる。
【０１８８】
本明細書に開示の植物成長を刺激する組成物または方法のいずれにおいても、前記融合タンパク質は、上記プロモーターのいずれかの制御下に発現させることができる。
【０１８９】
合成根粒形成因子および植物成長刺激剤
一部の実施形態において、融合タンパク質を発現する組換え外膜産生性バチルス細胞および少なくとも一つの本明細書に記載の生物農薬を含む組成物はさらに、合成根粒形成因子および／または植物成長刺激剤を含む。そのような合成化合物の非限定的な例は、下記一般式（Ｉ）の化合物ならびにそれの農業的に許容される幾何異性体および／または光学異性体、エナンチオマーおよび／またはジアステレオマー、互変異体、塩、Ｎ−オキサイド、スルホキシドもしくはスルホンである。
【化１】
2017530965.tif 000015
【０１９０】
式中、
ｎは２または３であり；
Ａは−Ｃ（Ｏ）−であり；
Ｂはフェニレンであり；
Ｃは−Ｏ−であり；
Ｄは、飽和であるか炭素４と５個の間で不飽和である炭素１１個を含む直鎖炭化水素系鎖であり；
ＥおよびＧは独立に、置換基ＮＨＲ２０からなる群から選択され；
Ｒ１、Ｒ２、Ｒ３、Ｒ４、Ｒ５、Ｒ６、Ｒ７、およびＲ９はＨであり；
Ｒ８は、Ｈ、フコシル、メチルフコシル、ＳＯ３Ｈ、ＳＯ３Ｌｉ、ＳＯ３Ｎａ、ＳＯ３ＫおよびＳＯ３Ｎ（Ｃ１−８−アルキル）４からなる群から選択され；
Ｒ２０はＣ（Ｏ）Ｃ１−６−アルキルである。
【０１９１】
前記塩は、リチウム、ナトリウム、カリウムおよびテトラアルキルアンモニウム塩からなる群から選択されることができる。
【０１９２】
ある種の実施形態において、ＥおよびＧはＮＨＣ（Ｏ）ＣＨ３である。
【０１９３】
他の実施形態において、Ｒ８は、Ｈ、ＳＯ３Ｈ、ＳＯ３Ｌｉ、ＳＯ３Ｎａ、ＳＯ３Ｋ、ＳＯ３Ｎ（Ｃ１−８アルキル）４および下記式の置換基からなる群から選択される。
【化２】
2017530965.tif 000016
【０１９４】
式中、
Ｒ２６は、ＨおよびＣＨ３からなる群から選択され；
Ｒ２７およびＲ２８は独立に、Ｈ、Ｃ（Ｏ）ＣＨ３、ＳＯ３Ｈ、ＳＯ３Ｌｉ、ＳＯ３Ｎａ、ＳＯ３ＫおよびＳＯ３Ｎ（Ｃ１−８アルキル）４からなる群から選択される。
【０１９５】
一部の態様において、Ｒ２６、Ｒ２７、およびＲ２８はいずれも水素である。
【０１９６】
本発明で使用可能な合成根粒形成因子および／または植物成長刺激剤の別の非限定的な例には、下記構造式の化合などがある。
【化３】
2017530965.tif 000017
2017530965.tif 000018
2017530965.tif 000019
2017530965.tif 000020
2017530965.tif 000021
【０１９７】
式中、存在する場合、ＭはＨ＋、Ｌｉ＋、Ｎａ＋、Ｋ＋および（Ｃ１−８アルキル）４Ｎ＋からなる群から選択される。
【０１９８】
ある種の態様において、合成根粒形成因子および／または植物成長刺激剤は、下記のものからなる群から選択される化合物である。
【化４】
2017530965.tif 000022
2017530965.tif 000023
【０１９９】
別の生物農薬
生物農薬には、特には、昆虫、ダニ、線虫および／または植物病原体に対して活性を示す細菌、真菌または酵母、原虫、ウィルス、昆虫病原性線虫、植継体および植物体（ｂｏｔａｎｉｃａｌｓ）および／または個々の株の全ての識別特性を有するそれらの突然変異体、および／または個々の株によって産生される少なくとも一つの代謝物などがあり得る。本発明は、上記組換えバチルス細胞と本明細書に記載の特定の生物農薬との組み合わせおよび／または本明細書に記載の特定の微生物株の突然変異体に関するものであり、当該突然変異体は、昆虫、ダニ、線虫および／または植物病原体に対して活性を示すか、植物成長を促進し、および／または植物の健康を増進する個々の株、および／または個々の株によって産生される少なくとも一つの代謝物の全ての識別特性を有する。
【０２００】
本明細書に記載の特定の微生物の発酵から得られる培養液中の細菌細胞、胞子および代謝物（「全ブロス」または「発酵ブロス」）を、直接用いることができるか、遠心、濾過および蒸発などの従来の工業的方法によって濃縮することができるか、スプレー乾燥、ドラム乾燥および凍結乾燥によって乾燥粉末および顆粒に加工することができる。
【０２０１】
本明細書で使用される「全ブロス」および「発酵ブロス」という用語は、あらゆる下流処理前の発酵から得られる培養液を指す。全ブロスは、前記微生物およびそれの構成部分、未使用の原料基質および発酵中に微生物によって産生される代謝物を包含する。本明細書で使用される場合の「ブロス濃縮物」という用語は、上記のような従来の工業的方法によって濃縮されているが、まだ液体のままである全ブロス（発酵ブロス）を指す。本明細書で使用される場合の「発酵固体」という用語は、乾燥した発酵ブロスを指す。本明細書で使用される場合の「発酵産物」という用語は、全ブロス、ブロス濃縮物および／または発酵固体を指す。本発明の組成物には、発酵産物が含まれる。一部の実施形態においては、濃縮発酵ブロスを、例えばダイアフィルトレーションプロセスを介して洗浄して、残留発酵ブロスおよび代謝物を除去する。
【０２０２】
別の実施形態において、発酵ブロスまたはブロス濃縮物は、従来の乾燥方法または噴霧乾燥、凍結乾燥、トレイ乾燥、流動床乾燥、ドラム乾燥もしくは蒸発などの方法を用い、担体、不活性材料または添加剤とともに、またはそれらを加えずに乾燥させることができる。
【０２０３】
本発明によれば、「細菌」という用語下にまとめられる生物農薬には、胞子形成性細菌、根コロニー形成性細菌、または生物殺虫剤、生物殺線虫剤、殺ダニ剤もしくは生物殺菌剤または植物の健康および成長を改善する土壌改良剤として有用な細菌およびそれらの代謝物などがある。本発明に従って使用もしくは採用される細菌には次のものがある。
【０２０４】
Ｂ．セレウス（Ｂ．  ｃｅｒｅｕｓ）株、例えば、株ＣＮＣＭＩ−１５６２（米国特許第６，４０６，６９０号参照）、バチルス・フィルムス（Ｂａｃｉｌｌｕｓ  ｆｉｒｍｕｓ）、バチルス・プミルス（Ｂａｃｉｌｌｕｓ  ｐｕｍｉｌｕｓ）、特には、株ＧＢ３４（ＹＩＥＬＤＳＨＩＥＬＤ（登録商標）として知られる製品）、および株ＱＳＴ２８０８（ＳＯＮＡＴＡ（登録商標）ＱＳＴ２８０８として知られる製品）バチルス・サブチリス（Ｂａｃｉｌｌｕｓ  ｓｕｂｔｉｌｉｓ）、特には、株ＧＢ０３（ＫＯＤＩＡＫ（登録商標）として知られる製品）、株ＱＳＴ７１３（ＳＥＲＥＮＡＤＥ（登録商標）ＱＳＴ７１３として知られる製品）、株ＡＱ３０００２（ａｋａ  ＱＳＴ３０００２；ＮＲＲＬ寄託番号Ｂ−５０４２１、ＷＯ２０１２／０８７９８０（参照によって本明細書に組み込まれる）から公知）、株ＡＱ３０００４（ａｋａ  ＱＳＴ３０００４；ＮＲＲＬ寄託番号Ｂ−５０４５５、ＷＯ２０１２／０８７９８０（参照によって本明細書に組み込まれる）から公知）、株ＡＱ７４３（ＮＲＲＬ寄託番号Ｂ−２１６６５）、株ＡＱ１５３（ＷＯ９８／２１９６４に記載のＡＴＣＣ寄託番号５５６１４）、（１．７９）ストレプトミセス・ガルブス（Ｓｔｒｅｐｔｏｍｙｃｅｓ  ｇａｌｂｕｓ）株ＡＱ６０４７（寄託番号ＮＲＲＬ３０２３２）、（１．９１）ロドコッカス・グロベルルス（Ｒｈｏｄｏｃｏｃｃｕｓ  ｇｌｏｂｅｒｕｌｕｓ）ＡＱ７１９（ＮＲＲＬ寄託番号Ｂ−２１６６３）、（１．９２）バチルス（Ｂａｃｉｌｌｕｓ）属種ＡＱ１７５（ＡＴＣＣ寄託番号５５６０８）、（１．９３）バチルス（Ｂａｃｉｌｌｕｓ）属種ＡＱ１７７（ＡＴＣＣ寄託番号５５６０９）、（１．９４）バチルス（Ｂａｃｉｌｌｕｓ）属種ＡＱ１７８（ＡＴＣＣ寄託番号５３５２２）、（１．９５）ＷＯ０２／２６０４１Ａ２に記載のストレプトミセス（Ｓｔｒｅｐｔｏｍｙｃｅｓ）属種株（ＮＲＲＬ寄託番号Ｂ−３０１４５）、（１．９６）ストレプトミセス・ミクロフラブス（Ｓｔｒｅｐｔｏｍｙｃｅｓ  ｍｉｃｒｏｆｌａｖｕｓ）株ＮＲＲＬＢ−５０５５０、（１．９７）ストレプトミセス・ミクロフラブス（Ｓｔｒｅｐｔｏｍｙｃｅｓ  ｍｉｃｒｏｆｌａｖｕｓ）株Ｍ（寄託番号０９１０１３−０２）、ＷＯ２０１４／０５９２７５に記載のストレプトミセス（Ｓｔｒｅｐｔｏｍｙｃｅｓ）のグーゲロチン含有発酵産物、および米国特許第６，６８２，９２５号に記載のストレプトミセス・ガルブス（Ｓｔｒｅｐｔｏｍｙｃｅｓ  ｇａｌｂｕｓ）ＱＳＴ６０４７。
【０２０５】
特定の実施形態において、下記の細菌を、上記の外膜産生性組換えバチルス細胞と組み合わせて使用する。
【０２０６】
バチルス・フィルムス（Ｂａｃｉｌｌｕｓ  ｆｉｒｍｕｓ）、特には、株Ｉ−１５８２（Ｂｉｏｎｅｍ、Ｖｏｔｉｖｏ、Ｆｌｏｃｔｅｒとして知られる製品）、
バチルス・プミルス（Ｂａｃｉｌｌｕｓ  ｐｕｍｉｌｕｓ）、特には、株ＧＢ３４（ＹＩＥＬＤＳＨＩＥＬＤ（登録商標）として知られる製品）、および株ＱＳＴ２８０８（ＳＯＮＡＴＡ（登録商標）ＱＳＴ２８０８として知られる製品）、
バチルス・サブチリス（Ｂａｃｉｌｌｕｓ  ｓｕｂｔｉｌｉｓ）、特には、株ＧＢ０３（ＫＯＤＩＡＫ（登録商標）として知られる製品）、株ＱＳＴ７１３（ＳＥＲＥＮＡＤＥ（登録商標）ＱＳＴ７１３として知られる製品）；ＮＲＲＬ寄託番号Ｂ−５０４５５、ＷＯ２０１２／０８７９８０（参照によって本明細書に組み込まれる）から公知）、またはＢ．サブティリス（Ｂ．  ｓｕｂｔｉｌｉｓ）変種アミロリクエファシエンス（ａｍｙｌｏｌｉｑｕｅｆａｃｉｅｎｓ）株ＦＺＢ２４（として知られる製品ＴＡＥＧＲＯ（登録商標））、株ＡＱ７４３（ＮＲＲＬ寄託番号Ｂ−２１６６５）、株ＡＱ１５３（ＷＯ９８／２１９６４に記載のＡＴＣＣ寄託番号５５６１４）。
【０２０７】
１実施形態において、本発明の組成物は、昆虫、ダニ、線虫および／または植物病原体に対して活性を示す、少なくとも一つの本明細書に記載の特定の生物農薬および少なくとも一つのバチルス・キチノスポルス（Ｂａｃｉｌｌｕｓ  ｃｈｉｔｉｎｏｓｐｏｒｕｓ）ＡＱ７４６（ＮＲＲＬ寄託番号Ｂ−２１６１８）、バチルス・ミコイデス（Ｂａｃｉｌｌｕｓ  ｍｙｃｏｉｄｅｓ）ＡＱ７２６（ＮＲＲＬ寄託番号Ｂ−２１６６４）、バチルス・プミルス（Ｂａｃｉｌｌｕｓ  ｐｕｍｉｌｕｓ）ＱＳＴ２８０８（ＮＲＲＬ寄託番号Ｂ−３００８７）、バチルス・プミルス（Ｂａｃｉｌｌｕｓ  ｐｕｍｉｌｕｓ）ＡＱ７１７（ＮＲＲＬ寄託番号Ｂ−２１６６２）、バチルス（Ｂａｃｉｌｌｕｓ）属種ＡＱ１７５（ＡＴＣＣ寄託番号５５６０８）、バチルス（Ｂａｃｉｌｌｕｓ）属種ＡＱ１７７（ＡＴＣＣ寄託番号５５６０９）、バチルス（Ｂａｃｉｌｌｕｓ）属種ＡＱ１７８（ＡＴＣＣ寄託番号５３５２２）、バチルス・サブチリス（Ｂａｃｉｌｌｕｓ  ｓｕｂｔｉｌｉｓ）ＡＱ７４３（ＮＲＲＬ寄託番号Ｂ−２１６６５）、バチルス・サブチリス（Ｂａｃｉｌｌｕｓ  ｓｕｂｔｉｌｉｓ）ＡＱ７１３（ＮＲＲＬ寄託番号Ｂ−２１６６１）、バチルス・サブチリス（Ｂａｃｉｌｌｕｓ  ｓｕｂｔｉｌｉｓ）ＡＱ１５３（ＡＴＣＣ寄託番号５５６１４）、ムスコドル・アルブス（Ｍｕｓｃｏｄｏｒ  ａｌｂｕｓ）６２０（ＮＲＲＬ寄託番号３０５４７）、ムスコドル・ロセウス（Ｍｕｓｃｏｄｏｒ  ｒｏｓｅｕｓ）Ａ３−５（ＮＲＲＬ寄託番号３０５４８）、ロドコッカス・グロベルルス（Ｒｈｏｄｏｃｏｃｃｕｓ  ｇｌｏｂｅｒｕｌｕｓ）ＡＱ７１９（ＮＲＲＬ寄託番号Ｂ−２１６６３）、ストレプトミセス・ガルブス（Ｓｔｒｅｐｔｏｍｙｃｅｓ  ｇａｌｂｕｓ）（ＮＲＲＬ寄託番号３０２３２）、ストレプトミセス（Ｓｔｒｅｐｔｏｍｙｃｅｓ）属種（ＮＲＲＬ寄託番号Ｂ−３０１４５）、バチルス・サブチリス（Ｂａｃｉｌｌｕｓ  ｓｕｂｔｉｌｉｓ）ＡＱ３０００２（ＮＲＲＬ寄託番号Ｂ−５０４２１）、およびバチルス・サブチリス（Ｂａｃｉｌｌｕｓ  ｓｕｂｔｉｌｉｓ）ＡＱ３０００４（ＮＲＲＬ寄託番号Ｂ−５０４５５）および／または個々の株の全ての識別特性を有するこれらの株の突然変異体、および／または個々の株によって産生される少なくとも一つの代謝物からなる群から選択されるさらなる生物農薬の組み合わせを含む。
【０２０８】
前記さらなる生物農薬は、下記のように当業界で公知である。
【０２０９】
バチルス・キチノスポルス（Ｂａｃｉｌｌｕｓ  ｃｈｉｔｉｎｏｓｐｏｒｕｓ）ＡＱ７４６（ＮＲＲＬ寄託番号Ｂ−２１６１８）は、ＷＯ９８/２１９６６Ａ２から公知である。それは、線虫および昆虫に対して特異的に活性であり、それの上清において非外毒素性非タンパク質性活性代謝物を産生する。それらの代謝物は線虫およびゴキブリに対して活性であるが、ハエ類、コーン・ルートワームまたはビートアワヨトウに対しては不活性である。
【０２１０】
バチルス・ミコイデス（Ｂａｃｉｌｌｕｓ  ｍｙｃｏｉｄｅｓ）ＡＱ７２６（ＮＲＲＬ寄託番号Ｂ−２１６６４）およびそれの水溶性代謝物は、コーン・ルートワーム幼虫およびアブラムシなどの昆虫を殺すか発育阻害する（ＷＯ９９/０９８２０Ａ１）。
【０２１１】
ＷＯ００/５８４４２Ａ１に記載のように、バチルス・プミルス（Ｂａｃｉｌｌｕｓ  ｐｕｍｉｌｕｓ）ＱＳＴ２８０８（ＮＲＲＬ寄託番号Ｂ−３００８７）は、イン・ビボで広範囲の真菌植物疾患を阻害することができる。この株の市販の製剤は、Ｂａｙｅｒ  ＣｒｏｐＳｃｉｅｎｃｅ  ＬＰ（Ｎｏｒｔｈ  Ｃａｒｏｌｉｎａ，  ＵＳＡ）から商標名ＳＯＮＡＴＡ（登録商標）およびＢＡＬＬＡＤ（登録商標）ＰＬＵＳで販売されている。
【０２１２】
バチルス・プミルス（Ｂａｃｉｌｌｕｓ  ｐｕｍｉｌｕｓ）ＡＱ７１７（ＮＲＲＬ寄託番号Ｂ−２１６６２）は、ＷＯ９９/１０４７７Ａ１から公知である。それは、コーン・ルートワーム、線虫およびビートアワヨトウに対する農薬活性を示す代謝物を産生する。
【０２１３】
ＷＯ９８/２１９６７Ａ１に記載の細菌株バチルス種（Ｂａｃｉｌｌｕｓ  ｓｐ．）ＡＱ１７５（ＡＴＣＣ寄託番号５５６０８）、バチルス種（Ｂａｃｉｌｌｕｓ  ｓｐ．）ＡＱ１７７（ＡＴＣＣ寄託番号５５６０９）およびバチルス種（Ｂａｃｉｌｌｕｓ  ｓｐ．）ＡＱ１７８（ＡＴＣＣ寄託番号５３５２２）は、地上部の真菌および細菌感染から植物を治療および保護する上で有効である。
【０２１４】
代謝物産生性株バチルス・サブティリス（Ｂａｃｉｌｌｕｓ  ｓｕｂｔｉｌｉｓ）ＡＱ７４３（ＮＲＲＬ寄託番号Ｂ−２１６６５）は、コーン・ルートワーム幼虫、ビートアワヨトウ幼虫、ハエ成虫および線虫を殺害または発育阻止する（ＷＯ９９/０９８１９参照）。
【０２１５】
バチルス・サブティリス（Ｂａｃｉｌｌｕｓ  ｓｕｂｔｉｌｉｓ）ＱＳＴ７１３とも称されるバチルス・サブティリス（Ｂａｃｉｌｌｕｓ  ｓｕｂｔｉｌｉｓ）ＡＱ７１３（寄託番号Ｂ−２１６６１）は、広い殺真菌活性および殺細菌活性を示し、コーン・ルートワーム活性（ＷＯ９８/５０４２２Ａ１）も示す。この株の市販の製剤は、Ｂａｙｅｒ  ＣｒｏｐＳｃｉｅｎｃｅ  ＬＰ（Ｎｏｒｔｈ  Ｃａｒｏｌｉｎａ，  ＵＳＡ）から商標名ＳＥＲＥＮＡＤＥ（登録商標）ＭＡＸ、ＳＥＲＥＮＡＤＥ  ＳＯＩＬ（登録商標）、ＳＥＲＥＮＡＤＥ（登録商標）ＡＳＯ、ＳＥＲＥＮＡＤＥ（登録商標）ＣＰＢおよびＲＨＡＰＳＯＤＹ（登録商標）下に入手可能である。ＳＥＲＥＮＡＤＥ（登録商標）製品（米国ＥＰＡ登録番号６９５９２−１２）は、特許取得されたバチルス・サブチリス（Ｂａｃｉｌｌｕｓ  ｓｕｂｔｉｌｉｓ）の株（株ＱＳＴ７１３）および相乗的に作用して病害の病原を破壊し、優れた抗菌活性を提供する多くの異なるリポペプチドを含む。ＳＥＲＥＮＡＤＥ（登録商標）製品は、火傷病、ボトリチス病、白かび病、サビ病、菌核病、ウドンコ病、斑点細菌病および白かび病などの病害に対して野菜、果実、ナッツおよびブドウ作物などの植物を保護するのに用いられる。ＳＥＲＥＮＡＤＥ（登録商標）製品は、茎葉処理および／または土壌処理として施用可能な液体製剤または乾式製剤として利用可能である。ＳＥＲＥＮＡＤＥ（登録商標）ＡＳＯ、ＳＥＲＥＮＡＤＥ（登録商標）ＭＡＸおよびＳＥＲＥＮＡＤＥ  ＳＯＩＬ（登録商標）などのＳＥＲＥＮＡＤＥ（登録商標）製品の米国ＥＰＡマスターラベルのコピーが、米国農薬情報検索システム（Ｎａｔｉｏｎａｌ  Ｐｅｓｔｉｃｉｄｅ  Ｉｎｆｏｒｍａｔｉｏｎ  Ｒｅｔｒｉｅｖａｌ  Ｓｙｓｔｅｍ）（ＮＰＩＲＳｖ）のＵＳＥＰＡ／ＯＰＰ農薬製品ラベルシステム（ＰＰＬＳ）から公的に入手可能である。
【０２１６】
ＳＥＲＥＮＡＤＥ（登録商標）ＡＳＯ（水系懸濁液−有機）は、有効成分としての１．３４％の乾燥ＱＳＴ７１３および９８．６６％の他の成分を含む。ＳＥＲＥＮＡＤＥ（登録商標）ＡＳＯは最小量１×１０９ｃｆｕ／ｇのＱＳＴ７１３を含むように製剤され、ＱＳＴ７１３の最大量は３．３×１０１０ｃｆｕ／ｇであると決定されている。さらなる情報については、２０１０年１月４日付けのＳＥＲＥＮＡＤＥ（登録商標）ＡＳＯの米国ＥＰＡマスターラベルを参照する（それは、参照によって全体が本明細書に組み込まれる。）。
【０２１７】
ＳＥＲＥＮＡＤＥ（登録商標）ＭＡＸは、有効成分としての１４．６％の乾燥ＱＳＴ７１３および８５．４％の他の成分を含む。ＳＥＲＥＮＡＤＥ（登録商標）ＭＡＸは最小量７．３×１０９ｃｆｕ／ｇのＱＳＴ７１３を含むように製剤され、ＱＳＴ７１３の最大量は７．９×１０１０ｃｆｕ／ｇであると決定されている。さらなる情報については、ＳＥＲＥＮＡＤＥ（登録商標）ＭＡＸの米国ＥＰＡマスターラベルを参照する（それらのそれぞれは、参照によって全体が本明細書に組み込まれる。）。
【０２１８】
ＷＯ９８/２１９６４Ａ１に記載のバチルス・サブティリス（Ｂａｃｉｌｌｕｓ  ｓｕｂｔｉｌｉｓ）ＡＱ１５３（ＡＴＣＣ寄託番号５５６１４）は、植物病原性細菌および真菌の増殖を阻害する上で有効である。
【０２１９】
ＷＯ０２/０２０８２８９８Ａ１には、真菌、細菌、昆虫および線虫に対して活性を有する揮発性抗生物質の混合物を産生するムスコドル・アルブス（Ｍｕｓｃｏｄｏｒ  ａｌｂｕｓ）ＱＳＴ２０７９９（ＮＲＲＬ寄託番号３０５４７）としても知られるムスコドル・アルブス（Ｍｕｓｃｏｄｏｒ  ａｌｂｕｓ）６２０およびムスコドル・ロセウス（Ｍｕｓｃｏｄｏｒ  ｒｏｓｅｕｓ）Ａ３−５（ＮＲＲＬ寄託番号３０５４８）などの内生菌が記載されている。
【０２２０】
ロドコッカス・グロベルルス（Ｒｈｏｄｏｃｏｃｃｕｓ  ｇｌｏｂｅｒｕｌｕｓ）ＡＱ７１９（ＮＲＲＬ寄託番号Ｂ−２１６６３）は、コーン・ルートワームに対して農薬活性を示す代謝物を産生する（米国特許第６，０２７，７２３Ａ号）。
【０２２１】
ＷＯ０１/７９４８０Ａ２には、鱗翅目に対する殺虫活性を示すストレプトミセス・ガルブス（Ｓｔｒｅｐｔｏｍｙｃｅｓ  ｇａｌｂｕｓ）（ＮＲＲＬ寄託番号３０２３２）の株が記載されている。
【０２２２】
ＷＯ０２/２６０４１Ａ２に記載のストレプトミセス種（Ｓｔｒｅｐｔｏｍｙｃｅｓ  ｓｐ．）株（ＮＲＲＬ寄託番号Ｂ−３０１４５）は、アルテルナリア属、疫病菌、ボトリチス、リゾクトニアおよびスクレロティニアなどの特定の植物病原体に対する抗真菌活性を示す。
【０２２３】
株バチルス・サブティリス（Ｂａｃｉｌｌｕｓ  ｓｕｂｔｉｌｉｓ）ＡＱ３０００２（ＱＳＴ３０００２としても知られる）（ＮＲＲＬ寄託番号Ｂ−５０４２１、２０１０年１０月５日に寄託）およびバチルス・サブティリス（Ｂａｃｉｌｌｕｓ  ｓｕｂｔｉｌｉｓ）ＡＱ３０００４（ＱＳＴ３０００４としても知られる）（ＮＲＲＬ寄託番号Ｂ−５０４５５、２０１０年１０月５日寄託）は、ＷＯ２０１２/０８７９８０Ａ１（参照によって本明細書に組み込まれる）から公知である。そこで記載のように、これらのＢＣＡは、広い殺真菌および殺細菌活性を示す。Ｂ１９およびＢ２０は、野生型ｓｗｒＡ遺伝子を含む株と比較して、遊走能力障害を生じさせ、植物の健康促進を高めるｓｗｒＡ遺伝子における突然変異を有する。突然変異によって、これらのＢＣＡが野生型株より堅牢な生物フィルムを形成して、それの殺真菌活性および殺細菌活性が高められるようになる。
【０２２４】
一部の実施形態において、生物農薬は、フェンギシン型化合物、イツリン型化合物および／またはサーファクチン型化合物を産生するバチルス・サブチリス（Ｂａｃｉｌｌｕｓ  ｓｕｂｔｉｌｉｓ）株、例えばバチルス・サブチリス（Ｂａｃｉｌｌｕｓ  ｓｕｂｔｉｌｉｓ）ＱＳＴ７１３である。一部の態様において、前記リポペプチドは、プリパスタチンＡ１、プリパスタチンＢ１、プリパスタチンＢ２、フェンギシンＡ、フェンギシンＢ、アグラスタチン１、またはアグラスタチン２などのフェンギシン型化合物である。他の態様において、リポペプチドは、イツリンＡ、マイコスブチリンまたはバシロマイシンなどのイツリン型化合物である。
【０２２５】
本発明の組成物および方法での使用に好適な他のリポペプチド産生性株には、バチルス・アミロリクエファシエンス（Ｂａｃｉｌｌｕｓ  ａｍｙｌｏｌｉｑｕｅｆａｃｉｅｎｓ）株Ｄ７４７（Ｅｔｅｃ  Ｃｒｏｐ  Ｓｏｌｕｔｉｏｎｓ，  ＮＺからＢＡＣＳＴＡＲ（登録商標）として入手可能、さらにはＣｅｒｔｉｓ，  ＵＳからＤＯＵＢＬＥ  ＮＩＣＫＥＬ（商標名）としても入手可能）；バチルス・サブチリス（Ｂａｃｉｌｌｕｓ  ｓｕｂｔｉｌｉｓ）ＭＢＩ６００（Ｂｅｃｋｅｒ  ＵｎｄｅｒｗｏｏｄからＳＵＢＴＩＬＥＸ（登録商標）として入手可能、Ｕ．Ｓ．ＥＰＡ登録番号７１８４０−８）；バチルス・サブチリス（Ｂａｃｉｌｌｕｓ  ｓｕｂｔｉｌｉｓ）Ｙ１３３６（Ｂｉｏｎ−Ｔｅｃｈ，  ＴａｉｗａｎからＢＩＯＢＡＣ（登録商標）ＷＰとして入手可能、登録番号４７６４、５４５４、５０９６および５２７７下に台湾で生物殺菌剤として登録）；バチルス・アミロリクエファシエンス（Ｂａｃｉｌｌｕｓ  ａｍｙｌｏｌｉｑｕｅｆａｃｉｅｎｓ）、特には、株ＦＺＢ４２（ＡＢｉＴＥＰ，  ＤＥからＲＨＩＺＯＶＩＴＡＬ（登録商標）として入手可能）；およびバチルス・サブチリス（Ｂａｃｉｌｌｕｓ  ｓｕｂｔｉｌｉｓ）ｖａｒ．アミロリクエファシエンス（ａｍｙｌｏｌｉｑｕｅｆａｃｉｅｎｓ）ＦＺＢ２４（殺菌剤ＴＡＥＧＲＯ（登録商標）またはＴＡＥＧＲＯ（登録商標）ＥＣＯ（ＥＰＡ登録番号７０１２７−５）としてＮｏｖｏｚｙｍｅｓ  Ｂｉｏｌｏｇｉｃａｌｓ  Ｉｎｃ．（Ｓａｌｅｍ，  Ｖｉｒｇｉｎｉａ）またはＳｙｎｇｅｎｔａ  Ｃｒｏｐ  Ｐｒｏｔｅｃｔｉｏｎ，  ＬＬＣ（Ｇｒｅｅｎｓｂｏｒｏ，  Ｎｏｒｔｈ  Ｃａｒｏｌｉｎａ）から入手可能）などがある。
【０２２６】
一部の実施形態において、本発明の相乗的組み合わせでの生物農薬は下記の通りである。
【０２２７】
バチルス・フィルムス（Ｂａｃｉｌｌｕｓ  ｆｉｒｍｕｓ）、例えば、米国特許第６，４０６，６９０号（参照によって本明細書に組み込まれる）に開示され、寄託番号ＣＮＣＭ  Ｉ−１５８２を有する１９９５年５月２９日にＣＮＣＭで寄託されている株Ｉ−１５８２（Ｂｉｏｎｅｍ、Ｖｏｔｉｖｏ、Ｆｌｏｃｔｅｒとして知られる製品）、
バチルス・プミルス（Ｂａｃｉｌｌｕｓ  ｐｕｍｉｌｕｓ）、例えば株ＧＢ３４（ＹＩＥＬＤ  ＳＨＩＥＬＤ（登録商標）として知られる製品）および株ＱＳＴ２８０８（ＳＯＮＡＴＡ（登録商標）ＱＳＴ２８０８として知られる製品）、
バチルス・サブチリス（Ｂａｃｉｌｌｕｓ  ｓｕｂｔｉｌｉｓ）およびバチルス・アミロリクエファシエンス（Ｂａｃｉｌｌｕｓ  ａｍｙｌｏｌｉｑｕｅｆａｃｉｅｎｓ）、例えばリポペプチド類を産生するもの、特には、プリパスタチン類またはフェンギシン類、サーファクチン類および／またはイツリン類の組み合わせ。さらに、バチルス・サブチリス（Ｂａｃｉｌｌｕｓ  ｓｕｂｔｉｌｉｓ）に関しては、特には、株ＧＢ０３（ＫＯＤＩＡＫ（登録商標）として知られる製品、Ｕ．Ｓ．  ＥＰＡ，  Ｐｅｓｔｉｃｉｄｅ  Ｆａｃｔ  Ｓｈｅｅｔ−−Ｂａｃｉｌｌｕｓ  ｓｕｂｔｉｌｉｓ  ＧＢ０３  １９９２参照）、株ＱＳＴ７１３（ＳＥＲＥＮＡＤＥ（登録商標）ＱＳＴ７１３として知られる製品）、株ＡＱ３０００２（ａｋａ  ＱＳＴ３０００２；ＮＲＲＬ寄託番号Ｂ−５０４２１、ＷＯ２０１２／０８７９８０（参照によって本明細書に組み込まれる）から公知）、および株ＡＱ３０００４（ａｋａ  ＱＳＴ３０００４；ＮＲＲＬ寄託番号Ｂ−５０４５５、ＷＯ２０１２／０８７９８０（参照によって本明細書に組み込まれる）から公知）。
【０２２８】
本発明によれば、本発明の組成物に含まれることができ、「真菌」または「酵母」という用語下にまとめられる生物農薬は、昆虫、ダニ、線虫および／または植物病原体に対する活性を示す、下記の生物および／または個々の菌株の全ての識別特性を有するそれらの突然変異体、および／または個々の菌株によって産生される代謝物である（番号付けは、説明全体で使用される。）。
【０２２９】
ムスコドル・アルブス（Ｍｕｓｃｏｄｏｒ  ａｌｂｕｓ）、特には、株ＱＳＴ２０７９９（ＡＲＡＢＥＳＱＵＥ（商標名）またはＡＮＤＡＮＴＥ（商標名）として知られる製品）、コニオチリウム・ミニタンス（Ｃｏｎｉｏｔｈｙｒｉｕｍ  ｍｉｎｉｔａｎｓ）、特には、株ＣＯＮ／Ｍ／９１−８（ＣＯＮＴＡＮＳ（登録商標）として知られる製品）、ラゲニジウム・ギガンテウム（Ｌａｇｅｎｉｄｉｕｍ  ｇｉｇａｎｔｅｕｍ）（ＡｇｒａＱｕｅｓｔ，  Ｉｎｃ．によるＬＡＧＩＮＥＸ（登録商標）として知られる製品）、パエシロミセス・リラシヌス（Ｐａｅｃｉｌｏｍｙｃｅｓ  ｌｉｌａｃｉｎｕｓ）、特にはＰ．リラシヌス（Ｐ．  ｌｉｌａｃｉｎｕｓ）株２５１の胞子（ＢＩＯＡＣＴ（登録商標）として知られる製品、Ｃｒｏｐ  Ｐｒｏｔｅｃｔｉｏｎ  ２００８，  ２７，  ３５２−３６１参照）。
【０２３０】
本発明の１実施形態によれば、生物農薬は、個々の微生物の純粋な培養物だけでなく、全ブロス培養液もしくは代謝物を含有する上清または菌株の全ブロス培養液から得られた純粋な代謝物も含む。「全ブロス培養液」とは、細胞と培養液の両方を含む液体培地を指す。「上清」は、ブロスで増殖した細胞を遠心、濾過、沈降または当業界で公知の他の手段によって除去した場合に残る液体ブロスを指す。
【０２３１】
非病原性微生物によって産生される上記の代謝物には、抗生物質、酵素、シデロホアおよび成長促進剤、例えばツヴィッターマイシン−Ａ、カノサミン、ポリオキシン、α−アミラーゼ、キチナーゼおよびペクチナーゼなどの酵素、植物ホルモンおよびそれの前駆体、例えばオーキシン類、ジベレリン様物質、サイトカイニン様化合物、イツリン類、プリパスタチン類もしくはサーファクチン類などのリポタンパク質、例えばアグラスタチンＡ、バシロマイシンＤ、バシリシン、ジフィシジン、マクロラクチン、フェンギシン、バシリシンおよびバシラエン（ｂａｃｉｌａｅｎｅ）などがある。
【０２３２】
本発明によれば、本明細書に記載の生物農薬は、活性状態もしくは休眠状態などのいずれの生理状態でも利用もしくは使用することが可能である。
【０２３３】
本発明による組成物
本発明によれば、前記組成物は、相乗的に有効な量で、ａ）（ｉ）植物成長刺激性化合物の産生もしくは活性化に関与する酵素；細菌、真菌もしくは植物の栄養源を分解もしくは改変する酵素；および病原体から植物を保護するタンパク質もしくはペプチドからなる群から選択される少なくとも一つの植物成長刺激タンパク質もしくはペプチド；および（ｉｉ）融合タンパク質をバチルス・セレウス（Ｂａｃｉｌｌｕｓ  ｃｅｒｅｕｓ）科構成員の外膜に局在化させる標的配列を含む融合タンパク質を発現する組換え外膜産生性バチルス細胞；およびｂ）昆虫、ダニ、線虫および／または植物病原体に対して活性を示す、本明細書に開示の少なくとも一つのさらなる異なる特定の生物農薬および／または個々の株の全ての識別特性を有する本明細書に開示の微生物の特定の株の突然変異体、および／または個々の株によって産生される少なくとも一つの代謝物を含む。
【０２３４】
本発明による「相乗的に有効量」は、融合タンパク質を発現する組換え外膜産生性バチルス細胞やそのようなさらなる生物農薬単独の場合と比較して、昆虫、ダニ、線虫および／または植物病原体に対して効果が高い、融合タンパク質を発現する組換え外膜産生性バチルス細胞と少なくとも一つの本明細書に記載のさらなる特定の生物農薬の組み合わせの量を表す。本発明による「相乗的に有効量」はまた、融合タンパク質を発現する組換え外膜産生性バチルス細胞やそのようなさらなる生物農薬単独の場合と比較して、植物成長促進および／または植物の健康増進に効果が高い、融合タンパク質を発現する組換え外膜産生性バチルス細胞と少なくとも一つの本明細書に記載のさらなる特定の生物農薬の組み合わせの量を表す。
【０２３５】
本発明は、本明細書に記載のさらなる特定の生物農薬それぞれと組換え外膜産生性バチルス細胞との各および全ての組み合わせを含む。
【０２３６】
ある好ましい実施形態において、本発明による組成物は、少なくとも一つの別の殺菌剤および／または少なくとも一つの殺虫剤を含み、ただし組換え外膜産生性バチルス細胞、殺虫剤および殺菌剤は同一ではない。
【０２３７】
「活性化合物」または「有効成分」という用語は本説明において、昆虫、ダニ、線虫および／または植物病原体に対して活性を示す、組換え外膜産生性バチルス細胞、少なくとも一つのさらなる生物農薬および／または個々の菌株の全ての識別特性を有するそれの突然変異体、および／または個々の菌株によって産生される少なくとも一つの代謝物、少なくとも一つの殺虫剤および少なくとも一つの殺菌剤を指すのに用いられる。
【０２３８】
さらなる添加剤
本発明の１態様は、増量剤、溶媒、自発性促進剤、担体、乳化剤、分散剤、凍結保護剤、増粘剤およびアジュバントからなる群から選択される少なくとも一つの補助剤をさらに含む上記の組成物を提供することにある。それらの組成物は、製剤と称される。
【０２３９】
従って、本発明の１態様において、そのような製剤およびそれから調製される施用形態が、本発明の組成物を含む水薬、滴剤および噴霧液などの作物保護剤および／または農薬として提供される。その施用形態は、さらなる作物保護剤および／または農薬、および／または浸透剤、例としては、例えば菜種油、ヒマワリ油などの植物油、例えば液体パラフィンなどの鉱油、菜種油もしくは大豆油メチルエステルもしくはアルカノールアルコキシレートなどの植物脂肪酸のアルキルエステル類などの活性促進補助剤、および／または例えばアルキルシロキサン類および／または塩などの展着剤、例としては有機もしくは無機アンモニウムもしくはホスホニウム塩、例としては硫酸アンモニウムもしくはリン酸水素ジアンモニウム、および／またはスルホコハク酸ジオクチルもしくはヒドロキシプロピルグアーポリマー類などの保持促進剤および／またはグリセロールなどの保湿剤および／または例えばアンモニウム系、カリウム系もしくはリン系肥料などの肥料を含むことができる。
【０２４０】
代表的な製剤の例には、水溶性液（ＳＬ）、乳剤（ＥＣ）、水系乳濁液（ＥＷ）、フロアブル剤（ＳＣ、ＳＥ、ＦＳ、ＯＤ）、水分散性粒剤（ＷＧ）、粒剤（ＧＲ）およびカプセル濃厚剤（ＣＳ）であり、これらおよび他の可能な種類の製剤は、例えばＦＡＯ／ＷＨＯ  Ｊｏｉｎｔ  Ｍｅｅｔｉｎｇ  ｏｎ  Ｐｅｓｔｉｃｉｄｅ  Ｓｐｅｃｉｆｉｃａｔｉｏｎｓ，  ２００４，  ＩＳＢＮ：９２５１０４８５７６作製のＣｒｏｐ  Ｌｉｆｅ  Ｉｎｔｅｒｎａｔｉｏｎａｌ  ａｎｄ  ｉｎ  Ｐｅｓｔｉｃｉｄｅ  Ｓｐｅｃｉｆｉｃａｔｉｏｎｓ，  Ｍａｎｕａｌ  ｏｎ  Ｄｅｖｅｌｏｐｍｅｎｔ  ａｎｄ  Ｕｓｅ  ｏｆ  ＦＡＯ  ａｎｄ  ＷＨＯ  Ｓｐｅｃｉｆｉｃａｔｉｏｎｓ  ｆｏｒ  Ｐｅｓｔｉｃｉｄｅｓ，  ＦＡＯ  Ｐｌａｎｔ  Ｐｒｏｄｕｃｔｉｏｎ  ａｎｄ  Ｐｒｏｔｅｃｔｉｏｎ  Ｐａｐｅｒｓ−１７３によって記載されている。製剤は、１以上の本発明の活性化合物以外の農薬活性化合物を含んでいても良い。
【０２４１】
対象の製剤もしくは施用形態は好ましくは、補助剤、例えば増量剤、溶媒、自発性促進剤、担体、乳化剤、分散剤、凍結防止剤、殺生物剤、増粘剤および／または他の補助剤、例えばアジュバントを含む。この文脈でのアジュバントは、製剤の生理効果を高める成分であり、その成分自体は生理効果を持たない。アジュバントの例は、葉表面への保持、展着、付着または浸透を促進する薬剤である。
【０２４２】
これらの製剤は、公知の方法で、例えば補助剤、例えば増量剤、溶媒および／または固体担体および／またはさらなる補助剤、例えば界面活性剤と活性化合物を混合することで製造される。製剤は、好適な工場で、または施用前もしくは施用時に調製する。
【０２４３】
補助剤としての使用に好適なものは、活性化合物の製剤、またはその製剤から調製される施用形態（例えば、噴霧液または種子粉衣剤などの使用可能な作物保護剤）にある種の物理的および／または生物学的特性などの特定の特性を付与する上で好適な物質であることができる。
【０２４４】
好適な増量剤は、例えば水、極性および非極性有機化学液体、例えば芳香族および非芳香族炭化水素（パラフィン類、アルキルベンゼン類、アルキルナフタレン類、クロロベンゼン類など）、アルコール類および多価アルコール類（適切な場合には、置換、エーテル化および／またはエステル化されていても良い）、ケトン類（アセトン、シクロヘキサノンなど）、エステル類（脂肪およびオイル類など）および（ポリ）エーテル類、置換されていないおよび置換されているアミン類、アミド類、ラクタム類（Ｎ−アルキルピロリドン類など）およびラクトン類、スルホン類およびスルホキシド（ジメチルスルホキシドなど）の種類からのものである。
【０２４５】
使用される増量剤が水である場合、補助溶媒として例えば有機溶媒を用いることも可能である。実質的に、好適な液体溶媒は、トルエン、トルエンまたはアルキルナフタレン類などの芳香族類、クロロベンゼン類、クロロエチレン類または塩化メチレンなどの塩素化芳香族類および塩素化脂肪族炭化水素類、シクロヘキサンまたはパラフィン類などの脂肪族炭化水素類、例えば石油留分、鉱油および植物油、ブタノールまたはグリコールなどのアルコール類およびそれらのエーテル類およびエステル類、アセトン、メチルエチルケトン、メチルイソブチルケトンまたはシクロヘキサノンなどのケトン類、ジメチルホルムアミドおよびジメチルスルホキシドなどの強極性溶媒、および水である。
【０２４６】
基本的に、全ての好適な溶媒を用いることが可能である。好適な溶媒は、例えば、芳香族炭化水素、例えばキシレン、トルエンまたはアルキルナフタレン類、例えば塩素化芳香族もしくは脂肪族炭化水素、例えばクロロベンゼン、クロロエチレンまたはメチレンクロライド、例えば脂肪族炭化水素、例えばシクロヘキサン、例えばパラフィン類、石油留分、鉱油および植物油、アルコール類、例えばメタノール、エタノール、イソプロパノール、ブタノールまたはグリコール、例えばさらには、それらのエーテルおよびエステル、ケトン類、例えばアセトン、メチルエチルケトン、メチルイソブチルケトンまたはシクロヘキサノン、例えば強極性溶媒、例えばジメチルスルホキシド、そしてさらには水である。
【０２４７】
基本的に、全ての好適な担体を用いることができる。好適な担体には、特には、例えばアンモニウム塩およびカオリン類、クレー類、タルク、チョーク、石英、アタパルガイト、モンモリロナイトまたは珪藻土などの粉砕天然鉱物、および微粉砕シリカ、アルミナなどの粉砕合成鉱物ならびに天然もしくは合成ケイ酸塩、樹脂、ロウ類および／または固体肥料がある。そのような担体の混合物も同様に用いることができる。粒剤に好適な担体には、次のもの、例えば方解石、大理石、軽石、海泡石、白雲石などの粉砕および分別天然鉱物、そして無機および有機ミールの合成顆粒、そしておが屑、紙、ヤシ殻、トウモロコシ穂軸およびタバコ茎などの有機材料の顆粒などがある。
【０２４８】
液化ガス増量剤または溶媒も用いることができる。特に好適なものは、標準的な温度でおよび標準的な圧力下で気体である増量剤または担体であり、例としてはエアロゾル噴射剤、例えばハロゲン化炭化水素、さらにはブタン、プロパン、窒素および二酸化炭素がある。
【０２４９】
イオン特性またはノニオン特性を有する乳化剤および／または発泡剤、分散剤または湿展剤またはこれら界面活性物質の混合物の例には、ポリアクリル酸の塩、リグノスルホン酸の塩、フェノールスルホン酸またはナフタレンスルホン酸の塩、エチレンオキサイドと脂肪アルコールとのまたは脂肪酸とのまたは脂肪アミンとの、置換フェノール（好ましくはアルキルフェノール類またはアリールフェノール類）との重縮合物、スルホコハク酸エステルの塩、タウリン誘導体（好ましくは酒石酸アルキル類）、ポリエトキシル化アルコール類もしくはフェノール類のリン酸エステル類、多価アルコールの脂肪酸エステル類、および硫酸エステル類、スルホン酸エステル類およびリン酸エステル類を含む化合物の誘導体、例えばアルキルアリールポリグリコールエーテル類、アルキルスルホン酸エステル類、アルキル硫酸エステル類、アリールスルホン酸エステル類、タンパク質加水分解物、リグノサルファイト廃液およびメチルセルロースがある。界面活性物質の存在は、活性化合物のうちの一つおよび／または不活性担体のうちの一つが水に不溶であり、施用を水で行う場合に有利である。
【０２５０】
製剤およびそれから誘導される使用形態中に存在しても良いさらなる補助剤には、無機顔料、例えば酸化鉄、酸化チタン、プルシアンブルー、ならびにアリザリン染料、アゾ染料および金属フタロシアニン染料などの有機染料のような着色剤、ならびに栄養素および鉄、マンガン、ホウ素、銅、コバルト、モリブデンおよび亜鉛の塩などの微量栄養素を用いることができる。
【０２５１】
低温安定剤、保存剤、酸化防止剤、光安定剤、または化学的および／または物理的安定性を高める他の薬剤などの安定剤も存在することができる。さらに、発泡剤または消泡剤を存在させても良い。
【０２５２】
さらに、製剤およびそれから誘導される施用形態は、別の補助剤として、カルボキシメチルセルロースなどの粘着剤、粉末、顆粒またはラテックスの形態での天然および合成ポリマー、例えばアラビアガム、ポリビニルアルコール、ポリ酢酸ビニル、さらにはセファリン類およびレシチン類などの天然リン脂質、ならびに合成リン脂質を含むこともできる。さらなる可能な補助剤には、鉱油および植物油などがある。
【０２５３】
製剤およびそれから誘導される施用形態には、さらに別の補助剤が存在することが可能である。そのような添加剤の例には、香料、保護コロイド、結合、接着剤、増粘剤、チキソトロピー物質、浸透剤、保持促進剤、安定剤、金属イオン封鎖剤、錯化剤、保湿剤および展着剤などがある。概して、活性化合物は、製剤に一般に用いられる固体および液体添加剤と組み合わせることができる。
【０２５４】
好適な保持促進剤には、動的表面張力を低減する全ての物質、例えばスルホコハク酸ジオクチル、または粘弾性を高める全ての物質、例えばヒドロキシプロピルグアーポリマーなどがある。
【０２５５】
本発明の文脈で好適な浸透剤には、代表的には活性農薬化合物の植物への浸透を高めるのに用いられる全ての物質などがある。この文脈での浸透剤は、（通常は水系）施用液からおよび／または噴霧コーティングから、植物のクチクルに浸透することができ、それによってクチクルにおける活性化合物の移動性を高めることができるものと定義される。この特性は、文献（Ｂａｕｒ  ｅｔ  ａｌ．，  １９９７，  Ｐｅｓｔｉｃｉｄｅ  Ｓｃｉｅｎｃｅ  ５１，  １３１−１５２）に記載の方法を用いて確認することができる。例としては、ココナッツ脂肪エトキシレート（１０）またはイソトリデシルエトキシレート（１２）などのアルコールアルコキシレート類、脂肪酸エステル類、例えば菜種油もしくは大豆油メチルエステル、脂肪アミンアルコキシレート類、例えば獣脂アミンエトキシレート（１５）、またはアンモニウムおよび／またはホスホニウム塩、例えば硫酸アンモニウムまたはリン酸水素ジアンモニウムなどがある。
【０２５６】
その製剤は好ましくは、製剤の重量に基づいて０．０００１重量％から９８重量％の活性化合物、または特に好ましくは０．０１重量％から９５重量％の活性化合物、より好ましくは０．５重量％から９０重量％の活性化合物を含む。活性化合物の含有量は、組換え外膜産生性バチルス細胞ならびに昆虫、ダニ、線虫および／または植物病原体に対して活性を示す少なくとも一つの本明細書に記載のさらなる特定の生物農薬および／または個々の菌株の全ての識別特性を有する本明細書に記載の特定の微生物株の突然変異体、および／または個々の菌株によって産生される少なくとも一つの代謝物、および存在する場合には殺菌剤および／または殺虫剤の合計として定義される。
【０２５７】
製剤から調製される施用形態（作物保護剤）の活性化合物含有量は、広い範囲内で変動させることができる。その施用形態の活性化合物濃度は代表的には、施用形態の重量に基づいて０．０００１重量％から９５重量％の活性化合物、好ましくは０．０００１重量％から１重量％とすることができる。施用は、その施用形態に適合させた一般的な方法で行う。
【０２５８】
さらに、本発明の１態様において、空間的に分離された配置で、組換え外膜産生性バチルス細胞および昆虫、ダニ、線虫および／または植物病原体に対して活性を示す少なくとも一つの本明細書で開示のさらなる特定の生物農薬および／または個々の菌株の全ての識別特性を有する本明細書に開示の微生物の特定株の突然変異体、および／または個々の菌株によって産生される少なくとも一つの代謝物を相乗的に有効な量で含むパーツのキットが提供される。
【０２５９】
本発明のさらに別の実施形態において、上記パーツのキットはさらに、少なくとも一つの殺菌剤および／または少なくとも一つの殺虫剤を含むが、ただし組換え外膜産生性バチルス細胞、殺虫剤および殺菌剤は同一ではない。その殺菌剤および／または殺虫剤は、パーツのキットの組換え外膜産生性バチルス・セレウス（Ｂａｃｉｌｌｕｓ  ｃｅｒｅｕｓ）科構成員に基づく生物農薬コンポーネントに、もしくは空間的に分離された本明細書に開示の特定の生物農薬を含むパーツのキットのコンポーネントに、またはこれらコンポーネントの両方に存在することができる。１実施形態において、殺菌剤および殺虫剤は、組換え外膜産生性バチルス・セレウス（Ｂａｃｉｌｌｕｓ  ｃｅｒｅｕｓ）科構成員に基づく生物農薬コンポーネントに存在する。
【０２６０】
さらに、本発明によるパーツのキットはさらに、下記で言及される増量剤、溶媒、自発性促進剤、担体、乳化剤、分散剤、凍結保護剤、増粘剤およびアジュバントからなる群から選択される少なくとも一つの補助剤を含むことができる。この少なくとも一つの補助剤は、パーツのキットの組換え外膜産生性バチルス・セレウス（Ｂａｃｉｌｌｕｓ  ｃｅｒｅｕｓ）科構成員に基づく生物農薬コンポーネントに、もしくは空間的に分離された本明細書に開示の特定の生物農薬を含むパーツのキットのコンポーネントに、またはこれらコンポーネントの両方に存在することができる。
【０２６１】
本発明の別の態様において、上記の組成物は、昆虫、ダニ、線虫および／または植物病原体によって生じる植物および植物部分の全体的な損傷ならびに収穫された果実もしくは野菜の損失を減らすのに用いられる。
【０２６２】
さらに、本発明の別の態様において、上記の組成物は全体的な植物の健康を増進させる。
【０２６３】
「植物の健康」という用語は一般に、病害生物の防除に関係ない植物の各種改善を含むものである。例えば、挙げることができる有利な性質には、発芽、作物収量、タンパク質含有量、オイル含有量、デンプン含有量、根系の発達増加、根の成長増進、根の大きさ維持の向上、根の有効性の向上、ストレス耐性の向上（例えば、干魃、熱、塩、ＵＶ、水、低温）、エチレン低減（産生減少および／または受容の阻害）、分げつの増加、植物高さの増加、葉身の拡大、枯れた根出葉の減少、分げつ枝の強化、葉の緑色強化、色素含有量、光合成活性、必要投入量の低下（肥料または水など）、必要な種子の減少、分げつの生産性向上、開花の早期化、結実の早期化、植物倒伏（ｖｅｒｓｅ）（倒伏）の減少、苗条成長の増加、植物活力の強化、立った植物の増加ならびに早期およびより良好な発芽などの改善された作物特性がある。
【０２６４】
本発明による使用に関しては、改善された植物の健康は好ましくは、作物収量、根系の発達増加（根の成長増進）、根の大きさ維持の向上、根の有効性の向上、分げつの増加、植物高さの増加、葉身の拡大、枯れた根出葉の減少、分げつ枝の強化、葉の緑色強化、光合成活性、分げつの生産性向上、植物活力の強化および立った植物の増加などの改善された植物特性を指す。
【０２６５】
本発明に関して、改善された植物の健康は、好ましくは特には、作物収量、根系の発達増加、根の成長増進、根の大きさ維持の向上、根の有効性の向上、分げつの増加および植物高さの増加から選択される改善された植物の性質を指す。
【０２６６】
本明細書で定義の植物の健康に対する本発明による組成物の効果は、前記植物のある部分を本発明による組成物によって処理し、当該植物の別の部分を本発明による組成物で処理せずに、同じ環境条件下で成長する植物を比較することで確認することができる。代わりに、前記の他の部分は、全く処理しないか、プラシーボ（すなわち、全ての有効成分を含まない施用（すなわち、本明細書に記載の組換え外膜産生性バチルス細胞を含まず、本明細書に記載のさらなる特定の生物農薬を含まない）、または本明細書に記載の組換え外膜産生性バチルス細胞を含まない施用、または本明細書に開示のさらなる特定の生物農薬を含まない施用などの本発明による組成物を用いない施用で処理される。
【０２６７】
本発明による組成物は、任意の望ましい方法で、例えば、種子粉衣、土壌潅注の形態で、および／または、畝間に直接的に、および／または茎葉散布として施用することができ、そして、発芽前、発芽後またはその両方のいずれかで施用することができる。すなわち、当該組成物は、種子、植物もしくは収穫された果実および野菜に施用することができるか、植物がそこで成育している土壌もしくは成育させるのが望ましい土壌（植物の成長場所）に施用することができる。
【０２６８】
植物および植物部分の全体的な損傷を低減することで、植物の健康が増進され、および／または植物の活力および収量の増加が生じる。
【０２６９】
好ましくは、本発明による組成物は、従来の植物もしくはトランスジェニック植物またはそれらの種子を処理するのに使用される。
【０２７０】
本発明はまた、融合タンパク質を発現する組換え外膜産生性バチルス細胞および少なくとも一つの本明細書に記載のさらなる特定の生物農薬を含む上記の組成物のいずれかを用いる植物成長の刺激方法に関する。その植物成長刺激方法は、植物、植物部分、植物周囲の場所または植物が植えられる場所（例えば、土壌または他の成長培地）に、相乗的に有効な量で（ｉ）少なくとも一つの植物成長刺激タンパク質もしくはペプチド；および（ｉｉ）標的配列、外膜タンパク質、または外膜タンパク質断片を含む融合タンパク質を発現する組換え外膜産生性バチルス細胞、および昆虫、ダニ、線虫および／または植物病原体に対して活性を示す少なくとも一つの本明細書に開示のさらなる特定の生物農薬および／または個々の株の全ての識別特性を有する本明細書に開示の微生物の特定の株の突然変異体、および／または個々の株によって産生される少なくとも一つの代謝物を含む組成物を施用することを含む。
【０２７１】
本発明の別の態様において、相乗的に有効な量で組換え外膜産生性バチルス細胞および少なくとも一つの本明細書に記載のさらなる特定の生物農薬を同時にまたは順次で施用する段階を含む、植物および植物部分の全体的な損傷ならびに昆虫、ダニ、線虫および／または植物病原体によって生じる収穫された果実もしくは野菜の損失を減らす方法が提供される。
【０２７２】
本発明の方法の１実施形態において、前記組成物はさらに、少なくとも一つの殺菌剤を含む。１態様において、前記少なくとも一つの殺菌剤は合成殺菌剤である。この実施形態のさらに別の態様において、前記少なくとも一つの殺菌剤は、次の群：ビテルタノール、ビキサフェン、ブロムコナゾール、カルベンダジム、カルプロパミド、ジクロフルアニド、フェナミドン、フェンヘキサミド、酢酸フェンチン、水酸化フェンチン、フルオピコリド、フルオピラム、フルオキサストロビン、フルキンコナゾール、ホセチル、イプロジオン、イプロバリカルブ、イソチアニル、メトミノストロビン、オフラセ（ｏｆｕｒａｃｅ）、ペンシクロン、ペンフルフェン、プロクロラズ、プロパモカルブ、プロピネブ、プロチオコナゾール、ピリメタニル、スピロキサミン、テブコナゾール、トリルフルアニド、トリアジメホン、トリアジメノール、トリアゾキシド、およびトリフロキシストロビンから選択される。
【０２７３】
別の実施形態において、前記組成物は、殺菌剤に加えて、または殺菌剤に代えて少なくとも一つの殺虫剤を含み、ただし、本明細書で開示の殺虫剤、殺菌剤、組換え外膜産生性バチルス細胞および特定の生物農薬は同一ではない。
【０２７４】
１実施形態において、前記少なくとも一つの殺虫剤は合成殺虫剤である。別の実施形態において、前記少なくとも一つの殺虫剤は、次の群：アセタミプリド、アルジカルブ、アミトラズ、β−シフルトリン、カルバリル、クロチアニジン、シフルトリン、シペルメトリン、デルタメトリン、エンドスルファン、エチオン、エチプロール、エトプロホス、フェナミホス、フェノブカルブ、フェンチオン、フィプロニル、フルベンジアミド、フルオピラム、フルピラジフロン、フォルメタネート、ヘプタノホス、イミダクロプリド、メタミドホス、メチオカルブ、メトミル、ニクロサミド、オキシデメトン−メチル、ホサロン、シラフルオフェン、スピロジクロフェン、スピロメシフェン、スピロテトラマト、チアクロプリド、チオジカルブ、トラロメトリン、トリアゾホス、トリフルムロンおよびバミドチオンから選択される。
【０２７５】
本発明の方法は、次の施用方法を含む。すなわち、組換え外膜産生性バチルス細胞および少なくとも一つの本明細書に開示のさらなる特定の生物農薬の両方を、農業上許容される貯蔵寿命を有する単一の安定な組成物（いわゆる「単一製剤」）に製剤することができるか、使用の前または使用時に組み合わせる（いわゆる「組み合わせ製剤」）。
【０２７６】
別段の断りがない限り、「組み合わせ」という表現は、単一製剤中の、単一の「レディーミックス」形態中の、単一製剤で構成されている組み合わせ噴霧混合物（例えば、「タンクミックス」）中の、特には順次で（すなわち、適度に短い期間（例えば、数時間または数日間、例えば２時間から７日間）の範囲内で順次に）施用される場合の単一の有効成分の組合せ使用における、組換え外膜産生性バチルス細胞および少なくとも一つの本明細書に開示のさらなる特定の生物農薬および適宜に前記少なくとも一つの殺菌剤および／または少なくとも一つの殺虫剤の各種組み合せを意味する。本発明による組成物を施用する順序は、本発明の作用に関してはあまり重要ではない。従って、「組み合わせ」という用語は、例えば、組換え外膜産生性バチルス細胞および少なくとも一つの本明細書に開示のさらなる特定の生物農薬および適宜に前記少なくとも一つの殺菌剤および／または少なくとも一つの殺虫剤を同時にまたは連続して植物、それの周囲、生息環境または貯蔵空間に施用した後における、組換え外膜産生性バチルス細胞および少なくとも一つの本明細書に開示のさらなる特定の生物農薬および適宜に前記少なくとも一つの殺菌剤および／または殺虫剤の処理される植物の表面上もしくは内部または処理される植物の周囲、生息環境または貯蔵空間における存在も包含するものである。
【０２７７】
前記組換え外膜産生性バチルス細胞および少なくとも一つの本明細書に記載のさらなる特定の生物農薬および適宜に前記少なくとも一つの殺菌剤および／または少なくとも一つの殺虫剤を順次で利用または使用する場合、次の方法、すなわち第１に前記少なくとも一つの殺菌剤および／または前記少なくとも一つの殺虫剤を植物または植物部分に施用し、第２に前記本明細書に記載のさらなる特定の生物農薬および組換え外膜産生性バチルス細胞を同じ植物または植物部分に施用する方法に従って植物もしくは植物部分（種子および種子から発芽する植物を含む）、収穫された果実および野菜を処理することが好ましい。この施用方式によって、収穫時の植物表面での殺虫剤／殺菌剤の残留量が可能な限り低くなる。（作物）成長サイクル内での第１の施用と第２の施用の間の時間間隔は変動することができ、達成されるべき効果によって決まる。例えば、第１の施用は、昆虫、ダニ、線虫および／または植物病原体による植物または植物部分への侵入を防止し（これは特に、種子処理の場合である。）、または昆虫、ダニ、線虫および／または植物病原体による侵入と戦う（これは特に、植物および植物部分の処理の場合である。）ために行い、第２の施用は昆虫、ダニ、線虫および／または植物病原体による侵入を予防または抑制するため、および／または植物の成長を促進するために行う。この文脈での抑制は、前記組換え外膜産生性バチルス細胞および本明細書に開示の特定の生物農薬が病害生物や植物病原性真菌を完全に死滅させることができるのではなく侵入を許容されるレベルに維持できることを意味する。
【０２７８】
本発明は、複数回の施用によって、本発明の組成物の殺生物、阻害、予防および／または忌避活性を高める方法も提供する。一部の他の実施形態において、本発明の組成物は、いずれか所望の発達段階中、またはいずれか所定の防除圧（ｐｅｓｔ  ｐｒｅｓｓｕｒｅ）下に、約１時間、約５時間、約１０時間、約２４時間、約２日、約３日、約４日、約５日、約１週間、約１０日、約２週間、約３週間、約１ヶ月またはそれ以上の間隔で２回、植物および／または植物部分に施用される。さらに一部の実施形態において、本発明の組成物は、いずれか所望の発達段階中、またはいずれか所定の防除圧（ｐｅｓｔ  ｐｒｅｓｓｕｒｅ）下に、約１時間、約５時間、約１０時間、約２４時間、約２日、約３日、約４日、約５日、約１週間、約１０日、約２週間、約３週間、約１ヶ月またはそれ以上の間隔で、２回より多く、例えば３回、４回、５回、６回、７回、８回、９回、１０回またはそれ以上、植物および／または植物部分に施用される。各施用間の間隔は、所望に応じて変えることができる。当業者であれば、植物種、植物病害生物の種類、および他の要素に応じて、施用時期および間隔の長さを決めることができる。
【０２７９】
前記の段階に従うことで、処理された植物、植物部分、ならびに収穫された果実および野菜表面での少なくとも一つの殺菌剤および／または少なくとも一つの殺虫剤の残留は非常に低レベルであることができる。
【０２８０】
別段の言及がなければ、植物または植物部分（種子および種子から発芽した植物を含む）、収穫された果実および野菜の本発明による組成物による処理は、一般的な処理方法、例えば浸漬、散布、噴霧、潅漑、気化、散粉、煙霧、ばらまき、泡状化、塗布、拡散（ｓｐｒｅａｄｉｎｇ−ｏｎ）、潅水（潅注（ｄｒｅｎｃｈｉｎｇ））、点滴潅漑などによって、直接的に行うか、または、それらの周囲、生息環境もしくは貯蔵空間に作用させることにより行う。さらに、組換え外膜産生性バチルス細胞、少なくとも一つの本明細書に記載のさらなる特定の生物農薬、および適宜に前記少なくとも一つの殺菌剤および／または前記少なくとも一つの殺虫剤を単一製剤もしくは組み合わさ製剤として超微量散布法によって施用することも可能であり、または本発明による組成物を組成物として、または単一製剤として土壌中（畝間）に注入することが可能である。
【０２８１】
「処理対象の植物」という用語は、植物の全ての部分（これは、その根系を包含する）、および、それぞれ、処理対象植物の茎もしくは幹の周囲の少なくとも１０ｃｍ、２０ｃｍ、３０ｃｍの半径内にある材料物質（例えば、土壌または栄養媒体）または処理対象のその植物の根系の周囲の少なくとも１０ｃｍ、２０ｃｍ、３０ｃｍの半径内にある材料物質を包含する。
【０２８２】
適宜に少なくとも一つの殺菌剤および／または少なくとも一つの殺虫剤存在下に、少なくとも一つの本明細書に記載のさらなる特定の生物農薬と組み合わせて使用もしくは利用される組換え外膜産生性バチルス細胞の量は、最終製剤ならびに処理される植物、植物部分、種子、収穫された果実および野菜の大きさもしくは種類によって決まる。通常、本発明に従って利用もしくは使用される組換え外膜産生性バチルス細胞は、それの単一製剤または少なくとも一つの本明細書に記載のさらなる特定の生物農薬および適宜に殺菌剤および／または少なくとも一つの殺虫剤との組み合わせ製剤の約１％から約８０重量％、好ましくは約１％から約６０重量％、より好ましくは約１０％から約５０重量％で存在する。
【０２８３】
適宜に少なくとも一つの殺菌剤および／または少なくとも一つの殺虫剤存在下に、組換え外膜産生性バチルス細胞と組み合わせて使用もしくは利用される前記少なくとも一つの本明細書に開示のさらなる特定の生物農薬の量は、最終製剤ならびに処理される植物、植物部分、種子、収穫された果実および野菜の大きさもしくは種類によって決まる。通常、本発明に従って利用もしくは使用される本明細書に記載のさらなる特定の生物農薬は、それの単一製剤または組換え外膜産生性バチルス細胞および適宜に少なくとも一つの殺菌剤および／または少なくとも一つの殺虫剤との組み合わせ製剤の約０．１％から約８０重量％、好ましくは１％から約６０重量％、より好ましくは約１０％から約５０重量％で存在する。
【０２８４】
組換え外膜産生性バチルス細胞の施用は、茎葉噴霧として、土壌処理として、および／または種子処理／粉衣として行うことができる。茎葉処理として使用される場合、１実施形態において、エーカー当たり全ブロス約１／１６から約５ガロンを施用する。土壌処理として使用される場合、１実施形態において、エーカー当たり全ブロス約１から約５ガロンを施用する。種子処理に用いる場合、エーカー当たり全ブロス約１／３２から約１／４ガロンを施用する。種子処理の場合、最終使用製剤は、少なくともグラム当たり１×１０４、少なくとも１×１０５、少なくとも１×１０６、１×１０７、少なくとも１×１０８、少なくとも１×１０９、少なくとも１×１０１０コロニー形成単位を含む。
【０２８５】
組換え外膜産生性バチルス細胞および少なくとも一つの本明細書に開示のさらなる特定の生物農薬および存在する場合には好ましくは殺菌剤および／または殺虫剤も、相乗的重量比で使用または利用される。当業者であれば、通常の方法によって本発明における相乗的重量比を見出すことができる。当業者には、これらの比が、組み合わせ製剤内の比率ならびに両方の成分を処理対象植物に単一製剤として施用した場合の本明細書に記載の組換え外膜産生性バチルス細胞および少なくとも一つの本明細書に開示のさらなる特定の生物農薬の計算上の比率を指すことは明らかである。単一製剤中の組換え外膜産生性バチルス細胞および少なくとも一つの本明細書に開示のさらなる特定の生物農薬のそれぞれの体積および量は当業者には既知であることから、当業者は簡単な数学によってこの比を計算することができる。
【０２８６】
その比は、本発明による組み合わせの成分を植物もしくは植物部分に施用した時点での少なくとも一つの本明細書に開示のさらなる特定の生物農薬の量および本発明による組み合わせの成分を植物もしくは植物部分に施用する少し前（例えば、４８時間、２４時間、１２時間、６時間、２時間、１時間）またはその時点での組換え外膜産生性バチルス細胞の量に基づいて計算することができる。
【０２８７】
植物もしくは植物部分への組換え外膜産生性バチルス細胞および少なくとも一つの本明細書に開示のさらなる特定の生物農薬の施用は、両方の成分が施用後に植物表面もしくは植物体内に存在する限り、同時にまたは異なった時点で行うことができる。組換え外膜産生性バチルス細胞および本明細書に開示のさらなる特定の生物農薬を異なる時点で施用し、その本明細書に開示のさらなる特定の生物農薬を組換え外膜産生性バチルス細胞より前に施用する場合、当業者は、組換え外膜産生性バチルス細胞施用の時点またはその時点の少し前に当業界で公知の化学分析によって、植物表面／植物体内における本明細書に開示のさらなる特定の生物農薬の濃度を求めることができる。逆も同様に、組換え外膜産生性バチルス細胞を最初に植物に施用する場合、その組換え外膜産生性バチルス細胞の濃度は、本明細書に開示のさらなる特定の生物農薬施用の時点またはその時点より少し前に、やはり当業界で公知である試験を用いて求めることができる。
【０２８８】
特に、１実施形態において、組換え外膜産生性バチルス細胞（すなわち、製剤されていない胞子調製物）および少なくとも一つの本明細書に開示のさらなる特定の生物農薬の相乗的重量比は、１：１０００から１０００：１の範囲；１：５００から５００：１の範囲；１：３００から５００：１の範囲にある。別の比率は、２０：１から１：２０、例えば１０：１、５：１または２：１である。生物農薬がバチルス系である実施形態では、重量：重量比は、製剤されていないバチルス胞子調製物に適用されるべきものである。この実施形態の１態様において、組換え外膜産生性バチルス細胞およびバチルス系生物農薬の両方の胞子調製物は、少なくとも約１×１０４ｃｆｕ／ｇ、少なくとも約１×１０５ｃｆｕ／ｇ、少なくとも約１×１０６ｃｆｕ／ｇ、少なくとも約１×１０７ｃｆｕ／ｇ、少なくとも約１×１０８ｃｆｕ／ｇ、少なくとも約１×１０９ｃｆｕ／ｇ、少なくとも約１×１０１０ｃｆｕ／ｇ、および少なくとも約１×１０１１ｃｆｕ／ｇを含む乾燥胞子調製物である。別の実施形態において、組換え外膜産生性バチルス細胞および本明細書に記載のバチルス系の特定の生物農薬のコロニー形成単位：コロニー形成単位は、１：１００，０００から１００，０００：１の範囲、１：１０，０００から１０，０００：１の範囲、１：１０００から１０００：１の範囲、１：５００から５００：１の範囲、１：１００から１００：１の範囲、１：１０から１０：１の範囲、１：５から５：１の範囲、および１：１の範囲にある。
【０２８９】
本発明の１実施形態において、散布後の組換え外膜産生性バチルス・セレウス（Ｂａｃｉｌｌｕｓ  ｃｅｒｅｕｓ）科構成員系生物農薬の濃度は、少なくとも５０ｇ／ｈａ、例えば５０から７５００ｇ／ｈａ、５０から２５００ｇ／ｈａ、５０から１５００ｇ／ｈａ；少なくとも２５０ｇ／ｈａ（ヘクタール）、少なくとも５００ｇ／ｈａまたは少なくとも８００ｇ／ｈａである。
【０２９０】
本発明に従って利用もしくは使用される組成物の施用量は、変動し得るものである。当業者は、通常の実験によって、適切な施用量を見出すことができる。
【０２９１】
本発明の別の態様において、上記の組成物で処理された種子が提供される。
【０２９２】
植物の種子を処理することによる昆虫、ダニ、線虫および／または植物病原体の防除は、かなり以前から知られており、常に改良すべきテーマである。そうではあっても、種子の処理は、常に満足な形で解決されるとは限らない一連の問題を伴う。従って、植物の貯蔵中、播種後または発芽後における作物保護組成物の追加使用の必要性を取り除く、または少なくとも大幅に減らす、種子および発芽植物の保護方法を開発することが望ましい。さらに、種子および発芽植物に対して昆虫、ダニ、線虫および／または植物病原体による攻撃から可能な最も良好な保護を提供するが、植物自体に対する使用有効成分による損傷を起こさないような形で使用される有効成分の量を至適化することが望ましい。特に、種子処理の方法の場合も、病害生物抵抗性もしくは病害生物耐性のトランスジェニック植物の固有の殺虫特性および／または殺線虫特性を考慮して、作物保護組成物の使用を最小限としながら種子および発芽植物の至適な保護を達成すべきである。
【０２９３】
従って本発明は特に、本発明の個々の菌株の全ての識別特性を有する上記で定義の組換え外膜産生性バチルス細胞および昆虫、ダニ、線虫および／または植物病原体に対する活性を示す少なくとも一つの本明細書に開示の特定の微生物および／または本明細書に開示の微生物の特定の株の突然変異体から選択されるさらなる生物農薬、および／または個々の菌株によって産生される少なくとも一つの代謝物および適宜に少なくとも一つの殺菌剤および／または適宜に少なくとも一つの殺虫剤によって種子を処理することによって、種子および発芽植物を病害生物による攻撃から保護する方法に関するものでもある。種子および発芽植物を病害生物による攻撃から保護する本発明の方法は、種子を組換え外膜産生性バチルス細胞および少なくとも一つの本明細書に記載のさらなる特定の生物農薬、および適宜に少なくとも一つの殺菌剤および／または少なくとも一つの殺虫剤により１回の操作で同時に処理する方法を包含する。それは、種子を、組換え外膜産生性バチルス細胞および少なくとも一つの本明細書に開示のさらなる特定の生物農薬および適宜に少なくとも一つの殺菌剤および／または少なくとも一つの殺虫剤によって異なる時点で処理する方法も包含する。
【０２９４】
本発明は同様に、種子および結果的に得られた植物を昆虫、ダニ、線虫および／または植物病原体に対して保護する目的で種子を処理するための本発明の組成物の使用に関する。
【０２９５】
本発明はさらに、組換え外膜産生性バチルス細胞および少なくとも一つの本明細書に記載のさらなる特定の生物農薬および適宜に少なくとも一つの殺菌剤および／または少なくとも一つの殺虫剤で同時に処理された種子に関する。本発明はさらに、組換え外膜産生性バチルス細胞および少なくとも一つの本明細書に開示のさらなる特定の生物農薬および適宜に少なくとも一つの殺菌剤および／または少なくとも一つの殺虫剤で異なった時点で処理された種子に関する。組換え外膜産生性バチルス細胞および少なくとも一つの本明細書に開示のさらなる特定の生物農薬および適宜に少なくとも一つの殺菌剤および／または少なくとも一つの殺虫剤によって異なった時点で処理された種子の場合、本発明の組成物中の個々の有効成分は、種子の異なった層に存在する可能性がある。
【０２９６】
さらに、本発明は、本発明の組成物による処理後に、フィルムコーティング処理を受けて、種子の埃による摩耗が防止された種子に関する。
【０２９７】
本発明の利点の一つは、本発明の組成物の特定の全身特性のため、これらの組成物による種子の処理によって、種子自体だけでなく種子が発芽した後の種子から発生した植物にも、昆虫、ダニ、線虫および／または植物病原体からの保護が提供されるという点である。このようにして、播種時やその少し後に作物を直接処理する必要がなくなる可能性がある。
【０２９８】
別の利点は、本発明の組成物による種子の処理によって、処理された種子の発芽および発生を促進できるということに認められる。
【０２９９】
本発明の組成物を特にトランスジェニック種子にも用いることが可能であることも、有利であると考えられる。
【０３００】
本発明の組成物をシグナル伝達技術の薬剤と併用し、その結果として、例えば、根粒菌、菌根菌および／または内部寄生菌などの共生生物によるコロニー形成を改善、例えば促進し、および／または窒素固定を至適化することができることも挙げられる。
【０３０１】
本発明の組成物は、農業において、温室内で、森林でまたは園芸において使用される全ての植物品種の種子を保護するのに適している。詳細には、対象となる種子は、禾穀類（例えば、コムギ、オオムギ、ライムギ、エンバクおよびアワ）、トウモロコシ、ワタ、ダイズ、イネ、ジャガイモ、ヒマワリ、コーヒー、タバコ、キャノーラ、アブラナ、ビート（例えば、テンサイ、および、飼料用ビート）、落花生、野菜（例えば、トマト、キュウリ、エンドウマメ、タマネギ、アブラナ科およびレタス）、果樹、芝生および観賞植物の種子である。禾穀類（例えば、コムギ、オオムギ、ライムギおよびエンバク）、トウモロコシ、大豆、棉、キャノーラ、アブラナおよびイネの種子を処理することが、特に重要である。
【０３０２】
上記ですでに言及したように、本発明の組成物でトランスジェニック種子を処理することが、特に重要である。ここで対象となる種子は、特には殺虫特性および／または殺線虫特性を有するポリペプチドの発現を制御する少なくとも１種類の異種遺伝子を含む植物の種子である。トランスジェニック種子でのこれら異種遺伝子は、例えば、バシルス（Ｂａｃｉｌｌｕｓ）種、リゾビウム（Ｒｈｉｚｏｂｉｕｍ）種、シュードモナス（Ｐｓｅｕｄｏｍｏｎａｓ）種、セラチア（Ｓｅｒｒａｔｉａ）種、トリコデルマ（Ｔｒｉｃｈｏｄｅｒｍａ）種、クラビバクテル（Ｃｌａｖｉｂａｃｔｅｒ）種、グロムス（Ｇｌｏｍｕｓ）種またはグリオクラジウム（Ｇｌｉｏｃｌａｄｉｕｍ）種の微生物由来であることができる。本発明は、バシルス（Ｂａｃｉｌｌｕｓ）種由来の少なくとも１種類の異種遺伝子を含むトランスジェニック種子の処理に特に好適である。特に好ましくは、対象となる異種遺伝子は、バシルス・ツリンギエンシス（Ｂａｃｉｌｌｕｓｔｈｕｒｉｎｇｉｅｎｓｉｓ）に由来するものである。
【０３０３】
本発明に関連して、本発明の組成物は、種子に対して、単独で施用するか、好適な製剤で施用する。好ましくは、種子は、処理の途中で損傷が引き起こらないように安定である条件で処理する。一般に、種子は、収穫と播種の間の任意の時点で処理することができる。代表的には、植物から分離されていて、穂軸、殻、茎、皮、被毛または髄が除去されている種子を用いる。そこで、例えば、収穫され、不純物が取り除かれ、含水量が１５重量％未満となるまで乾燥された種子を使用することができる。あるいは、乾燥後に例えば水で処理され、その後再度乾燥された種子を使用することもできる。
【０３０４】
種子を処理する場合には、概して、種子の発芽が悪影響を受けないように、および／または種子から生じた植物が損傷を受けないように、種子に施用する本発明の組成物の量および／または他の添加剤の量が選択されるようにする必要がある。このことは、特に、特定の施用量で薬害作用を示し得る有効成分の場合に当てはまる。
【０３０５】
本発明の組成物は、直接施用することができる。すなわち、さらに別の成分を含ませることなく、そして希釈することなく施用することが可能である。一般に、その組成物は、好適な製剤の形態で種子に施用するのが好ましい。種子処理のための好適な製剤および方法は、当業者には公知であり、例えば、次の文献：米国特許第４，２７２，４１７Ａ号、同４，２４５，４３２Ａ号、同４，８０８，４３０Ａ号、同５，８７６，７３９Ａ号、米国特許公開２００３／０１７６４２８Ａ１、ＷＯ２００２／０８０６７５Ａ１、ＷＯ２００２／０２８１８６Ａ２に記載されている。
【０３０６】
本発明に従って使用することが可能な組み合わせは、一般的な種子粉衣製剤、例えば、液剤、乳濁液、懸濁液、粉剤、泡剤、スラリーその他の種子用のコーティング組成物、および、さらに、ＵＬＶ製剤などに変換することができる。
【０３０７】
これらの製剤は、既知の方法で、その組成物を、一般的な補助剤、例えば、一般的な増量剤、さらには、溶媒または希釈剤、着色剤、湿展剤、分散剤、乳化剤、消泡剤、防腐剤、二次増粘剤、粘着剤、ジベレリン類などと混合させ、さらには水と混合させることによって調製される。
【０３０８】
本発明に従って使用することが可能な種子粉衣製剤中に存在させることができる着色剤には、そのような目的に関して一般的な全ての着色剤などがある。この文脈では、水中での溶解性が乏しい顔料だけでなく、水溶性染料も使用することができる。例としては、「Ｒｈｏｄａｍｉｎ  Ｂ」、「Ｃ．Ｉ．Ｐｉｇｍｅｎｔ  Ｒｅｄ  １１２」、および、「Ｃ．Ｉ．Ｓｏｌｖｅｎｔ  Ｒｅｄ  １」の名称で知られている着色剤などがある。
【０３０９】
本発明に従って使用することが可能な種子粉衣製剤中に存在させることができる湿展剤には、湿潤を促進し、農薬成分の製剤において一般的な慣習的な全ての物質が包含される。好ましくは、アルキルナフタレンスルホネート類、例えば、ジイソプロピルナフタレンスルホネートまたはジイソブチル−ナフタレンスルホネートなどを使用することができる。
【０３１０】
本発明に従って使用することが可能な種子粉衣製剤中に存在させることができる分散剤および／または乳化剤には、農薬活性成分の製剤において一般的な非イオン性、アニオン性およびカチオン性の全ての分散剤などがある。好ましくは、非イオン性もしくはアニオン性の分散剤または非イオン性もしくはアニオン性の分散剤の混合物を使用することができる。好適な非イオン性分散剤は特には、エチレンオキシド／プロピレンオキシドブロックポリマー類、アルキルフェノールポリグリコールエーテル類およびトリスチリルフェノールポリグリコールエーテル類、ならびに、それらのリン酸化誘導体または硫酸化誘導体である。好適なアニオン性分散剤は特には、リグノスルホネート類、ポリアクリル酸塩類およびアリールスルホネート／ホルムアルデヒド縮合物である。
【０３１１】
本発明に従って使用される種子粉衣製剤中に存在させることができる消泡剤には、農薬活性成分の製剤において一般的な全ての泡抑制剤などがある。好ましくは、シリコーン系消泡剤およびステアリン酸マグネシウムを使用する。
【０３１２】
本発明に従って使用される種子粉衣製剤中に存在させることができる防腐剤には、農芸化学組成物中でそのような目的のために使用することが可能な全ての物質などがある。例として、ジクロロフェンおよびベンジルアルコールヘミホルマールなどがある。
【０３１３】
本発明に従って使用される種子粉衣製剤中に存在させることができる二次増粘剤には、農芸化学組成物中でそのような目的のために使用することが可能な全ての物質などがある。好ましいものと想到されるものには、セルロース誘導体、アクリル酸誘導体、キサンタン、変性クレーおよび高分散シリカなどがある。
【０３１４】
本発明に従って使用される種子粉衣製剤中に存在させることができる粘着剤には、種子粉衣製品中で使用可能な全ての一般的な結合剤などがある。ポリビニルピロリドン、ポリ酢酸ビニル、ポリビニルアルコールおよびチロースを好ましいものとして挙げることができる。
【０３１５】
本発明に従って使用される種子粉衣製剤中に存在させることができるジベレリン類には、好ましくは、ジベレリンＡ１、ジベレリンＡ３（＝ジベレリン酸）、ジベレリンＡ４およびジベレリンＡ７などがあり、ジベレリン酸を使用するのが特に好ましい。ジベレリン類は公知である（Ｒ．  Ｗｅｇｌｅｒ  ″Ｃｈｅｍｉｅ  ｄｅｒ  Ｐｆｌａｎｚｅｎｓｃｈｕｔｚ−  ｕｎｄ  Ｓｃｈａｄｌｉｎｇｓｂｅｋａｍｐｆｕｎｇｓｍｉｔｔｅｌ″，  Ｖｏｌ．２，  Ｓｐｒｉｎｇｅｒ  Ｖｅｒｌａｇ，  １９７０，  ｐｐ．４０１−４１２参照）。
【０３１６】
本発明に従って使用することが可能な種子粉衣製剤は、非常に多様な種類の種子を処理するために、直接使用することができるか、予め水で希釈した後に使用することができる。従って、濃厚物または水による希釈によってそれから得ることができる製剤を用いて、コムギ、オオムギ、ライムギ、エンバクおよびライコムギなどの穀物の種子、さらにはトウモロコシ、イネ、アブラナ、エンドウマメ、マメ類、ワタ、ヒマワリおよびビートの種子、あるいは非常に多様な野菜の種子を粉衣することができる。本発明に従って使用することが可能な種子粉衣製剤またはそれらの希釈された調製物は、トランスジェニック植物の種子を粉衣するのに使用することもできる。その場合、発現により形成された物質との相互作用において、さらなる相乗効果が生じることがあり得る。
【０３１７】
本発明に従って使用することが可能な種子粉衣製剤または水を添加することによってその種子粉衣製剤から調製される調製物を用いて種子を処理する場合に、好適な混合装置には、種子粉衣するために一般的に使用することができる全ての装置が包含される。より詳細には、種子粉衣を実行する際の手順は、種子を混合機の中に入れること、特定の所望量の種子粉衣製剤を、そのままで添加するかまたは予め水で希釈した後に添加すること、および、種子表面でのその製剤の分布が均一となるまで混合を実施することを含む。その後に乾燥操作を行っても良い。
【０３１８】
本発明に従って使用可能な種子粉衣製剤の施用量は、比較的広い範囲内で変動し得る。それは、製剤中の組換え外膜産生性バチルス細胞および少なくとも一つの本明細書に記載のさらなる特定の生物農薬の特定の量によって、そして種子によって決まる。当該組成物の場合の施用量は、通常は種子１ｋｇ当たり０．００１から５０ｇであり、好ましくは種子１ｋｇ当たり０．０１から１５ｇにある。
【０３１９】
さらに、本発明による組成物は好ましくは強力な殺細菌活性を有し、作物保護および材料保護において真菌および細菌などの望ましくない微生物を防除するのに用いることができる。
【０３２０】
本発明はさらに、本発明の組成物を植物病原性真菌、植物病原性細菌および／またはそれらの生息場所に施用することを特徴とする望ましくない微生物の防除方法に関するものである。
【０３２１】
作物保護において、植物病原性真菌の防除のために殺菌剤を用いることができる。それらは広いスペクトラムの植物病原性真菌、例えば特にネコブカビ類、ペロノスポロマイセテス（Ｐｅｒｏｎｏｓｐｏｒｏｍｙｃｅｔｅｓ）類（同義語：卵菌類）、ツボカビ類、接合菌類、子嚢菌類、担子菌類および不完全菌類（同義語、フンギ・インペルフェクチ（Ｆｕｎｇｉ  ｉｍｐｅｒｆｅｃｔｉ））の構成員である土壌病原体に対する顕著な効力を特徴とする。一部の殺菌剤は全身活性であり、茎葉処理剤として、種子粉衣剤として、または土壌処理殺菌剤として作物保護に使用することができる。さらに、それらは、特に木材または植物の根に侵入する真菌と戦う上で好適である。
【０３２２】
殺細菌剤は、作物保護でシュードモナス科（Ｐｓｅｕｄｏｍｏｎａｄａｃｅａｅ）、リゾビウム科（Ｒｈｉｚｏｂｉａｃｅａｅ）、腸内細菌科（Ｅｎｔｅｒｏｂａｃｔｅｒｉａｃｅａｅ）、コリネバクテリウム科（Ｃｏｒｙｎｅｂａｃｔｅｒｉａｃｅａｅ）およびストレプトマイセス科（Ｓｔｒｅｐｔｏｍｙｃｅｔａｃｅａｅ）の防除に用いることができる。
【０３２３】
本発明に従って処置可能な真菌疾患の例としては、下記のものなどがあるが、これらに限定されるものではない。
【０３２４】
ウドンコ病の病原体、例えばブルメリア・グラミニス（Ｂｌｕｍｅｒｉａ  ｇｒａｍｉｎｉｓ）などのブルメリア（Ｂｌｕｍｅｒｉａ）種；ポドスファエラ・ロイコトリカ（Ｐｏｄｏｓｐｈａｅｒａ  ｌｅｕｃｏｔｒｉｃｈａ）などのポドスファエラ（Ｐｏｄｏｓｐｈａｅｒａ）種；スファエロセカ・フリギネア（Ｓｐｈａｅｒｏｔｈｅｃａ  ｆｕｌｉｇｉｎｅａ）などのスファエロセカ（Ｓｐｈａｅｒｏｔｈｅｃａ）種；ウンシヌラ・ネケータ（Ｕｎｃｉｎｕｌａ  ｎｅｃａｔｏｒ）などのウンシヌラ（Ｕｎｃｉｎｕｌａ）種によって引き起こされる病害；
さび病病原体、例えばギムノスポランギウム・サビナエ（Ｇｙｍｎｏｓｐｏｒａｎｇｉｕｍ  ｓａｂｉｎａｅ）などのギムノスポランギウム（Ｇｙｍｎｏｓｐｏｒａｎｇｉｕｍ）種；ヘミレイア・バスタトリックス（Ｈｅｍｉｌｅｉａ  ｖａｓｔａｔｒｉｘ）などのヘミレイア（Ｈｅｍｉｌｅｉａ）種；ファコプソラ・パチライジ（Ｐｈａｋｏｐｓｏｒａ  ｐａｃｈｙｒｈｉｚｉ）およびファコプソラ・マイボミアエ（Ｐｈａｋｏｐｓｏｒａ  ｍｅｉｂｏｍｉａｅ）などのファコスプソラ（Ｐｈａｋｏｐｓｏｒａ）種；プクシニア・レコンディテ（Ｐｕｃｃｉｎｉａ  ｒｅｃｏｎｄｉｔｅ）、Ｐ．トリチシナ（Ｐ．  ｔｒｉｔｉｃｉｎａ）、Ｐ．グラミニス（Ｐ．  ｇｒａｍｉｎｉｓ）またはＰ．ストリフォルニス（Ｐ．  ｓｔｒｉｉｆｏｒｍｉｓ）またはＰ．ホルデイ（Ｐ．ｈｏｒｄｅｉ）などのプクシニア（Ｐｕｃｃｉｎｉａ）種；ウロミセス・アッペンディキュラタス（Ｕｒｏｍｙｃｅｓ  ａｐｐｅｎｄｉｃｕｌａｔｕｓ）などのウロミセス（Ｕｒｏｍｙｃｅｓ）種によって引き起こされる病害；
卵菌類（Ｏｏｍｙｃｅｔｅｓ）群の病原体、例えばアルブゴ・カンジダ（Ａｌｇｕｂｏ  ｃａｎｄｉｄａ）などのアルブゴ（Ａｌｂｕｇｏ）種；ブレミア・ラクチュカエ（Ｂｒｅｍｉａ  ｌａｃｔｕｃａｅ）などのブレミア（Ｂｒｅｍｉａ）種；ペロノスポラ・ピシ（Ｐｅｒｏｎｏｓｐｏｒａ  ｐｉｓｉ）、Ｐ．パラシチカ（Ｐ．  ｐａｒａｓｉｔｉｃａ）またはＰ．ブラッシカエ（Ｐ．  ｂｒａｓｓｉｃａｅ）などのペロノスポラ（Ｐｅｒｏｎｏｓｐｏｒａ）種；フィトフソラ・インフェスタンス（Ｐｈｙｔｏｐｈｔｈｏｒａ  ｉｎｆｅｓｔａｎｓ）などのフィトフソラ（Ｐｈｙｔｏｐｈｔｈｏｒａ）種；プラスモパラ・ビチコラ（Ｐｌａｓｍｏｐａｒａ  ｖｉｔｉｃｏｌａ）などのプラスモパラ（Ｐｌａｓｍｏｐａｒａ）種；シュードペロノスポラ・フムリ（Ｐｓｅｕｄｏｐｅｒｏｎｏｓｐｏｒａ  ｈｕｍｕｌｉ）またはシュードペロノスポラ・キュベンシス（Ｐｓｅｕｄｏｐｅｒｏｎｏｓｐｏｒａ  ｃｕｂｅｎｓｉｓ）などのシュードペロノスポラ（Ｐｓｅｕｄｏｐｅｒｏｎｏｓｐｏｒａ）種；ピチウム・ウルティマム（Ｐｙｔｈｉｕｍ  ｕｌｔｉｍｕｍ）などのピチウム（Ｐｙｔｈｉｕｍ）種によって引き起こされる病害；
例えばアルテルナリア・ソラニ（Ａｌｔｅｒｎａｒｉａ  ｓｏｌａｎｉ）などのアルテルナリア（Ａｌｔｅｍａｒｉａ）種；セルコスポラ・ベチコラ（Ｃｅｒｃｏｓｐｏｒａ  ｂｅｔｉｃｏｌａ）などのセルコスポラ（Ｃｅｒｃｏｓｐｏｒａ）種；クラジオスポリウム・キュキュメリナム（Ｃｌａｄｉｏｓｐｏｒｉｕｍ  ｃｕｃｕｍｅｒｉｎｕｍ）などのクラジオスポリウム（Ｃｌａｄｉｏｓｐｏｒｕｍ）種；コクリオボラス・サティブス（Ｃｏｃｈｌｉｏｂｏｌｕｓ  ｓａｔｉｖｕｓ）（分生子型：ドレクスレラ（Ｄｒｅｃｈｓｌｅｒａ）、同義語：ヘルミントスポリウム（Ｈｅｌｍｉｎｔｈｏｓｐｏｒｉｕｍ））、コクリオボラス・ミヨビーナス（Ｃｏｃｈｌｉｏｂｏｌｕｓ  ｍｉｙｏｂｅａｎｕｓ）などのコクリオボラス（Ｃｏｃｈｌｉｏｂｏｌｕｓ）種；コレトトリカム・リンデムサニウム（Ｃｏｌｌｅｔｏｔｒｉｃｈｕｍ  ｌｉｎｄｅｍｕｔｈａｎｉｕｍ）などのコレトトリカム（Ｃｏｌｌｅｔｏｔｒｉｃｈｕｍ）種；シクロコニウム・オレアギナム（Ｃｙｃｌｏｃｏｎｉｕｍ  ｏｌｅａｇｉｎｕｍ）などのシクロコニウム（Ｃｙｃｌｏｃｏｎｉｕｍ）種；ディアポルテ・シトリ（Ｄｉａｐｏｒｔｈｅ  ｃｉｔｒｉ）などのディアポルテ（Ｄｉａｐｏｒｔｈｅ）種；エルシノエ・フォーセッティイ（Ｅｌｓｉｎｏｅ  ｆａｗｃｅｔｔｉｉ）などのエルシノエ（Ｅｌｓｉｎｏｅ）種；グレオスポリウム・ラエティカラー（Ｇｌｏｅｏｓｐｏｒｉｕｍ  ｌａｅｔｉｃｏｌｏｒ）などのグレオスポリウム種（Ｇｌｏｅｏｓｐｏｒｉｕｍ）；グロメレラ・シンギュラータ（Ｇｌｏｍｅｒｅｌｌａ  ｃｉｎｇｕｌａｔａ）などのグロメレラ（Ｇｌｏｍｅｒｅｌｌａ）種；ギニャルディア・ビドウェリ（Ｇｕｉｇｎａｒｄｉａ  ｂｉｄｗｅｌｌｉ）などのギニャルディア（Ｇｕｉｇｎａｒｄｉａ）種；レプトスファエリア・マキュランス（Ｌｅｐｔｏｓｐｈａｅｒｉａ  ｍａｃｕｌａｎｓ）、レプトスファエリア・ノドルム（Ｌｅｐｔｏｓｐｈａｅｒｉａ  ｎｏｄｏｒｕｍ）などのレプトスファエリア（Ｌｅｐｔｏｓｐｈａｅｒｉａ）種；マグナポルテ・グリージー（Ｍａｇｎａｐｏｒｔｈｅ  ｇｒｉｓｅａ）などのマグナポルテ（Ｍａｇｎａｐｏｒｔｈｅ）種；ミクロドキウム・ニバレ（Ｍｉｃｒｏｄｏｃｈｉｕｍ  ｎｉｖａｌｅ）などのミクロドキウム（Ｍｉｃｒｏｄｏｃｈｉｕｍ）種；マイコスファエレラ・グラミニコラ（Ｍｙｃｏｓｐｈａｅｒｅｌｌａ  ｇｒａｍｉｎｉｃｏｌａ）、Ｍ．アラキジコラ（Ｍ．  ａｒａｃｈｉｄｉｃｏｌａ）およびＭ．フィジエンシス（Ｍ．  ｆｉｊｉｅｎｓｉｓ）などのマイコスファエレラ（Ｍｙｃｏｓｐｈａｅｒｅｌｌａ）種；フェオスファエリア・ノドラム（Ｐｈａｅｏｓｐｈａｅｒｉａ  ｎｏｄｏｒｕｍ）などのフェオスファエリア（Ｐｈａｅｏｓｐｈａｅｒｉａ）種；ピレノフォラ・テレス（Ｐｙｒｅｎｏｐｈｏｒａ  ｔｅｒｅｓ）、ピレノフォラ・トリチシ・レペンチス（Ｐｙｒｅｎｏｐｈｏｒａ  ｔｒｉｔｉｃｉ  ｒｅｐｅｎｔｉｓ）などのピレノフォラ（Ｐｙｒｅｎｏｐｈｏｒａ）種；ラムラリア・コロシグニ（Ｒａｍｕｌａｒｉａ  ｃｏｌｌｏ−ｃｙｇｎｉ）、ラムラリア・アレオラ（Ｒａｍｕｌａｒｉａ  ａｒｅｏｌａ）などのラムラリア（Ｒａｍｕｌａｒｉａ）種；リンコスポリウム・セカ���ス（Ｒｈｙｎｃｈｏｓｐｏｒｉｕｍ  ｓｅｃａｌｉｓ）などのリンコスポリウム（Ｒｈｙｎｃｈｏｓｐｏｒｉｕｍ）種；セプトリア・アピイ（Ｓｅｐｔｏｒｉａ  ａｐｉｉ）、セプトリア・リコペルシイ（Ｓｅｐｔｏｒｉａ  ｌｙｃｏｐｅｒｓｉｉ）などのセプトリア（Ｓｅｐｔｏｒｉａ）種；チフラ・インカルナータ（Ｔｙｐｈｕｌａ  ｉｎｃａｒｎａｔａ）などのチフラ（Ｔｙｐｈｕｌａ）種；ベンチュリア・イナエキュアリス（Ｖｅｎｔｕｒｉａ  ｉｎａｅｑｕａｌｉｓ）などのベンチュリア（Ｖｅｎｔｕｒｉａ）種によって引き起こされる葉枯病（ｌｅａｆ  ｂｌｏｔｃｈ  ｄｉｓｅａｓｅｓ）および葉萎凋病（ｌｅａｆ  ｗｉｌｔ  ｄｉｓｅａｓｅｓ）；
例えば、コルチシウム・グラミネアラム（Ｃｏｒｔｉｃｉｕｍ  ｇｒａｍｉｎｅａｒｕｍ）などのコルチシウム（Ｃｏｒｔｉｃｉｕｍ）種；フサリウム・オキシスポラム（Ｆｕｓａｒｉｕｍ  ｏｘｙｓｐｏｒｕｍ）などのフサリウム（Ｆｕｓａｒｉｕｍ）種；ゲウマノミセス・グラミニス（Ｇａｅｕｍａｎｎｏｍｙｃｅｓ  ｇｒａｍｉｎｉｓ）などのゲウマノミセス（Ｇａｅｕｍａｎｎｏｍｙｃｅｓ）種；リゾクトニア・ソラニ（Ｒｈｉｚｏｃｔｏｎｉａ  ｓｏｌａｎｉ）などのリゾクトニア（Ｒｈｉｚｏｃｔｏｎｉａ）種；サロクラジウム・オリザエ（Ｓａｒｏｃｌａｄｉｕｍ  ｏｒｙｚａｅ）などによって引き起こされるサロクラジウム（Ｓａｒｏｃｌａｄｉｕｍ）病；サロクラジウム・オリザエ（Ｓａｒｏｃｌａｄｉｕｍ  ｏｒｙｚａｅ）などによって引き起こされるサロクラジウム（Ｓａｒｏｃｌａｄｉｕｍ）病；タペシア・アキュフォルミス（Ｔａｐｅｓｉａ  ａｃｕｆｏｒｍｉｓ）などのタペシア（Ｔａｐｅｓｉａ）種；チエラビオプシス・バシコラ（Ｔｈｉｅｌａｖｉｏｐｓｉｓ  ｂａｓｉｃｏｌａ）などのチエラビオプシス（Ｔｈｉｅｌａｖｉｏｐｓｉｓ）種によって引き起こされる根および茎の病害；
例えばアルテルナリア属（Ａｌｔｅｒｎａｒｉａ  ｓｐｐ．）などのアルテルナリア（Ａｌｔｅｒｎａｒｉａ）種；アスペルギルス・フラバス（Ａｓｐｅｒｇｉｌｌｕｓ  ｆｌａｖｕｓ）などのアスペルギルス（Ａｓｐｅｒｇｉｌｌｕｓ）種；クラドスポリウム・クラドスポリオイデス（Ｃｌａｄｏｓｐｏｒｉｕｍ  ｃｌａｄｏｓｐｏｒｉｏｉｄｅｓ）などのクラドスポリウム（Ｃｌａｄｏｓｐｏｒｉｕｍ）種；クラビセプス・パープレア（Ｃｌａｖｉｃｅｐｓ  ｐｕｒｐｕｒｅａ）などのクラビセプス（Ｃｌａｖｉｃｅｐｓ）種；フサリウム・クルモラム（Ｆｕｓａｒｉｕｍ  ｃｕｌｍｏｒｕｍ）などのフサリウム（Ｆｕｓａｒｉｕｍ）種；ギッベレラ・ゼアエ（Ｇｉｂｂｅｒｅｌｌａ  ｚｅａｅ）などのギッベレラ（Ｇｉｂｂｅｒｅｌｌａ）種；モノグラフェラ・ニバリス（Ｍｏｎｏｇｒａｐｈｅｌｌａ  ｎｉｖａｌｉｓ）などのモノグラフェラ（Ｍｏｎｏｇｒａｐｈｅｌｌａ）種；セプトリア・ノドルム（Ｓｅｐｔｏｒｉａ  ｎｏｄｏｒｕｍ）などのセプトリア（Ｓｅｐｔｏｒｉａ）種によって引き起こされる穂および円錐花序の病害（トウモロコシ穂軸など）；
黒穂菌（ｓｍｕｔ  ｆｕｎｇｉ）、例えばスファセロセカ・ライリアナ（Ｓｐｈａｃｅｌｏｔｈｅｃａ  ｒｅｉｌｉａｎａ）などのスファセロセカ（Ｓｐｈａｃｅｌｏｔｈｅｃａ）種；ティレチア・カリエス（Ｔｉｌｌｅｔｉａ  ｃａｒｉｅｓ）、Ｔ．コントロベルサ（Ｔ．  ｃｏｎｔｒｏｖｅｒｓａ）などのティレチア（Ｔｉｌｌｅｔｉａ）種；ウロシスティス・オキュラータ（Ｕｒｏｃｙｓｔｉｓ  ｏｃｃｕｌｔａ）などのウロシスティス（Ｕｒｏｃｙｓｔｉｓ）種；ウスティラゴ・ヌーダ（Ｕｓｔｉｌａｇｏ  ｎｕｄａ）、Ｕ．ヌーダ・トリチシ（Ｕ．  ｎｕｄａ  ｔｒｉｔｉｃｉ）などのウスティラゴ（Ｕｓｔｉｌａｇｏ）種によって引き起こされる病害；
例えばアスペルギルス・フラバス（Ａｓｐｅｒｇｉｌｌｕｓ  ｆｌａｖｕｓ）などのアスペルギルス（Ａｓｐｅｒｇｉｌｌｕｓ）種；ボトリティス・シネレア（Ｂｏｔｒｙｔｉｓ  ｃｉｎｅｒｅａ）などのボトリティス（Ｂｏｔｒｙｔｉｓ）種；ペニシリウム・エクスパンサム（Ｐｅｎｉｃｉｌｌｉｕｍ  ｅｘｐａｎｓｕｍ）およびＰ．プルプロゲナム（Ｐ．  ｐｕｒｐｕｒｏｇｅｎｕｍ）などのペニシリウム（Ｐｅｎｉｃｉｌｌｉｕｍ）種；スクレロティニア・スクレロティオラム（Ｓｃｌｅｒｏｔｉｎｉａ  ｓｃｌｅｒｏｔｉｏｒｕｍ）などのスクレロティニア（Ｓｃｌｅｒｏｔｉｎｉａ）種；ベルティシリウム・アルボアトラム（Ｖｅｒｔｉｃｉｌｉｕｍ  ａｌｂｏａｔｒｕｍ）などのベルティシリウム（Ｖｅｒｔｉｃｉｌｉｕｍ）種によって引き起こされる果実腐敗；
例えばアルタナリア（Ａｌｔｅｒｎａｒｉａ）種によって引き起こされる、例えばアルタナリア・ブラシシコラ（Ａｌｔｅｒｎａｒｉａ  ｂｒａｓｓｉｃｉｃｏｌａ）によって引き起こされる；アファノミセス（Ａｐｈａｎｏｍｙｃｅｓ）種、例えばアファノミセス・ユーテイケス（Ａｐｈａｎｏｍｙｃｅｓ  ｅｕｔｅｉｃｈｅｓ）によって引き起こされる；アスコチタ（Ａｓｃｏｃｈｙｔａ）種、例えばアスコチタ・レンティス（Ａｓｃｏｃｈｙｔａ  ｌｅｎｔｉｓ）によって引き起こされる；アスペルギルス（Ａｓｐｅｒｇｉｌｌｕｓ）種、例えばアスペルギルス・フラブス（Ａｓｐｅｒｇｉｌｌｕｓ  ｆｌａｖｕｓ）によって引き起こされる；クラドスポリウム（Ｃｌａｄｏｓｐｏｒｉｕｍ）種、例えばクラドスポリウム・ヘルバルム（Ｃｌａｄｏｓｐｏｒｉｕｍ  ｈｅｒｂａｒｕｍ）によって引き起こされる；コクリオボラス（Ｃｏｃｈｌｉｏｂｏｌｕｓ）種、例えばコクリオボラス・サティブス（Ｃｏｃｈｌｉｏｂｏｌｕｓ  ｓａｔｉｖｕｓ）（分生子型：ドレクスレラ（Ｄｒｅｃｈｓｌｅｒａ）、ビポラリス（Ｂｉｐｏｌａｒｉｓ）同義語：ヘルミントスポリウム（Ｈｅｌｍｉｎｔｈｏｓｐｏｒｉｕｍ））によって引き起こされる；コレトトリカム（Ｃｏｌｌｅｔｏｔｒｉｃｈｕｍ）種、例えばコレトトリカム・ココデス（Ｃｏｌｌｅｔｏｔｒｉｃｈｕｍ  ｃｏｃｃｏｄｅｓ）によって引き起こされる；フサリウム（Ｆｕｓａｒｉｕｍ）種、例えばフサリウム・カルモラム（Ｆｕｓａｒｉｕｍ  ｃｕｌｍｏｒｕｍ）によって引き起こされる；ギッベレラ（Ｇｉｂｂｅｒｅｌｌａ）種、例えばギッベレラ・ゼアエ（Ｇｉｂｂｅｒｅｌｌａ  ｚｅａｅ）によって引き起こされる；マクロホミナ（Ｍａｃｒｏｐｈｏｍｉｎａ）種、例えばマクロホミナ・ファセオリナ（Ｍａｃｒｏｐｈｏｍｉｎａ  ｐｈａｓｅｏｌｉｎａ）によって引き起こされる；モノグラフェラ（Ｍｏｎｏｇｒａｐｈｅｌｌａ）種、例えばモノグラフェラ・ニバリス（Ｍｏｎｏｇｒａｐｈｅｌｌａ  ｎｉｖａｌｉｓ）によって引き起こされる；ペニシリウム（Ｐｅｎｉｃｉｌｌｉｕｍ）種、例えばペニシリウム・エキスパンスム（Ｐｅｎｉｃｉｌｌｉｕｍ  ｅｘｐａｎｓｕｍ）によって引き起こされる；ホマ（Ｐｈｏｍａ）種、例えばホマ・リンガム（Ｐｈｏｍａ  ｌｉｎｇａｍ）によって引き起こされる；ホモプシス（Ｐｈｏｍｏｐｓｉｓ）種、例えばホモプシス・ソジャエ（Ｐｈｏｍｏｐｓｉｓ  ｓｏｊａｅ）によって引き起こされる；フィトフソラ（Ｐｈｙｔｏｐｈｔｈｏｒａ）種、例えばフィトフソラ・カクトラム（Ｐｈｙｔｏｐｈｔｈｏｒａ  ｃａｃｔｏｒｕｍ）によって引き起こされる；ピレノホラ（Ｐｙｒｅｎｏｐｈｏｒａ）種、例えばピレノホラ・グラミネア（Ｐｙｒｅｎｏｐｈｏｒａ  ｇｒａｍｉｎｅａ）によって引き起こされる；ピリクラリア（Ｐｙｒｉｃｕｌａｒｉａ）種、例えばピリクラリア・オリザエ（Ｐｙｒｉｃｕｌａｒｉａ  ｏｒｙｚａｅ）によって引き起こされる；ピチウム（Ｐｙｔｈｉｕｍ）種、例えばピチウム・ウルティマム（Ｐｙｔｈｉｕｍ  ｕｌｔｉｍｕｍ）によって引き起こされる；リゾクトニア（Ｒｈｉｚｏｃｔｏｎｉａ）種、例えばリゾクトニア・ソラニ（Ｒｈｉｚｏｃｔｏｎｉａ  ｓｏｌａｎｉ）によって引き起こされ���；リゾプス（Ｒｈｉｚｏｐｕｓ）種、例えばリゾプス・オリザエ（Ｒｈｉｚｏｐｕｓ  ｏｒｙｚａｅ）によって引き起こされる；スクレロティウム（Ｓｃｌｅｒｏｔｉｕｍ）種、例えばスクレロティウム・ロルフシイ（Ｓｃｌｅｒｏｔｉｕｍ  ｒｏｌｆｓｉｉ）によって引き起こされる；セプトリア（Ｓｅｐｔｏｒｉａ）種、例えばセプトリア・ノドルム（Ｓｅｐｔｏｒｉａ  ｎｏｄｏｒｕｍ）によって引き起こされる；チフラ（Ｔｙｐｈｕｌａ）種、例えばチフラ・インカルナタ（Ｔｙｐｈｕｌａ  ｉｎｃａｒｎａｔａ）によって引き起こされる；ベルチシリウム（Ｖｅｒｔｉｃｉｌｌｉｕｍ）種、例えばベルチシリウム・ダーリアエ（Ｖｅｒｔｉｃｉｌｌｉｕｍ  ｄａｈｌｉａｅ）によって引き起こされる種子および土壌伝染性の腐敗、カビ、しおれ、腐敗病および立ち枯れ病；
例えばネクトリア・ガリゲナ（Ｎｅｃｔｒｉａ  ｇａｌｌｉｇｅｎａ）などのネクトリア（Ｎｅｃｔｒｉａ）種よって引き起こされる癌、こぶ病およびてんぐ巣病；
例えばモニリニア・ラクサ（Ｍｏｎｉｌｉｎｉａ  ｌａｘａ）などのモニリニア（Ｍｏｎｉｌｉｎｉａ）種によって引き起こされる枯れ病；
例えばエキソバシジウム・ベキサンス（Ｅｘｏｂａｓｉｄｉｕｍ  ｖｅｘａｎｓ）などのエキソバシジウム（Ｅｘｏｂａｓｉｄｉｕｍ）種；タフリナ・デフォルマンス（Ｔａｐｈｒｉｎａ  ｄｅｆｏｒｍａｎｓ）などのタフリナ（Ｔａｐｈｒｉｎａ）種によって引き起こされる葉ぶくれ病または葉巻病；
例えばファエモニエラ・クラミドスポラ（Ｐｈａｅｍｏｎｉｅｌｌａ  ｃｌａｍｙｄｏｓｐｏｒａ）、ファエオアクレモニウム・アレオフィラム（Ｐｈａｅｏａｃｒｅｍｏｎｉｕｍ  ａｌｅｏｐｈｉｌｕｍ）およびフォミチポリタ・メジテラネア（Ｆｏｍｉｔｉｐｏｒｉａ  ｍｅｄｉｔｅｒｒａｎｅａ）によって引き起こされるエスカ（Ｅｓｃａ）病；例えばユーチパ・ラタ（Ｅｕｔｙｐａ  ｌａｔａ）によって引き起こされるユーチパ（Ｅｕｔｙｐａ）枝枯れ病；例えばガノデルマ・ボニネンセ（Ｇａｎｏｄｅｒｍａ  ｂｏｎｉｎｅｎｓｅ）によって引き起こされるガノダーマ（Ｇａｎｏｄｅｒｍａ）病；例えばリジドポルス・リグノスス（Ｒｉｇｉｄｏｐｏｒｕｓ  ｌｉｇｎｏｓｕｓ）によって引き起こされるリジドポルス（Ｒｉｇｉｄｏｐｏｒｕｓ）病によって引き起こされる木材植物における衰退（ｄｅｃｌｉｎｅ）病；
例えばボトリティス・シネレア（Ｂｏｔｒｙｔｉｓ  ｃｉｎｅｒｅａ）などのボトリティス（Ｂｏｔｒｙｔｉｓ）種によって引き起こされる花および種子の病害；
リゾクトニア・ソラニ（Ｒｈｉｚｏｃｔｏｎｉａ  ｓｏｌａｎｉ）などのリゾクトニア（Ｒｈｉｚｏｃｔｏｎｉａ）種；ヘルミントスポリウム・ソラニ（Ｈｅｌｍｉｎｔｈｏｓｐｏｒｉｕｍ  ｓｏｌａｎｉ）などのヘルミントスポリウム（Ｈｅｌｍｉｎｔｈｏｓｐｏｒｉｕｍ）種によって引き起こされる植物塊茎の病害；
例えばプラモジオフォラ・ブラッシカエ（Ｐｌａｍｏｄｉｏｐｈｏｒａ  ｂｒａｓｓｉｃａｅ）などのプラモジオフォラ（Ｐｌａｍｏｄｉｏｐｈｏｒａ）種によって引き起こされる根こぶ病;
細菌性病原体、例えばキサントモナス・キャンペストリスｐｖ．オリザエ（Ｘａｎｔｈｏｍｏｎａｓ  ｃａｍｐｅｓｔｒｉｓ  ｐｖ．  ｏｒｙｚａｅ）などのキサントモナス（Ｘａｎｔｈｏｍｏｎａｓ）種；シュードモナス・シリンガエｐｖ．ラクリマンス（Ｐｓｅｕｄｏｍｏｎａｓ  ｓｙｒｉｎｇａｅ  ｐｖ．  ｌａｃｈｒｙｍａｎｓ）などのシュードモナス（Ｐｓｅｕｄｏｍｏｎａｓ）種；エルウィニア・アミロボラ（Ｅｒｗｉｎｉａ  ａｍｙｌｏｖｏｒａ）などのエルウィニア（Ｅｒｗｉｎｉａ）種によって引き起こされる病害。
【０３２５】
下記の大豆病害を好ましく防除することができる。
【０３２６】
例えばアルテルナリア葉斑点病（ａｌｔｅｒｎａｒｉａ  ｌｅａｆ  ｓｐｏｔ）（アルテルナリア属種アトランス・テニュイッシマ（Ａｌｔｅｒｎａｒｉａ  ｓｐｅｃ．  ａｔｒａｎｓ  ｔｅｎｕｉｓｓｉｍａ））、炭疽病（コレトトリカム・グロエオスポロイデス・デマティウム亜種トランケイタム（Ｃｏｌｌｅｔｏｔｒｉｃｈｕｍ  ｇｌｏｅｏｓｐｏｒｏｉｄｅｓ  ｄｅｍａｔｉｕｍ  ｖａｒ．  ｔｒｕｎｃａｔｕｍ））、褐斑病（ｂｒｏｗｎ  ｓｐｏｔ）（セプトリア・グリシネス（Ｓｅｐｔｏｒｉａ  ｇｌｙｃｉｎｅｓ））、セルコスポラ葉斑点病（ｃｅｒｃｏｓｐｏｒａ  ｌｅａｆ  ｓｐｏｔ）および焼枯れ病（ｂｌｉｇｈｔ）（セクロスポラ・キクチイ（Ｃｅｒｃｏｓｐｏｒａ  ｋｉｋｕｃｈｉｉ））、コアネフォラ葉焼枯れ病（ｃｈｏａｎｅｐｈｏｒａ  ｌｅａｆ  ｂｌｉｇｈｔ）（コアネフォラ・インファンディブリフェラ・トリスポラ（Ｃｈｏａｎｅｐｈｏｒａ  ｉｎｆｕｎｄｉｂｕｌｉｆｅｒａ  ｔｒｉｓｐｏｒａ）（同義））、ダクチュリオフォラ葉斑点病（ｄａｃｔｕｌｉｏｐｈｏｒａ  ｌｅａｆ  ｓｐｏｔ）（ダクチュリオフォラ・グリシネス（Ｄａｃｔｕｌｉｏｐｈｏｒａ  ｇｌｙｃｉｎｅｓ））、べと病（ｄｏｗｎｙ  ｍｉｌｄｅｗ）（ペロノスポラ・マンシュリカ（Ｐｅｒｏｎｏｓｐｏｒａ  ｍａｎｓｈｕｒｉｃａ））、ドレクスレラ焼枯れ病（ｄｒｅｃｈｓｌｅｒａ  ｂｌｉｇｈｔ）（ドレクスレラ・グリシニ（Ｄｒｅｃｈｓｌｅｒａ  ｇｌｙｃｉｎｉ））、葉輪紋病（ｆｒｏｇｅｙｅ  ｌｅａｆ  ｓｐｏｔ）（セルコスポラ・ソジナ（Ｃｅｒｃｏｓｐｏｒａ  ｓｏｊｉｎａ））、レプトスファエルリナ葉斑点病（ｌｅｐｔｏｓｐｈａｅｒｕｌｉｎａ  ｌｅａｆ  ｓｐｏｔ）（レプトスファエルリナ・トリフォリイ（Ｌｅｐｔｏｓｐｈａｅｒｕｌｉｎａ  ｔｒｉｆｏｌｉｉ））、フィロスティカ葉斑点病（ｐｈｙｌｌｏｓｔｉｃａ  ｌｅａｆ  ｓｐｏｔ）（フィロスティカ・ソジャエコラ（Ｐｈｙｌｌｏｓｔｉｃｔａ  ｓｏｊａｅｃｏｌａ））、鞘および茎の焼枯れ病（フォモプシス・ソジャエ（Ｐｈｏｍｏｐｓｉｓ  ｓｏｊａｅ））、うどんこ病（ｐｏｗｄｅｒｙ  、ｍｉｌｄｅｗ）（ミクロスファエラ・ディフューザ（Ｍｉｃｒｏｓｐｈａｅｒａ  ｄｉｆｆｕｓａ））、ピレノチャエタ葉斑点病（ｐｙｒｅｎｏｃｈａｅｔａ  ｌｅａｆ  ｓｐｏｔ）（ピレノチャエタ・グリシネス（Ｐｙｒｅｎｏｃｈａｅｔａ  ｇｌｙｃｉｎｅｓ））、リゾクトニア・エリアル（ｒｈｉｚｏｃｔｏｎｉａ  ａｅｒｉａｌ）、葉および膜の焼枯れ病（リゾクトニア・ソラニ（Ｒｈｉｚｏｃｔｏｎｉａ  ｓｏｌａｎｉ））、さび病（ファコプソラ・パチライジ（Ｐｈａｋｏｐｓｏｒａ  ｐａｃｈｙｒｈｉｚｉ）、ファコプソラ・メイボミアエ（Ｐｈａｋｏｐｓｏｒａ  ｍｅｉｂｏｍｉａｅ））、黒星病（スファセロマ・グリシネス（Ｓｐｈａｃｅｌｏｍａ  ｇｌｙｃｉｎｅｓ））、ステムフィリウム葉焼枯れ病（ｓｔｅｍｐｈｙｌｉｕｍ  ｌｅａｆ  ｂｌｉｇｈｔ）（ステムフィリウム・ボトリオサム（Ｓｔｅｍｐｈｙｌｉｕｍ  ｂｏｔｒｙｏｓｕｍ））、輪紋病（コリネスポラ・カッシイコラ（Ｃｏｒｙｎｅｓｐｏｒａ  ｃａｓｓｉｉｃｏｌａ））によって引き起こされる葉、茎、鞘および種子に対する真菌病害。
【０３２７】
例えば黒根腐病（ｂｌａｃｋ  ｒｏｏｔ  ｒｏｔ）（カロネクトリア・クロタラリアエ（Ｃａｌｏｎｅｃｔｒｉａ  ｃｒｏｔａｌａｒｉａｅ））、炭腐病（マクロフォミナ・ファセオリナ（Ｍａｃｒｏｐｈｏｍｉｎａ  ｐｈａｓｅｏｌｉｎａ））、フザリウム焼枯病（ｆｕｓａｒｉｕｍ  ｂｌｉｇｈｔ）または萎凋病（ｗｉｌｔ）、根腐れ病ならびに鞘および頸部腐れ病（ｒｏｔ）（フザリウム・オキシスポラム（Ｆｕｓａｒｉｕｍ  ｏｘｙｓｐｏｒｕｍ）、フザリウム・オルトセラス（Ｆｕｓａｒｉｕｍ  ｏｒｔｈｏｃｅｒａｓ）、フザリウム・セミテクタム（Ｆｕｓａｒｉｕｍ  ｓｅｍｉｔｅｃｔｕｍ）、フザリウム・エクイセチ（Ｆｕｓａｒｉｕｍ  ｅｑｕｉｓｅｔｉ）、マイコレプトディスカス根腐れ病（ｍｙｃｏｌｅｐｔｏｄｉｓｃｕｓ  ｒｏｏｔ  ｒｏｔ）（マイコレプトディスカス・テレストリス（Ｍｙｃｏｌｅｐｔｏｄｉｓｃｕｓ  ｔｅｒｒｅｓｔｒｉｓ））、ネオコスモスポラ（ｎｅｏｃｏｓｍｏｓｐｏｒａ）（ネオコスモスポラ・バスインフェクタ（Ｎｅｏｃｏｓｍｏｐｓｐｏｒａ  ｖａｓｉｎｆｅｃｔａ））、鞘および茎の焼枯病（ｂｌｉｇｈｔ）（ディアポルセ・ファセオロラム（Ｄｉａｐｏｒｔｈｅ  ｐｈａｓｅｏｌｏｒｕｍ））、枝枯れ病（ディアポルセ・ファセオロラム亜種カウリボラ（Ｄｉａｐｏｒｔｈｅ  ｐｈａｓｅｏｌｏｒｕｍ  ｖａｒ．  ｃａｕｌｉｖｏｒａ））、フィトフトラ腐れ病（ｐｈｙｔｏｐｈｔｈｏｒａ  ｒｏｔ）（フィトフトラ・メガスペルマ（Ｐｈｙｔｏｐｈｔｈｏｒａ  ｍｅｇａｓｐｅｒｍａ））、褐色茎腐れ病（ｂｒｏｗｎ  ｓｔｅｍ  ｒｏｔ）（フィアロフォラ・グレガータ（Ｐｈｉａｌｏｐｈｏｒａ  ｇｒｅｇａｔａ））、ピチウム腐れ病（ｐｙｔｈｉｕｍ  ｒｏｔ）（ピチウム・アファニデルマタム（Ｐｙｔｈｉｕｍ  ａｐｈａｎｉｄｅｒｍａｔｕｍ）、ピチウム・イレギュラーレ（Ｐｙｔｈｉｕｍ  ｉｒｒｅｇｕｌａｅｒｅ）、ピチウム・デバリアナム（Ｐｙｔｈｉｕｍ  ｄｅｂａｒｙａｎｕｍ）、ピチウム・ミリオチラム（Ｐｙｔｈｉｕｍ  ｍｙｒｉｏｔｙｌｕｍ）、ピチウム・ウルティマム（Ｐｙｔｈｉｕｍ  ｕｌｔｉｍｕｍ））、リゾクトニア根腐れ病（ｒｈｉｚｏｃｔｏｎｉａ  ｒｏｏｔ  ｒｏｔ）、茎腐敗および立枯病（リゾクトニア・ソラニ（Ｒｈｉｚｏｃｔｏｎｉａ  ｓｏｌａｎｉ））、スクレロティニア茎腐敗病（ｓｃｌｅｒｏｔｉｎｉａ  ｓｔｅｍ  ｄｅｃａｙ）（スクレロティニア・スクレロティオラム（Ｓｃｌｅｒｏｔｉｎｉａ  ｓｃｌｅｒｏｔｉｏｒｕｍ））、スクレロティニア白絹病（ｓｃｌｅｒｏｔｉｎｉａ  Ｓｏｕｔｈｅｒｎ  ｂｌｉｇｈｔ）（スクレロティニア・ロルフシイ（Ｓｃｌｅｒｏｔｉｎｉａ  ｒｏｌｆｓｉｉ））、チエラビオプシス根腐れ病（ｔｈｉｅｌａｖｉｏｐｓｉｓ  ｒｏｏｔ  ｒｏｔ）（チエラビオプシス・バシコラ（Ｔｈｉｅｌａｖｉｏｐｓｉｓ  ｂａｓｉｃｏｌａ））によって引き起こされる根および茎基部の真菌病。
【０３２８】
本発明の組成物は、植物病原性真菌の治療的もしくは保護／予防的防除に用いることができる。従って本発明は、種子、植物もしくは植物部分、果実または植物が成長する土壌に施用される本発明の組成物の使用による植物病原性真菌の治療的および保護的防除方法に関するものでもある。
【０３２９】
植物病害を防除するのに必要な濃度で、当該組成物が植物によって良好に耐容されることで、植物の地上部分、栄養繁殖器官および種子、ならびに土壌の処理が可能となる。
【０３３０】
本発明によれば、全ての植物および植物部分を処理することができる。植物とは、望ましいおよび望ましくない野生植物、作物および植物変種のような全ての植物および植物集団を意味する（植物品種および植物育種家の権利によって保護され得るか否かを問わず）。栽培品種及び植物変種は、１種類以上の生物工学的方法で（例えば、倍加半数体、原形質融合、ランダム突然変異誘発および定方向突然変異誘発、分子マーカーまたは遺伝的マーカーなどを用いることによって）補助または補足することが可能な従来の繁殖方法および育種方法によって得られる植物であることができるか、生物工学的方法と遺伝子工学的方法によって得られる植物であることができる。植物部分とは、枝条、葉、花および根などの植物の地上部および地下部の全ての部分及び器官を意味し、例えば、葉、針状葉、茎、枝、花、子実体、果実及び種子、ならびに根、球茎および根茎などが挙げられる。作物、ならびに栄養繁殖器官（ｖｅｇｅｔａｔｉｖｅ  ｐｒｏｐａｇａｔｉｎｇ  ｍａｔｅｒｉａｌ）および生殖繁殖器官（ｇｅｎｅｒａｔｉｖｅ  ｐｒｏｐａｇａｔｉｎｇ  ｍａｔｅｒｉａｌ）、例えば、挿し穂、球茎、根茎、匍匐茎および種子なども、植物部分に属する。
【０３３１】
本発明の組成物は、それが植物によって良好に耐容され、好ましい恒温動物毒性を有し、環境によって良好に耐容される場合、植物および植物器官を保護し、収穫量を高め、収穫物の品質を向上させる上で好適である。それは好ましくは、作物保護組成物として用いることができる。それは、通常のように感受性で抵抗性の植物種ならびに全てもしくは一部の発達段階に対して活性である。
【０３３２】
本発明に従って処理することができる植物には、次の主要作物植物：トウモロコシ、ダイズ、アルファルファ、ワタ、ヒマワリ、アブラナ属油料種子（Ｂｒａｓｓｉｃａ  ｏｉｌｓｅｅｄｓ）、例えば、セイヨウアブラナ（Ｂｒａｓｓｉｃａ  ｎａｐｕｓ）（例えば、カノラ、アブラナ）、カブ（Ｂｒａｓｓｉｃａ  ｒａｐａ）、カラシナ（Ｂ．ｊｕｎｃｅａ）（例えば、（菜の花）マスタード）およびアビシニアガラシ（Ｂｒａｓｓｉｃａ  ｃａｒｉｎａｔａ）、ヤシ（Ａｒｅｃａｃｅａｅ）属種（例えば、油やし、ココナッツ）、イネ、コムギ、テンサイ、サトウキビ、エンバク、ライムギ、オオムギ、アワおよびモロコシ、ライコムギ、アマ、ナッツ、ブドウおよびブドウの木、ならびに、種々の植物学的分類群からの各種果実および野菜、例えば、バラ属種（Ｒｏｓａｃｅａｅ  ｓｐ．）（例えば、ナシ状果、例えば、リンゴおよびナシ、さらに、核果、例えば、アンズ、サクランボ、アーモンド、プラムおよびモモ、ならびに液果（ｂｅｒｒｙ  ｆｒｕｉｔｓ）、例えば、イチゴ、ラズベリー、アカフサスグリおよびクロフサスグリならびにグーズベリー）、リベシオイダエ属種（Ｒｉｂｅｓｉｏｉｄａｅ  ｓｐ．）、クルミ属種（Ｊｕｇｌａｎｄａｃｅａｅ  ｓｐ．）、カバノキ属種（Ｂｅｔｕｌａｃｅａｅ  ｓｐ．）、ウルシ属種（Ａｎａｃａｒｄｉａｃｅａｅ  ｓｐ．）、ブナ属種（Ｆａｇａｃｅａｅ  ｓｐ．）、クワ属種（Ｍｏｒａｃｅａｅ  ｓｐ．）、モクセイ属種（Ｏｌｅａｃｅａｅ  ｓｐ．）（例えば、オリーブの木）、マタタビ属種（Ａｃｔｉｎｉｄａｃｅａｅ  ｓｐ．）、クスノキ属種（Ｌａｕｒａｃｅａｅ  ｓｐ．）（例えば、アボカド、シナモン、樟脳）、バショウ属種（Ｍｕｓａｃｅａｅ  ｓｐ．）（例えば、バナナの木およびバナナ園（ｂａｎａｎａ  ｔｒｅｅｓ  ａｎｄ  ｐｌａｎｔａｔｉｏｎｓ））、アカネ属種（Ｒｕｂｉａｃｅａｅ  ｓｐ．）（例えば、コーヒー）、ツバキ属種（Ｔｈｅａｃｅａｅ  ｓｐ．）（例えば、チャ）、アオギリ属種（Ｓｔｅｒｃｕｌｉｃｅａｅ  ｓｐ．）、ミカン属種（Ｒｕｔａｃｅａｅ  ｓｐ．）（例えば、レモン、オレンジ、ミカンおよびグレープフルーツ）；ナス属種（Ｓｏｌａｎａｃｅａｅ  ｓｐ．）（例えば、トマト、ジャガイモ、コショウ、トウガラシ、ナス、タバコ）、ユリ属種（Ｌｉｌｉａｃｅａｅ  ｓｐ．）、キク属種（Ｃｏｍｐｏｓｉｔａｅ  ｓｐ．）（例えば、レタス、チョウセンアザミおよびチコリー（これは、ルートチコリー（ｒｏｏｔ  ｃｈｉｃｏｒｙ）、エンダイブまたはキクニガナを包含する））、セリ属種（Ｕｍｂｅｌｌｉｆｅｒａｅ  ｓｐ．）（例えば、ニンジン、パセリ、セロリおよびセロリアック）、ウリ属種（Ｃｕｃｕｒｂｉｔａｃｅａｅ  ｓｐ．）（例えば、キュウリ（これは、ガーキン、カボチャ、スイカ、ヒョウタンおよびメロン）、ネギ属種（Ａｌｌｉａｃｅａｅ  ｓｐ．）（例えば、リーキおよびタマネギ）、アブラナ属種（Ｃｒｕｃｉｆｅｒａｅ  ｓｐ．）（例えば、白キャベツ、赤キャベツ、ブロッコリー、カリフラワー、芽キャベツ、タイサイ、コールラビ、ラディッシュ、セイヨウワサビ、コショウソウおよびハクサイ）、マメ属種（Ｌｅｇｕｍｉｎｏｓａｅ  ｓｐ．）（例えば、ラッカセイ、エンドウ、レンズマ��およびマメ（例えば、インゲンマメおよびソラマメ））、アカザ属種（Ｃｈｅｎｏｐｏｄｉａｃｅａｅ  ｓｐ．）（例えば、フダンソウ、飼料用ビート、ホウレンソウ、ビートの根（ｂｅｅｔｒｏｏｔｓ））、アマ（Ｌｉｎａｃｅａｅ）属種（例えばアサ）、タイマ（Ｃａｎｎａｂｅａｃｅａ）属種（例えば、大麻）、アオイ（Ｍａｌｖａｃｅａｅ）属種（例えば、オクラ、カカオ）、ケシ科（例えば、ケシ)、クサスギカズラ科（Ａｓｐａｒａｇａｃｅａｅ）（例えば、アスパラガス）；有用植物および庭の観賞植物ならびに芝生、芝地、イネ科草本およびステビア・レバウディアナ（Ｓｔｅｖｉａ  ｒｅｂａｕｄｉａｎａ）；および各場合でこれらの遺伝子組み換え型などがある。
【０３３３】
植物種または植物品種、それらの生育場所および生育条件（土壌、気候、生育期、養分（ｄｉｅｔ））に応じて、本発明による組成物を使用または利用して、本発明による処理により、優加法的（「相乗的」）効果も生じ得る。従って、例えば、本発明による処理において本発明の組成物を使用もしくは利用することで、施用量の低減および／または活性スペクトルの拡大および／または活性の増強、植物の生育の向上、高温または低温に対する耐性の向上、渇水または水中もしくは土壌中に含まれる塩分に対する耐性の向上、開花能力の向上、収穫の容易性の向上、促進された成熟、収穫量の増加、果実の大きさの増大、植物の高さの増大、葉の緑色の向上、より早い開花、収穫された生産物の品質の向上および／または栄養価の増加、果実内の糖度の上昇、収穫された生産物の貯蔵安定性の向上および／または加工性の向上などが可能であり、これらは、実際に予期された効果を超えるものである。
【０３３４】
本発明による処理における本発明の組成物の特定の施用量において、植物において強化効果も示し得る。望ましくない植物病原性真菌および／または微生物類および／またはウィルスによる攻撃に対する防御システムが動員される。本発明に関連して、植物を強化する（抵抗性を誘導する）物質は、処理された植物が、その後で望ましくない植物病原性真菌および／または微生物類および／またはウィルスを接種されたときに、それらの望ましくない植物病原性真菌および／または微生物類および／またはウィルスに対して実質的な程度の抵抗性を示すように、植物の防御システムを刺激することができる物質または物質の組合せを意味するものと理解される。そうして、本発明による処理において本発明による組成物を使用もしくは利用することで、処理後特定の期間内で、上記病原体による攻撃から植物を保護することができる。保護が達成される期間は、植物が該活性化合物で処理されてから、一般に、１から１０日間、好ましくは、１から７日間である。
【０３３５】
本発明に従って処理するのが同様に好ましい植物および植物品種は、１以上の生物的ストレスに対して抵抗性を示す。即ち、そのような植物は、害虫および有害微生物に対して、例えば、線虫類、昆虫類、ダニ類、植物病原性の菌類、細菌類、ウイルス類および／またはウイロイド類などに対して、良好な防御を示す。
【０３３６】
本発明に従って同様に処理し得る植物および植物品種は、１以上の非生物的ストレスに対して抵抗性である植物、すなわちストレス耐性に関して、すでに増進された植物の健康を示す植物である。非生物的なストレス状態としては、例えば、渇水、低温に晒されること、熱に晒されること、浸透ストレス、湛水、土壌中の塩分濃度の上昇、より多くの鉱物に晒されること、オゾンに晒されること、強い光に晒されること、利用可能な窒素養分が限られていること、利用可能なリン養分が限られていること、日陰回避などを挙げることができる。好ましくは、これらの植物および栽培品種の本発明の組成物による処理はさらに、全体的な植物の健康（上記参照）を高めるものである。
【０３３７】
本発明に従って同様に処理し得る植物および植物品種は、増大した収量特性を特徴とする植物、すなわちこの特徴に関して、すでに増進された植物の健康を示す植物である。そのような植物における増大した収量は、例えば、改善された植物の生理機能、生長および発育、例えば、水の利用効率、水の保持効率、改善された窒素の利用性、強化された炭素同化作用、改善された光合成、上昇した発芽効率および促進された成熟などの結果であり得る。収量は、さらに、改善された植物の構成によっても影響され得る（ストレス条件下および非ストレス条件下）。そのような改善された植物の構成としては、限定するものではないが、早咲き、ハイブリッド種子産生のための開花制御、実生の活力、植物の寸法、節間の数および距離、根の成長、種子の寸法、果実の寸法、莢の寸法、莢または穂の数、１つの莢または穂当たりの種子の数、種子の体積、強化された種子充填、低減された種子分散、低減された莢の裂開および耐倒伏性などがある。収量についてのさらなる形質としては、種子の組成、例えば、炭水化物含有量、タンパク質含有量、油含有量および油の組成、栄養価、抗栄養化合物の低減、改善された加工性ならびに向上した貯蔵安定性などがある。好ましくは、これらの植物および栽培品種の本発明の組成物による処理はさらに、全体的な植物の健康（上記参照）を高めるものである。
【０３３８】
本発明により処理され得る植物は、既にヘテロシスまたはハイブリッド活力の特徴を発現するハイブリッド植物であり、それによって、収量、活力、健康および生物ストレス因子および非生物ストレス因子に対する抵抗性がより高くなる。そのような植物は代表的には、同系交配雄性不稔親株（雌親）と別の同系交配雄性稔性親株（雄親）を交雑させることにより作られる。ハイブリッド種子は代表的には、雄性不稔植物から収穫され、栽培者に販売される。雄性不稔植物は、（例えばトウモロコシでは）、雄穂除去、すなわち雄性生殖器（または雄花）の物理的除去により作ることができる場合があるが、より代表的には、雄性不稔性は、植物ゲノムにおける遺伝的決定基の結果である。この場合、そして特には種子がハイブリッド植物から収穫するのが望まれる産物である場合に、ハイブリッド植物での雄性不稔性が十分に回復されるようにすることが有用であるのが普通である。これは、雄性不稔性を担う遺伝的決定基を含むハイブリッド植物で雄性稔性を回復することができる適切な稔性回復遺伝子を雄親が有するようにすることで達成される。雄性不稔性の遺伝的決定基は細胞質に局在化していることができる。細胞質雄性不稔性（ＣＭＳ）の例としては、例えばアブラナ種に記載されていた。しかしながら、雄性不稔性の遺伝的決定基は、細胞核ゲノムに局在化していることもできる。雄性不稔性植物は、遺伝子工学などの植物バイオテクノロジー法によっても得ることができる。雄性不稔性植物を得る上で特に好ましい手段は、ＷＯ８９／１０３９６に記載されており、そこでは、例えば、バルナーゼなどのリボヌクレアーゼが、雄しべにあるタペータム細胞で選択的に発現される。次に稔性は、バルスターなどのリボヌクレアーゼ阻害剤のタペータム細胞での発現によって回復することができる。
【０３３９】
本発明によって処理することができる植物または植物品種（遺伝子工学などの植物バイオテクノロジー法によって得られる）は、除草剤耐性植物、すなわち、１以上の所定の除草剤に対して耐性とされた植物である。そのような植物は、形質転換により、またはそのような除草剤耐性を付与する突然変異を含む植物の選択によって得ることができる。
【０３４０】
下記の非限定的実施例を提供して、本発明をさらに説明する。
【０３４１】
実施例
実施例１：複数の有効成分の組み合わせの効力についての式
有効成分組み合わせの活性が、個別に施用した場合の有効成分の活性の合計を超える場合には、有効成分の相乗効果が存在する。２種類の有効成分の所定の組み合わせについての予想される活性は、下記のように計算することができる（Ｃｏｌｂｙ，  Ｓ．  Ｒ．，  ″Ｃａｌｃｕｌａｔｉｎｇ  Ｓｙｎｅｒｇｉｓｔｉｃ  ａｎｄ  Ａｎｔａｇｏｎｉｓｔｉｃ  Ｒｅｓｐｏｎｓｅｓ  ｏｆ  Ｈｅｒｂｉｃｉｄｅ  Ｃｏｍｂｉｎａｔｉｏｎｓ″，Ｗｅｅｄｓ  １９６７，  １５，  ２０−２２参照）。
【０３４２】
Ｘが、有効成分Ａを施用量ｍｐｐｍ（またはｇ／ｈａ）で施用した場合の効力であり、
Ｙが、有効成分Ｂを施用量ｎｐｐｍ（またはｇ／ｈａ）で施用した場合の効力であり、
Ｅが、有効成分ＡおよびＢをそれぞれｍおよびｎｐｐｍ（またはｇ／ｈａ）で施用した場合の効力である場合、
【数１】
2017530965.tif 000024
である。
【０３４３】
実際の活性が計算値を超える場合、組み合わせの活性は優加法的であり、すなわち相乗効果が存在する。この場合、実際に観察された効力は、上記式から計算される予想効力についての値（Ｅ）より大きいものでなければならない。
【０３４４】
例えば、上記式および分析を、植物成長促進の評価に適用することができる。そのようなアッセイは、植物に施用してから数日後に評価する。１００％は、未処理対照植物の重量に相当する植物重量を意味する。効力は、この場合、未処理対照の重量と比較して植物重量の追加％を意味する。例えば、未処理対照植物と比較して１２０％の植物重量となる処理は、２０％の効力を有することになるものと考えられる。組み合わせについての植物成長促進効果（すなわち、組み合わせ剤で処理した植物の％芽重量について観察された効力）が計算値を超える場合、その組み合わせ剤の活性は超加法的であり、すなわち相乗効果が存在する。
【０３４５】
上記式および分析を用いて、疾病防除アッセイにおける相乗効果を評価することもできる。％で表される効力の程度が示されている。０％は対照の効力に相当する効力を意味し、１００％の効力は疾病が全く観察されないことを意味する。
【０３４６】
実際の殺虫または殺菌活性が計算値を超える場合、組み合わせの活性は優加法的であり、すなわち相乗効果が存在する。この場合、実際に観察される効力は、上記式から計算される予想効力についての値（Ｅ）より大きいものでなければならない。
【０３４７】
相乗効果を示す別の手法は、Ｔａｍｍｅｓの方法である（″Ｉｓｏｂｏｌｅｓ、Ａ  Ｇｒａｐｈｉｃ  Ｒｅｐｒｅｓｅｎｔａｔｉｏｎ  ｏｆ  Ｓｙｎｅｒｇｉｓｍ  ｉｎ  Ｐｅｓｔｉｃｉｄｅｓ，″  ｉｎ  Ｎｅｔｈ．  Ｊ．  Ｐｌａｎｔ  Ｐａｔｈ．，  １９６４，  ７０，  ７３−８０参照）。
【０３４８】
実施例２：バチルス・サブチリス（Ｂａｃｉｌｌｕｓ  ｓｕｂｔｉｌｉｓ）ＱＳＴ７１３およびホスホリパーゼＣを発現する組換えバチルス・ツリンギエンシス（Ｂａｃｉｌｌｕｓ  ｔｈｕｒｉｎｇｉｅｎｓｉｓ）細胞による植物成長促進
バチルス・サブチリス（Ｂａｃｉｌｌｕｓ  ｓｕｂｔｉｌｉｓ）ＱＳＴ７１３系産物およびホスホリパーゼＣを発現する組換えバチルス・ツリンギエンシス（Ｂａｃｉｌｌｕｓ  ｔｈｕｒｉｎｇｉｅｎｓｉｓ）細胞（「ＢＥＰＣ」）の発酵産物の組み合わせの効力を分析するため、実験を行った。２５から２８℃および湿度５０％の植物成長室のライトラック上、小さい３インチ正方形ポット中の合成培地および砂の無菌混合物で、トウモロコシ種子を約１４日間にわたり成長させた。各ポットでは、２個の種子を植えた。植え付け時には、各ポットの成長培地を、下記に記載の処理液に浸した。１４日後、植物を、植物バイオマスについて測定した。いくつかの実験では、ＷｉｎＲｈｉｚｏ根スキャナーを用いて、根を分析した。これら実施例を通じて全ての表において、ＵＴＣは未処理対照を指す。「計算値」は、上記コルビー式を用いて計算される予想効果値を指し、「効力」は観察された実際の効果を指す。
【０３４９】
ＳＥＲＥＮＡＤＥ（登録商標）ＡＳＯ製品を水で希釈し（１％および５％体積／体積）、その希釈溶液を用いて成長培地を浸した。ＳＥＲＥＮＡＤＥ（登録商標）ＡＳＯの施用量は、製品ＳＥＲＥＮＡＤＥ（登録商標）ＡＳＯに含まれるバチルス・サブチリス（Ｂａｃｉｌｌｕｓ  ｓｕｂｔｉｌｉｓ）ＱＳＴ７１３（すなわち、胞子調製物）の量を指し、それは１．３４％である。その製剤品は、最小胞子濃度１×１０９ｃｆｕ／ｇを有する。
【０３５０】
外膜上でホスホリパーゼＣを発現する組換えバチルス・セレウス（Ｂａｃｉｌｌｕｓ  ｃｅｒｅｕｓ）科構成員（バチルス・ツリンギエンシス（Ｂａｃｉｌｌｕｓ  ｔｈｕｒｉｎｇｉｅｎｓｉｓ）ＢＴ０１３Ａ）（ＢＥＰＣ）を次のように作った。バチルス・セレウス（Ｂａｃｉｌｌｕｓ  ｃｅｒｅｕｓ）科構成員での融合タンパク質の発現のためのプラスミドを作るため、ＢｃｌＡプロモーター（配列番号８５）、メチオニン開始コドン、およびＢｃｌＡのアミノ酸２０から３５（配列番号１）と次にフレームでバチルス・ツリンギエンシス（Ｂａｃｉｌｌｕｓ  ｔｈｕｒｉｎｇｉｅｎｓｉｓ）ＢＴ０１３ＡホスホリパーゼＣ（配列番号１０８）に融合した６アラニンリンカー配列をコードするＰＣＲ断片を作った。これらのＰＣＲ断片をＸｈｏＩで消化させ、ｐＳＵＰＥＲプラスミドのＳａｌＩ部位に結合させて、プラスミドｐＳＵＰＥＲ−ＢｃｌＡ２０−３５−ホスホリパーゼを作った。ｐＵＣ５７プラスミド（アンピシリン抵抗性カセットを含む）のバチルスからのｐＢＣ１６−１プラスミド（テトラサイクリン抵抗性を含む）との融合によって、ｐＳＵＰＥＲプラスミドを作った。この５．５ｋｂｐプラスミドは、大腸菌（Ｅ．  ｃｏｌｉ）およびバチルス属種の両方で複製することができる。ｐＳＵＰＥＲ−ＢｃｌＡ２０−３５−ホスホリパーゼプラスミドをｄａｍメチラーゼ陰性大腸菌（Ｅ．  ｃｏｌｉ）株にトランスフォームし、そこで繁殖し、最後にバチルス・ツリンギエンシス（Ｂａｃｉｌｌｕｓ  ｔｈｕｒｉｎｇｉｅｎｓｉｓ）ＢＴ０１３Ａにトランスフォームした。
【０３５１】
ＢＥＰＣの全ブロス培地を得るため、ブレインハートインフュージョン培地（ＢＨＩ）を含む１５ｍＬフラスコに、ＢＥＰＣを接種し、３００ｒｐｍの振盪器設定で約３０℃で７から８時間増殖させた。翌日、各フラスコからの小分けサンプル２５０μＬずつを、酵母抽出物系培地５０ｍＬの入った２５０ｍＬフラスコに接種し、約３０℃で増殖させた。約２日間のインキュベーション後、胞子形成が少なくとも９５％完了した時点で、培養ブロスを回収し、コロニー形成単位を計算した。発酵ブロスを水５０ｍＬで５％に希釈し、次のコロニー形成単位を各ポットに施用した。
【０３５２】
表３
【表３】
2017530965.tif 000025
【０３５３】
ＳＥＲＥＮＡＤＥ（登録商標）ＡＳＯ製品の１％希釈液を用いた以外は、実験を上記のように繰り返した。結果を下記の表４に示してある。
【０３５４】
表４
【表４】
2017530965.tif 000026
【０３５５】
ＷｉｎＲｈｉｚｏ根スキャナーを用いる根体積測定の結果を表５に示してある。
【０３５６】
表５
【表５】
2017530965.tif 000027
【０３５７】
結果は、ＳＥＲＥＮＡＤＥ（登録商標）ＡＳＯおよびＢＥＰＣを組み合わせた場合の優加法的植物収量効果を示している。
【０３５８】
実施例３：バチルス・サブチリス（Ｂａｃｉｌｌｕｓ  ｓｕｂｔｉｌｉｓ）ＱＳＴ７１３およびエンドグルカナーゼを発現する組換えバチルス・ツリンギエンシス（Ｂａｃｉｌｌｕｓ  ｔｈｕｒｉｎｇｉｅｎｓｉｓ）細胞による植物成長促進
これらの実施例においてＢＥＥと称されるエンドグルカナーゼ（配列番号１０７）を発現する組換えバチルス・ツリンギエンシス（Ｂａｃｉｌｌｕｓ  ｔｈｕｒｉｎｇｉｅｎｓｉｓ）細胞を用いて、実施例２の場合と同様の実験を行った。ホスホリパーゼではなくエンドグルカナーゼ（配列番号１０７）を用いた以外、上記と同様にして、ＢＥＥの全ブロス培地を作った。ＢＥＥのＳＥＲＥＮＡＤＥ（登録商標）ＡＳＯとの組み合わせの植物収量に対する効果を、下記の表に示している。
【０３５９】
表６
【表６】
2017530965.tif 000028
【０３６０】
表７
【表７】
2017530965.tif 000029
【０３６１】
表８
【表８】
2017530965.tif 000030
【０３６２】
上記の結果は、バチルス・サブチリス（Ｂａｃｉｌｌｕｓ  ｓｕｂｔｉｌｉｓ）ＱＳＴ７１３およびＢＥＥを併用施用した場合の植物収量に対する優加法的効果を示している。
【０３６３】
実施例４：バチルス・フィルムス（Ｂａｃｉｌｌｕｓ  ｆｉｒｍｕｓ）株Ｉ−１５８２および組換えバチルス・ツリンギエンシス（Ｂａｃｉｌｌｕｓ  ｔｈｕｒｉｎｇｉｅｎｓｉｓ）細胞による植物成長促進
２０℃および湿度７０％の温室中、ローム性砂でトウモロコシ種子を約１１日間成長させる。処理時点から約１１日後、若芽を土から上で切り取り、新鮮重量を求める。
【０３６４】
配列番号１０７によってコードされるエンドグルカナーゼを発現する組換えバチルス・ツリンギエンシス（Ｂａｃｉｌｌｕｓ  ｔｈｕｒｉｎｇｉｅｎｓｉｓ）細胞または配列番号１０８によってコードされて上記の方法に従って得られるホスホリパーゼＣを、約５０μｇ／穀粒で施用する。バチルス・フィルムス（Ｂａｃｉｌｌｕｓ  ｆｉｒｍｕｓ）株Ｉ−１５８２も、約５０μｇ／穀粒で施用する。
【０３６５】
バチルス・フィルムス（Ｂａｃｉｌｌｕｓ  ｆｉｒｍｕｓ）株Ｉ−１５８２と組み合わせた組換えバチルス・ツリンギエンシス（Ｂａｃｉｌｌｕｓ  ｔｈｕｒｉｎｇｉｅｎｓｉｓ）で処理されるトウモロコシ植物は、二つの有効成分単独で処理したトウモロコシ植物からの％芽重量に基づいて計算された値を超える％芽重量を有すると予想され、すなわち相乗効果が観察されるであろう。
【図１】
2017530965.tif 000031
【配列表】
2017530965000001.app
【国際調査報告】
2017530965.tif 000032
2017530965.tif 000033
2017530965.tif 000034